(57)【要約】ゴルフクラブヘッドの溝及びフェース・インサートとゴルフクラブヘッドの溝及びフェース・インサートを製造する方法との実施形態が、概して本明細書で説明される。他の実施形態が、説明され、特許請求され得る。【選択図】図９２
2020529277.tif 000002
【特許請求の範囲】
【請求項１】
パタータイプのゴルフクラブヘッドであって、
フロントエンドと、
トウエンドと、
前記トウエンドの反対側のヒールエンドと、
トップレールと、
前記トップレールの反対側のソールと、
前記フロント打表面と前記ソールの間に位置する前縁と、
前記フロントエンドから後方に延びる凹部と、
前記凹部内に位置するフェース・インサートと、を備えており、
前記フェース・インサートが、
フェース・インサート・ベースと、
フロント打表面とリア表面を含むボール打面プレートであって、前記リア表面が前記フェース・インサート・ベースのフロント表面に隣接する、ボール打面プレートと、
前記トップレールと前記ソースの間の前記ボール打面プレートに設けられている複数の溝であって、前記複数の溝の各々が前記トウエンドと前記ヒールエンドの間を延びている、複数の溝と、を有しており、
前記フェース・インサートは、前記クラブヘッドの前記フロントエンドと前記ソールの一部を形成しており、
前記ヒールエンドと前記トウエンドの間を伸びる方向において、前記複数の溝の各々の幅が変化しており、
前記トップレールから前記ソールに伸びる方向において、前記複数の溝の各々の幅が変化している、パタータイプのゴルフクラブヘッド。
【請求項２】
前記トップレールと前記ソールの間を伸びる方向、及び、前記ヒールエンドと前記トウエンドの間を伸びる方向において、前記溝の深さが変化しており、
少なくとも１つの前記溝の最も深い部分が、前記溝の概ね平坦な底面部分によって画定される、請求項１に記載のパタータイプのゴルフクラブヘッド。
【請求項３】
前記ボール打面プレートは、
前記ゴルフクラブヘッドの前記ヒールエンド近傍のヒール部分と、
前記ゴルフクラブヘッドの前記トウエンド近傍のトウ部分と、
前記ヒール部分と前記トウ部分の間に位置する中心部分と、を有しており、
前記ボール打面プレートの前記中心部分に位置する前記溝の深さは、前記ヒール部分と前記トウ部分の前記溝の深さよりも大きい、請求項１に記載のパタータイプのゴルフクラブヘッド。
【請求項４】
前記ボール打面プレートは、
前記ゴルフクラブヘッドの前記トップレール近傍のトップレール部分と、
前記ゴルフクラブヘッドの前記ソール近傍のソール部分と、
前記トップレール部分と前記ソール部分の間に位置する中央部分と、を有しており、
前記ボール打面プレートの前記中央部分に位置する前記溝の深さは、前記トップレール部分と前記ソール部分の前記溝の深さよりも大きい、請求項１に記載のパタータイプのゴルフクラブヘッド。
【請求項５】
前記ボール打面プレートは第１の材料を含み、前記フェース・インサート・ベースが第２の材料を含む、請求項１に記載のパタータイプのゴルフクラブヘッド。
【請求項６】
シェアＤ硬度が３５から５５の範囲のＰＥＢＡＸポリマーが前記第１の材料であり、シェアＤ硬度が５０から７５の範囲のＰＥＢＡＸポリマーが前記第２の材料である、請求項１に記載のパタータイプのゴルフクラブヘッド。
【請求項７】
パタータイプのゴルフクラブヘッドであって、
フロントエンドと、
トウエンドと、
前記トウエンドの反対側のヒールエンドと、
トップレールと、
前記トップレールの反対側のソールと、
前記フロント打表面と前記ソールの間に位置する前縁と、
前記フロントエンドから後方に延びる凹部と、
前記凹部内に位置するフェース・インサートと、を備えており、
前記フェース・インサートが、
フェース・インサート・ベース凹部を有するフェース・インサート・ベースと、
フロント打表面とリア表面を含むボール打面プレートであって、前記ボール打面プレートが前記フェース・インサート・ベース凹部内に位置する、ボール打面プレートと、
前記トップレールと前記ソースの間の前記ボール打面プレートに設けられている複数の溝であって、前記複数の溝の各々が前記トウエンドと前記ヒールエンドの間を延びている、複数の溝と、を有しており、
前記フェース・インサートは、前記クラブヘッドの前記フロントエンドと前記ソールの一部を形成しており、
前記ヒールエンドと前記トウエンドの間を伸びる方向において、前記複数の溝の各々の幅が変化しており、
前記トップレールから前記ソールに伸びる方向において、前記複数の溝の各々の幅が変化している、パタータイプのゴルフクラブヘッド。
【請求項８】
前記トップレールと前記ソールの間を伸びる方向、及び、前記ヒールエンドと前記トウエンドの間を伸びる方向において、前記溝の深さが変化しており、
少なくとも１つの前記溝の最も深い部分が、前記溝の概ね平坦な底面部分によって画定される、請求項７に記載のパタータイプのゴルフクラブヘッド。
【請求項９】
前記ボール打面プレートは、
前記ゴルフクラブヘッドの前記ヒールエンド近傍のヒール部分と、
前記ゴルフクラブヘッドの前記トウエンド近傍のトウ部分と、
前記ヒール部分と前記トウ部分の間に位置する中心部分と、を有しており、
前記ボール打面プレートの前記中心部分に位置する前記溝の深さは、前記ヒール部分と前記トウ部分の前記溝の深さよりも大きい、請求項７に記載のパタータイプのゴルフクラブヘッド。
【請求項１０】
前記ボール打面プレートは、
前記ゴルフクラブヘッドの前記トップレール近傍のトップレール部分と、
前記ゴルフクラブヘッドの前記ソール近傍のソール部分と、
前記トップレール部分と前記ソール部分の間に位置する中央部分と、を有しており、
前記ボール打面プレートの前記中央部分に位置する前記溝の深さは、前記トップレール部分と前記ソール部分の前記溝の深さよりも大きい、請求項７に記載のパタータイプのゴルフクラブヘッド。
【請求項１１】
前記ボール打面プレートは第１の材料を含み、前記フェース・インサート・ベースが第２の材料を含む、請求項７に記載のパタータイプのゴルフクラブヘッド。
【請求項１２】
シェアＤ硬度が３５から５５の範囲のＰＥＢＡＸポリマーが前記第１の材料であり、シェアＤ硬度が５０から７５の範囲のＰＥＢＡＸポリマーが前記第２の材料である、請求項７に記載のパタータイプのゴルフクラブヘッド。
【請求項１３】
パタータイプのゴルフクラブヘッドであって、
フロントエンドと、
トウエンドと、
前記トウエンドの反対側のヒールエンドと、
トップレールと、
前記トップレールの反対側のソールと、
前記フロント打表面と前記ソールの間に位置する前縁と、
前記フロントエンドから後方に延びる凹部と、
前記凹部内に位置するフェース・インサートと、を備えており、
前記フェース・インサートが、
ポリマー材料と、
フレームと、
前記トップレールと前記ソースの間の前記ボール打面プレートに設けられている複数の溝であって、前記複数の溝の各々が前記トウエンドと前記ヒールエンドの間を延びている、複数の溝と、を有しており、
前記フェース・インサートは、前記クラブヘッドの前記フロントエンドと前記ソールの一部を形成しており、
前記ヒールエンドと前記トウエンドの間を伸びる方向において、前記複数の溝の各々の幅が変化しており、
前記トップレールから前記ソールに伸びる方向において、前記複数の溝の各々の幅が変化している、パタータイプのゴルフクラブヘッド。
【請求項１４】
前記フレームは、金属材料を含む、請求項１３に記載のパタータイプのゴルフクラブヘッド。
【請求項１５】
前記ポリマー材料と前記フレームは、前記パターゴルフクラブヘッドの前記前縁の周りを包む、請求項１３に記載のパタータイプのゴルフクラブヘッド。
【請求項１６】
前記フレームは、前記ポリマー材料の周りに周囲を形成する、請求項１５に記載のパタータイプのゴルフクラブヘッド。
【請求項１７】
前記フレームは、前記ポリマー材料を、トウエンド部分とヒールエンド部分と中心部分に分割する、請求項１５に記載のパタータイプのゴルフクラブヘッド。
【請求項１８】
前記フレームは、前記フロント打表面の周囲から前記フロント打表面の中心に向けて内向きに延びている、請求項１７に記載のパタータイプのゴルフクラブヘッド。
【請求項１９】
前記フレームは、前記パターゴルフクラブヘッドの前記トップレールから前記ソールに向けて延びている２つの垂直部分を有している、請求項１７に記載のパタータイプのゴルフクラブヘッド。
【請求項２０】
前記フレームは、挟持力によって前記ポリマー材料を固定する、
前記トップレールと前記ソールの間を伸びる方向、及び、前記ヒールエンドと前記トウエンドの間を伸びる方向において、前記溝の深さが変化しており、
少なくとも１つの前記溝の最も深い部分が、前記溝の概ね平坦な底面部分によって画定される、請求項７に記載のパタータイプのゴルフクラブヘッド。
【発明の詳細な説明】
【技術分野】
【０００１】
関連出願
本出願は、２０１７年８月４日に出願された米国特許仮出願第６２／５４１，４４５号、２０１６年１月１１日に出願された米国特許仮出願第６２／２７７，３５８号、２０１５年１２月１６日に出願された米国特許仮出願第６２／２６８，０１１号、２０１５年９月２５日に出願された米国特許仮出願第６２／２３３，０９９号及び２０１５年８月１４日に出願された米国特許仮出願第６２／２０５，５５０号の利益を主張する、２０１６年８月１２日に出願され、現在では米国特許第９，９８７，５３０号である米国特許出願第１５／２３６，１１２号の継続出願である、２０１８年４月２５日に出願された米国特許出願第１５／９６２，９６９号の一部継続出願である。本出願はまた、２０１２年９月７日に出願された米国特許仮出願第６１／６９７，９９４号及び２０１１年９月３０日に出願された米国特許仮出願第６１／５４１，９８１号の利益を主張する、２０１２年９月２７日に出願された米国特許出願第１３／６２８，６８５号の継続出願である、２０１３年２月７日に出願された米国特許出願第１３／７６１，７７８号の継続出願である、２０１４年３月４日に出願された米国特許出願第１４／１９６，３１３号の継続出願である、２０１４年１０月３１日に出願された米国特許出願第１４／５２９，５９０号の一部継続出願である。これらは全て参照により本明細書に組み込まれる。
【０００２】
本開示は、概してゴルフ用品に関し、より具体的には、ゴルフクラブヘッドの溝と、ゴルフクラブヘッドの溝を製造する方法と、に関する。
【背景技術】
【０００３】
通常、ゴルフクラブヘッドは、トウエンドとヒールエンドとの間に伸びる複数の平行な溝を有するクラブフェースを含むことができる。特に、アイアン型クラブヘッドの複数の溝は、ゴルフボールとクラブフェースとの間の水、砂、芝生、及び／又は、他の破片を取り除くことができる。ゴルフクラブフェースは、四角形もしくは箱型の溝、Ｖ字型の溝、又はＵ字型の溝などの、さまざまな形を有する溝を有することができる。
【図面の簡単な説明】
【０００４】
【図１】一実施例による、パターを示した図である。
【０００５】
【図２】一実施例による、パターのボール打面の概略図である。
【０００６】
【図３】一実施例による、パターのボール打面の概略図である。
【０００７】
【図４】図３のボール打面の溝の概略平面図である。
【０００８】
【図５】図３の断面５−５から見た、図４の溝の水平断面図である。
【０００９】
【図６】図３のボール打面の別の溝の水平断面図である。
【００１０】
【図７】図３のボール打面の別の溝の水平断面図である。
【００１１】
【図８】一実施例による、パターのボール打面の概略図である。
【００１２】
【図９】図８のボール打面の溝の概略平面図である。
【００１３】
【図１０】図８の断面１０−１０から見た、図９の溝の水平断面図である。
【００１４】
【図１１】図８のボール打面の別の溝の水平断面図である。
【００１５】
【図１２】図８のボール打面の別の溝の水平断面図である。
【００１６】
【図１３】一実施例による、パターのボール打面の概略図である。
【００１７】
【図１４】図１３のボール打面の溝の概略平面図である。
【００１８】
【図１５】図１３の断面１５−１５から見た、図１４の溝の水平断面図である。
【００１９】
【図１６】図１３のボール打面の別の溝の水平断面図である。
【００２０】
【図１７】図１３のボール打面の別の溝の水平断面図である。
【００２１】
【図１８】一実施例による、パターのボール打面の概略図である。
【００２２】
【図１９】図１８のボール打面の溝の概略平面図である。
【００２３】
【図２０】図１８の断面２０−２０から見た、図１９の溝の水平断面図である。
【００２４】
【図２１】図１８のボール打面の別の溝の水平断面図である。
【００２５】
【図２２】図１８のボール打面の別の溝の水平断面図である。
【００２６】
【図２３】一実施例による、パターのボール打面の概略図である。
【００２７】
【図２４】図２３の断面２４−２４から見た、図２３のボール打面の溝の垂直断面の別の実施例の図である。
【図２５】図２３の断面２４−２４から見た、図２３のボール打面の溝の垂直断面の別の実施例の図である。
【図２６】図２３の断面２４−２４から見た、図２３のボール打面の溝の垂直断面の別の実施例の図である。
【００２８】
【図２７】一実施例による、パターのボール打面の概略図である。
【００２９】
【図２８】一実施例による、パターのボール打面の概略図である。
【００３０】
【図２９】パターのボール打面の溝の例示的水平断面の概略図である。
【図３０】パターのボール打面の溝の例示的水平断面の概略図である。
【図３１】パターのボール打面の溝の例示的水平断面の概略図である。
【図３２】パターのボール打面の溝の例示的水平断面の概略図である。
【図３３】パターのボール打面の溝の例示的水平断面の概略図である。
【図３４】パターのボール打面の溝の例示的水平断面の概略図である。
【図３５】パターのボール打面の溝の例示的水平断面の概略図である。
【図３６】パターのボール打面の溝の例示的水平断面の概略図である。
【図３７】パターのボール打面の溝の例示的水平断面の概略図である。
【００３１】
【図３８】パターのボール打面の例示的溝の概略平面図である。
【図３９】パターのボール打面の例示的溝の概略平面図である。
【図４０】パターのボール打面の例示的溝の概略平面図である。
【図４１】パターのボール打面の例示的溝の概略平面図である。
【図４２】パターのボール打面の例示的溝の概略平面図である。
【図４３】パターのボール打面の例示的溝の概略平面図である。
【図４４】パターのボール打面の例示的溝の概略平面図である。
【図４５】パターのボール打面の例示的溝の概略平面図である。
【００３２】
【図４６】一実施例による、パターのボール打面の概略図である。
【００３３】
【図４７】一実施例による、パターのボール打面の概略図である。
【００３４】
【図４８】一実施例による、パターの溝の水平断面図である。
【００３５】
【図４９】一実施例による、パターの垂直概略断面図である。
【００３６】
【図５０】一実施例による、パターの垂直概略断面図である。
【００３７】
【図５１】別の実施例による、パターフェースの図である。
【００３８】
【図５２】別の実施例による、パターフェースの図である。
【００３９】
【図５３】一実施例による、ゴルフクラブを製造する方法の図である。
【００４０】
【図５４】一実施例による、パターのボール打面の概略図である。
【００４１】
【図５５】図５４のボール打面の溝の断面図である。
【００４２】
【図５６】一実施例による、パターのボール打面の概略図である。
【００４３】
【図５７】図５６のボール打面の溝の断面図である。
【００４４】
【図５８】一実施例による、パターのボール打面の概略図である。
【００４５】
【図５９】図５８のボール打面の溝の断面図である。
【００４６】
【図６０】一実施形態による、パターのボール打面の概略図である。
【００４７】
【図６１】図６０のボール打面の溝の概略平面図である。
【００４８】
【図６２】図６０の断面６２−６２から見た、図６１の溝の水平断面図である。
【００４９】
【図６３】溝を切るためのツールの図である。
【００５０】
【図６４】一実施例による、Ｖ字型溝の図である。
【００５１】
【図６５】一実施例による、Ｖ字型溝の図である。
【００５２】
【図６６】一実施例による、溝の概略平面図である。
【００５３】
【図６７】図６６の溝の水平断面図である。
【００５４】
【図６８】一実施例による、パターのボール打面の概略図である。
【００５５】
【図６９】一実施例による、パターのボール打面の概略図である。
【００５６】
【図７０】一実施例による、パターのボール打面の概略図である。
【００５７】
【図７１】一実施例による、パターのボール打面の概略図である。
【００５８】
【図７２】一実施例によるパターと楕円形パターンの拡大図である。
【００５９】
【図７３】図７２の断面図を底面から見た図である。
【００６０】
【図７４】図７３の２つの最も内側の部分の楕円形溝の拡大図である。
【００６１】
【図７５】図７３の２つの最も外側の部分の楕円形溝の拡大図である。
【００６２】
【図７６】一実施例による、パターである。
【００６３】
【図７７】図７６の中央エリアである。
【００６４】
【図７８】図７６の断面図を底面から見た図である。
【００６５】
【図７９】図７８の幾何学的中心の近くの突出部の拡大図である。
【００６６】
【図８０】図７８のトウエンドの近くの突出部の拡大図である。
【００６７】
【図８１】一実施形態による、ゴルフクラブヘッドのフェース・インサートである。
【００６８】
【図８２】図８１のゴルフクラブヘッドのフェース・インサートとは別のフェース・インサートである。
【００６９】
【図８３】図８２のフェース・インサートの分解図である。
【００７０】
【図８４】図８２のボール打面の概略図である。
【００７１】
【図８５】他の実施形態による、パターの正面図である。
【００７２】
【図８６】図８４のパターの代替図である。
【００７３】
【図８７Ａ】図８４のパターのフェース・インサートの正面図である。
【００７４】
【図８７Ｂ】図８６Ａのフェース・インサートの背面図である。
【００７５】
【図８８】図８４のパターの斜視図である。
【００７６】
【図８９】一実施形態による、パターの斜視図である。
【００７７】
【図９０】図８９のパターの分解図である。
【００７８】
【図９１】他の実施形態による、パターの斜視図である。
【００７９】
【図９２】図９１のパターの分解図である。
【００８０】
【図９３】他の実施形態による、パターの斜視図である。
【００８１】
【図９４】図９３のパターの分解図である。
【００８２】
【図９５】他の実施形態による、パターのフェース・インサートである。
【００８３】
【図９６】図９５のフェース・インサートの断面図である。
【００８４】
【図９７】図９５のフェース・インサートのボール打面プレートである。
【００８５】
【図９８】他の実施形態による、パターの斜視図である。
【００８６】
【図９９】他の実施形態による、パターの斜視図である。
【００８７】
【図１００】他の実施形態による、パターの斜視図である。
【００８８】
【図１０１】他の実施形態による、パターの斜視図である。
【００８９】
【図１０２】他の実施形態による、パターの斜視図である。
【００９０】
【図１０３】他の実施形態による、パターの斜視図である。
【００９１】
【図１０４】他の実施形態による、パターの斜視図である。
【００９２】
【図１０５】他の実施形態による、パターの斜視図である。
【００９３】
【図１０６】他の実施形態による、パターの斜視図である。
【００９４】
【図１０７】他の実施形態による、パターの斜視図である。
【発明を実施するための形態】
【００９５】
本開示は、パッティングストローク中にゴルフボールをインパクトしたときのより柔らかい感触を提供する様々なフェース・インサートを有するパターゴルフクラブヘッドである。フェース・インサートは、パターゴルフクラブヘッドの凹部に受け入れらえるように構成され得る。多くの実施形態では、フェース・インサートは、パターゴルフクラブヘッドのフロント打表面とソールの一部を形成する。他の実施形態では、フェース・インサートは、パターゴルフクラブヘッドのヒールエンド、トウエンド、トップレール、又は、それらの任意の組み合わせの一部を形成することができる。いくつかの実施形態では、パターゴルフクラブヘッドは、ボール打面プレートのような単一部品を備える。いくつかの実施形態では、パターゴルフクラブヘッドは、ボール打面プレートとフェース・インサート・ベース、ポリマー材料とフレーム、及び、複数の開口部のような多部品を備える。フェース・インサートがボール打面プレートとフェース・インサート・ベースを有する実施形態では、ボール打面プレートは、ボール打面プレートとフェース・インサート・ベースを一緒に機械的に結合するための結合構造を備えることができる。多くの実施形態において、フェース・インサートは、テープ、非常に強い接着テープ、接着剤、エポキシ、又は、任意のタイプの接着剤化合物などの接着剤によって凹部に結合することができる。多くの実施形態では、フェース・インサートは、ポリマータイプの材料を備えることができる。これらの実施形態では、ポリマータイプの材料は、金属フェースよりもボールインパクト時により柔らかく独特な音／感触の利点を提供することができる。ポリマータイプの材料は、ゴルフボールインパクト時の望まない音を取り除くために振動を減衰する。ポリマー材料とフレームを有するフェース・インサートのようないくつかの実施形態では、フレームはフロント打表面の中心にボールが整列するのを助けてプレーヤに視覚補助を提供する。
【００９６】
概して、ゴルフクラブヘッドの溝及びゴルフクラブヘッドの溝を製造するための方法が、本明細書で説明される。本明細書で説明する方法、装置、及び／又は製造品に関連するゴルフ用品は、任意の特定の時期のゴルフのルールに適合しても、適合しなくてもよい。さらに、本明細書で提供する図は、例示目的のためであり、図のうちの１つ又は複数は、正しい縮尺で描かれていない場合がある。本明細書で説明する装置、方法、及び製造品は、この点について限定されない。
【００９７】
図１の実施例では、パター１００が示されている。本明細書ではパター１００の溝及びフェース・インサートを説明するが、本明細書で説明する装置、方法、及び製造品は、他の種類のクラブヘッド（たとえば、ドライバー型クラブヘッド、フェアウェイ・ウッド型クラブヘッド、ハイブリッド型クラブヘッド、アイアン型クラブヘッドなど）に適用可能であり得る。しかしながら、パター型ゴルフクラブヘッドは、ドライバー型クラブヘッド、フェアウェイ・ウッド型クラブヘッド、ハイブリッド型クラブヘッド、アイアン型クラブヘッド及びウェッジ型クラブヘッドではない。
【００９８】
パターゴルフクラブヘッドはロフト角を備えている。パターゴルフクラブヘッドのロフト角は、フェース上の概ね平坦面とシャフトの中心軸の間の角度である。パターゴルフクラブヘッドのロフト角は、パターゴルフクラブヘッドのシャフトからフェースへの後方への角度である。多くの実施形態では、パターゴルフクラブヘッドのロフト角は、１０度以下であり得る。いくつかの実施形態では、パターゴルフクラブヘッドのロフト角は、９度以下、８度以下、７度以下、６度以下、５度以下、又は４度以下であり得る。いくつかの実施形態では、パターゴルフクラブヘッドのロフト角は、０度から１０度、０度から９度、０度から８度、１度から１０度、１度から９度、１度から８度、２度から１０度、２度から９度、２度から８度、３度から１０度、３度から９度、又は３度から８度の範囲であり得る。例えば、パターゴルフクラブヘッドのロフト角は、０、１、２、３、４、５、６、７、８、９、又は１０度であり得る。
【００９９】
ボール打面プレートは、トウエンド１８０近傍のトウ部分、ヒールエンド１９０近傍のヒール部分、及びトウ部分とヒール部分の間に位置する中心部分の３つの部分に水平方向で分けることができる。ボール打面プレートはさらに、トップレール１８２近傍のトップレール部分、ソール１９２近傍のソール部分、及びトップレール部分とソース部分の間に位置する中央部分の３つの部分に垂直方向で分けることができる。ボール打面プレートのトウ部分とヒール部分と中心部分とトップレール部分とソース部分と中央部分は、以下の図８１及び図８４に示されるボール打面プレート１９１２のトウ部分１９７０とヒール部分１９７４と中心部分１９７２とトップレール部分１９７６とソース部分１９８０と中央部分１９７８に類似し得る。
【０１００】
パターゴルフクラブヘッドのフロント打表面は、複数の溝を備えることができる。フロント打面の複数の溝は、ボール打面／ボール打表面／フロント打表面上の複数の溝に類似し得る：以下で示される、１１２、２１２、３１２、４１２、５１２、６１２、７１２、１０１２、１３１２、１４１２、１５００、１６１２、１７２８、１８１２、１９１１、２２１２、２３１２、４２１２、５２１２、６０１１、６１１１、６３１１、６４１１、６５１１、６６１１、６７１１、６８１１、６９１１、７０１１、７１１１、７２１１、又は７３１１。いくつかの実施形態では、フロント打面の複数の溝は、米国特許出願第１４／１９６，３１３号（米国特許第９，４５２，３２６号）に記載される溝に類似することができ、その溝は変化する深さ、変化する幅、又は変化する深さと幅を備えることができる。フェース・インサートの溝は、直線状の溝、放物線状の溝、２つの放物線状の溝、又は任意の他の種類のパターンの溝のような、任意のパターンであり得る。いくつかの実施形態では、溝は、トップレール１８２とソール１９２の間を伸びる方向、ヒールエンド１９０とトウエンド１８０の間を伸びる方向に沿って変化する溝の深さを備える。より詳細には、溝は、トウ部分からヒール部分に向けて、及び、トップレール部分からソール部分に向けて、変化する。溝の深さは、トウ部分及びヒール部分から中心部分に向けて、増加する。同様に、溝の深さは、トップレール部分及びソール部分から中央部分に向けて、増加する。少なくとも１つの溝の最も深い部分は、溝の概ね平坦表面部分によって画定される。概ね平坦表面部分は、溝の中心部分と中央部分が重なったところに位置する。
【０１０１】
多くの実施形態では、フェース・インサートの溝は、中心を外した打撃又は打ち損なったときにボールの軌道を修正する利点を提供することができる。フェース・インサートの溝は、プレーヤに対してより大きなショット寛容性を提供することができ、これにより、より正確なショットを提供し得る。さらに、溝の変化する深さ及び／又は変化する幅は、フロント打表面に亘るより標準化された打撃を許容することによって寛容性を増加する。
【０１０２】
さらに、いくつかの実施形態では、フロント打表面の溝は、ヒールエンド１９０からトウエンド１８０に伸びる変化する幅を備えることができる。いくつかの実施形態では、フロント打表面の溝は、ソール１９２からトップレール１８２に伸びる変化する幅を備えることができる。いくつかの実施形態では、フロント打表面の溝は、ヒールエンド１９０からトウエンド１８０に伸びる変化する幅、及び、ソール１９２からトップレール１８２に伸びる変化する幅を備えることができる。
【０１０３】
パター１００は、パターフェース１１０を有するパターヘッド１０２を含む。パターフェース１１０は、概して平面的であって、アドレス位置において鉛直方向に延びていてよい。パターフェース１１０は、一般に、パターフェース１１０と同じ平面上にあり得る、又はパターフェース１１０から外側にわずかに突出し得る、ボール打面１１２を含む。ボール打面１１２は、パターフェース１１０と同じ大きさであってよく、又は（図１に示す通り）パターフェース１１０よりも小さくてよい。ボール打面１１２は、（図示しない）ゴルフボールを打つために一般に使用される、パターフェース１１０上の領域であってよい。しかしながら、人はまたボールを、ボール打面１１２の外側であるパターフェース１１０の一部分で打つことがある。
【０１０４】
ボール打面１１２は、パターフェース１１０の連続した部分又は一体部分であってよく、又はパターフェース１１０に取り付けられるインサートとして形成され得る。そのようなインサートを、パターフェース１１０と同じ材料又は異なる材料から作り、その後、パターフェース１１０に取り付けることができる。ボール打面１１２は、概して溝１２０として示す１つ又は複数の溝と、１つ又は複数の山部１７０と、を含むことができる。たとえば、ボール打面１１２は、概して１２２、１２４、１２６、１２８、１３０、１３２、１３４、１３６、１３８、１４０、１４２、及び１４４として示す、１２の溝を有して示されている。溝１２０は、概して１２０などの１つの参照番号を用いて参照することができる。しかしながら、ボール打面１１２上の溝のうちの１つを具体的に説明するときには、その具体的な溝の参照番号を使用することができる。
【０１０５】
２つの隣接する溝を、山部１７０によって分けることができる。各溝１２０と隣接溝１２０との間の山部１７０は、別の対の隣接する溝１２０間の山部１７０と同じ又は異なる幅を有することができる。山部１７０は、また、ボール打面１１２の上面を画定することができる。一般に、溝１２０のうちの２つ以上は、互いに平行であってよい。たとえば、溝１２２及び溝１２４は、互いに平行であってよい。しかしながら、溝１２０を、互いに対して任意の方法で配向することができる。たとえば、溝１２０のうちの任意のものを、対角に、垂直に、及び／又は水平に向けることができる。図２の実施例で示す通り、溝１２０のうちの１つ又は複数は、実質的に直線で、隣接溝１２０に対して概して平行であってよく、パターフェース１１０のトウエンド１８０とヒールエンド１９０との間に伸びることができる。
【０１０６】
以下で詳細に説明する通り、溝１２０の深さ、長さ、幅、水平断面形状、及び／又は垂直断面形状は、直線に、非直線に、均一な又は非均一な段階的間隔で、アーチ状に、及び／又は１つ又は複数の幾何学的図形にしたがって、パターヘッド１０２の、トウエンド１８０からヒールエンド１９０にかけて、及び／又はトップレール１８２からソール１９２にかけて、増加、減少、及び／又は変化することができる。本明細書で説明する装置、方法、及び製造品は、この点において限定されない。
【０１０７】
図２を参照すると、ボール打面１１２は、溝１２２〜溝１４４を有して示されている。ボール打面１１２は、パターフェース１１０と一緒に製造されるものなど、パターフェース１１０の一体部分であってよい。代替的に、ボール打面１１２は、パターフェース１１０に取り付けられるインサートであってよい。溝１２０の各々は、トウエンド１８０からヒールエンド１９０にかけて伸びて、対応する長さ１９３を画定することができる（溝１４４の長さ１９３のみが図２に示されている）。溝１２０のうちの一部又は全部の長さ１９３は、トップレール１８２からソール１９２への方向で変化することができ、各溝１２０が、ボール打面１１２の外周の形状に一般に合うようにすることができる。たとえば、溝の長さは、トップレール１８２の近くからボール打面１１２の中心１８４にかけて増加し、中心１８４からソール１９２の近くにかけて減少することができる。中心１８４は、ボール打面１１２の幾何学的中心であってよい。代替的に、中心１８４は、ボール打面１１２の慣性又は重量に関連する中心を表すことができる。しかしながら、中心１８４を、通常ボールを打つボール打面１１２の領域として、一般に定義することができる。図１に示す通り、溝１２０の長さ１９３は、類似であってよい。図２に示す実施例などの他の実施例では、溝の長さ１９３は、トップレール１８２の近くから中心１８４にかけて減少し、ソール１９２の近くから中心１８４にかけて減少することができる。したがって、ボール打面１１２上に配置される任意の溝の長さは、本開示の範囲内である。
【０１０８】
図３に示す別の実施例では、ボール打面２１２は、（具体的に溝２２２〜溝２４４として示す）溝２２０を含むことができる。ボール打面２１２は、パターフェース１１０の一体部分、又はパターフェース１１０に取り付けられる別の部品であってよい。したがって、ボール打面２１２を説明するときには、パター１００とパターヘッド１０２との部分は、上記で説明したものと同じ参照番号を用いて参照される。
【０１０９】
図４は、溝２３２の概略図を示しており、図５は、図３の切断線５−５から見た、溝２３２の水平断面を示している。溝２３２は、一般に領域２７１〜領域２７５として示されている、水平に広がった領域に分けられて示されており、それらは、図３と図４とにおいて、垂直な境界線によって視覚的に画定されている。水平領域２７１〜水平領域２７５は、トウエンド１８０の近くからヒールエンド１９０の近くにかけて、及び／又はトップレール１８２の近くからソール１９２の近くにかけて、溝２３２の水平断面形状の変化を画定することができる。溝の水平断面形状は、溝の特定の部分の長さ、深さ、幅、断面形状、及び／又は構成材料などの、溝の長さ２９３に沿った溝の任意の特性を指すことができる。図３〜図７の実施例では、溝２２０は、溝２２０の長さ２９３を画定する、第１の垂直壁２５０と第２の垂直壁２５２とを含む。溝２２０の各々は、溝２２０の深さを画定する、底面２５４を有する。各溝の深さは、領域２７１〜領域２７５における溝２２０の断面形状にしたがって、第１の壁２５０から第２の壁２５２にかけて変化することができる。各溝２２０は、また、溝２２０の垂直境界を画定する、第１の水平壁２５６と第２の水平壁２５８とを含む。第１の水平壁２５６と第２の水平壁２５８との間の距離は、溝２２０の幅２８０を画定する。幅２８０は、図３８〜図４５の実施例で示す通り、第１の垂直壁２５０から第２の垂直壁２５２にかけて変化することができ、その場合、溝は、長さ５９０、第１の幅５９４、第２の幅５９５、及び／又は第３の幅５９６を有することができる。しかしながら、図３〜図７の実施例では、第１の水平壁２５６及び第２の水平壁２５８は、一般に一定の幅２８０を画定するために、一般に平行である。
【０１１０】
図５を参照すると、領域２７１の底面２５４は、第１の深さ２８２を領域２７１と領域２７２との間の境界において画定するために、下向きに傾斜又はカーブしている。領域２７２の底面２５４は、より急な下向きのカーブを有して、第１の深さ２８２から、領域２７２と領域２７３との間の境界における第２の深さ２８４に、推移する。底面２５４が領域２７３において平坦な場合、第２の深さ２８４は、一般に、溝２３２の最大の深さを画定することができる。しかしながら、底面２５４が平坦でない場合、溝２３２の最大の深さは、領域２７３の別の部分で画定され得る。溝２２０のうちの任意のものは、垂直軸ｙに対して対称であってよい。したがって、ｙ軸の各側での溝２２０の形状は、ｙ軸の他方の側の溝２３２の形状を映すことができる。しかしながら、溝２２０のうちの任意のものは、非対称であってよい。領域２７１及び領域２７５は、溝２３２の浅い部分を画定し、領域２７３は、溝２３２のより深い中心部分を画定する。溝２２０のうちの任意のものの最も深い部分は、溝２２０の中心にあってよい。領域２７２及び領域２７４は、深さ２８２から深さ２８４への底面２５４の推移を容易にする。
【０１１１】
図３と図５とを参照すると、溝２２０の各々の一般的断面形状は、トップレール１８２からソール１９０にかけて、一般に同様のままであってよい。しかしながら、溝２２０の各々の領域２７１〜領域２７５の長さ、幅、及び／又は深さを含む断面形状は、トップレール１８２からソール１９２にかけて徐々に変化することができる。図６と図７とでは、溝２３８と溝２４４との水平断面が、それぞれ示されている。たとえば、溝２３８の領域２７１〜領域２７５は、溝２３２の領域２７１〜領域２７５よりも、それぞれ長さが短い。同様に、溝２４４の領域２７１〜領域２７５は、溝２３８の領域２７１〜領域２７５よりも、それぞれ長さが短い。別の実施例では、溝２３８の領域２７１〜領域２７５は、溝２３２の領域２７１〜領域２７５よりも、それぞれ、より浅い深さを有することができる。同様に、溝２４４の領域２７１〜領域２７５は、溝２３８の領域２７１〜領域２７５よりも、それぞれ、より浅い深さを有することができる。
【０１１２】
溝２２２〜溝２３２の領域２７１〜領域２７５の長さ、深さ、及び／又は幅が、トップレール１８２からボール打面２１２の大まかな中心にかけて徐々に増加すること、及び／又は溝２３２〜溝２４４の領域２７１〜領域２７５の大きさが、ボール打面２１２の大まかな中心からソール１９２にかけて減少することにより、（図３に示す）中央ストライクゾーン２６０を形成し、中央ストライクゾーン２６０は、アドレスをとった個人が見たときに、ゴルフボールの形状に似ていることができる。ゴルフボールのおおよその視覚的表現は、個人がボール打面２１２をボールに揃えることを、助けることができる。溝２２０の最も深い部分を画定する領域２７３は、ボール打面２１２の中心で、長さがより長く、トップレール１８２とソール１９２とに向かって、長さを徐々に減らすことができる。同様に、推移領域２７２及び推移領域２７４は、ボール打面２１２の中心で最大の長さを有し、トップレール１８２とソール１９２とに向かって、長さを徐々に減らすことができる。領域２７１〜領域２７５の長さは、ボール打面２１２上の溝２２０の位置により変化し得るが、各溝２２０の同様な領域の深さは、同様又は異なってよい。たとえば、溝２３２の最大の深さは、溝２４４の最大の深さと同様であってよい。代替的に、溝２２２〜溝２４４の深さは、ボール打面２１２に対する溝２２０の位置に基づいて変化することができる。さらに代替的に、溝２２２〜溝２４４の深さは、任意の方法で、トップレール１８２からソールにかけて、変化することができる。上記の実施例は、特定の数の水平領域を説明し得るが、本明細書で説明する装置、方法、及び製造品は、より多くの、又はより少ない水平領域を含むことができる。
【０１１３】
図８に示す別の実施例では、ボール打面３１２は、（具体的には溝３２２〜溝３４４として示されている）溝３２０を含む。ボール打面３１２は、パターフェース１１０の一体部分、又はパターフェース１１０に取り付けられる別の部品であってよい。したがって、ボール打面３１２を説明するときには、パター１００とパターヘッド１０２との部分は、上記で説明したものと同じ参照番号を用いて参照される。
【０１１４】
図９は、溝３３２の概略図を示し、図１０は、図８の切断線１０−１０から見た、溝３３２の水平断面を示している。溝３３２は、水平に広がった領域３７１〜領域３７５に分けられて示されており、それらは、図８と図９とにおいて、垂直境界線によって視覚的に画定されている。水平領域３７１〜水平領域３７５は、トウエンド１８０の近くからヒールエンド１９０の近くにかけて、及び／又はトップレール１８２の近くからソール１９２の近くにかけての、溝３３２の水平断面形状の変化を画定することができる。溝の水平断面形状は、溝の特定の部分の長さ、深さ、幅、断面形状、及び／又は構成材料などの、溝の長さ３９３に沿った溝の任意の特性を指すことができる。図８〜図１２の実施例では、溝３２０は、溝３２０の長さ３９３を画定する、第１の垂直壁３５０と第２の垂直壁３５２とを含む。溝３２０の各々は、溝３２０の深さを画定する、底面３５４を有する。各溝の深さは、領域３７１〜領域３７５における溝３２０の断面形状にしたがって、第１の壁３５０から第２の壁３５２にかけて、変化することができる。各溝３２０は、また、溝３２０の垂直境界を画定する、第１の水平壁３５６と第２の水平壁３５８とを含む。第１の水平壁３５６と第２の水平壁３５８と間の距離は、溝３２０の幅３８０を画定する。幅３８０は、図３８〜図４５の実施例で示す通り、第１の垂直壁３５０から第２の垂直壁３５２にかけて、変化することができる。しかしながら、図８〜図１２の実施例では、第１の水平壁２５６及び第２の水平壁２５８は、概して一定の幅３８０を画定するために、概ね平行である。
【０１１５】
図１０を参照すると、領域３７１における底面３５４は、第１の深さ３８２を、３７１と３７２との間の境界において画定するために、概ね平坦及び／又はわずかに傾斜していてよい。領域３７２における底面３５４は、第１の深さ３８２から、領域３７２と領域３７３との間の境界における第２の深さ３８４に、下向きに段階的に推移する。領域３７２における底面３５４は、溝３２０が領域３７２において概して均一の深さ３８４を有するように、概ね平坦及び／又はわずかに傾斜していてよい。領域３７２内の底面３５４は、第２の深さ３８４から第３の深さ３８６にかけて、下向きに段階的に推移する。領域３７３内の底面３５４は、溝３２０が領域３７３において概して均一の深さ３８６を有するように、概ね平坦又はわずかに傾斜していてよい。溝３２０のうちの任意のものは、垂直軸ｙに対して対称であってよい。したがって、ｙ軸の各側の溝３２０の形状は、ｙ軸の他方の側の溝３２０の形状を映す。しかしながら、溝３２０のうちの任意のものは、非対称であってよい。深さ３８６は、溝３２０の最大の深さを表す。
【０１１６】
図１０〜図１２を参照すると、溝３２０の一般的断面形状は、トップレール１８２からソール１９０にかけて、概ね同様なままでよい。しかしながら、溝３２０の各々の領域３７１〜領域３７５の長さ、幅、及び／又は深さを含む断面形状は、トップレール１８２からソール１９２にかけて、徐々に変化することができる。図１１と図１２とでは、溝３３８と溝３４４との水平断面が、それぞれ示されている。たとえば、溝３３８の領域３７１〜領域３７５は、溝３３２の領域３７１〜領域３７５よりも、それぞれ、長さが短い。同様に、溝３４４の領域３７１〜領域３７５は、溝３３８の領域３７１〜領域３７５よりも、それぞれ、長さが短い。別の実施例では、溝３３８の領域３７１〜領域３７５は、溝３３２の領域３７１〜領域３７５よりも、それぞれ、より浅い深さを有することができる。同様に、溝３４４の領域３７１〜領域２７５は、溝３３８の領域３７１〜領域３７５よりも、それぞれ、より浅い深さを有することができる。
【０１１７】
溝３２２〜溝３３２の領域３７１〜領域３７５の長さ、深さ、及び／又は幅が、トップレール１８２からボール打面３１２の中心にかけて徐々に増加すること、及び／又は溝３３２〜溝３４４の領域３７１〜領域３７５の大きさが、ボール打面３１２の中心からソール１９２にかけて徐々に減少することにより、（図８に示す）中央ストライクゾーン３６０を形成し、中央ストライクゾーン３６０は、アドレスをとった個人が見たときに、ゴルフボールの形状に個々に似ることができる。ゴルフボールの大まかな視覚的表現は、個人がボール打面３１２をボールに揃えることを、助けることができる。溝３６０の最も深い部分を画定する領域３７３は、ボール打面３１２の中心において長さがより長く、トップレール１８２とソール１９２とに向かって、長さを徐々に減少させることができる。同様に、推移領域３７２及び推移領域３７４は、ボール打面３１２の中心において最大の長さを有し、トップレール１８２とソール１９２とに向かって、長さを徐々に減少させることができる。領域３７１〜領域３７５の長さは、ボール打面３１２上の溝３２０の位置によって変化するが、各溝３２０の同様の領域の深さは、同様又は異なってよい。たとえば、溝３４４の最大の深さは、溝３３２の最大の深さと同様であってよい。代替的に、溝３２２〜溝３４４の深さは、ボール打面３１２上の溝３２０の位置に基づいて、変化することができる。さらに代替的に、溝３２２〜溝３４４の深さは、任意の方法で、トップレール１８２からソールにかけて、変化することができる。上記の実施例は、特定の数の水平領域を説明し得るが、本明細書で説明する装置、方法、及び製造品は、より多くの、又はより少ない水平領域を含むことができる。
【０１１８】
図１３に示した別の実施例では、ボール打面４１２は、（具体的には溝４２２〜溝４４４として示す）溝４２０を含む。ボール打面４１２は、パターフェース１１０の一体部分、又はパターフェース１１０に取り付けられる別の部品であってよい。したがって、ボール打面４１２を説明するときには、パター１００とパターヘッド１０２との部分は、上記で説明したものと同じ参照番号を用いて参照される。
【０１１９】
図１４は、溝４３２の概略図を示し、図１５は、図１３の切断線１５−１５から見た、溝４３２の水平断面を示している。溝４３２は、水平に広がった領域４７１と領域４７２とに分けられて示されており、それらは、図１３と図１４とにおいて、溝４３２の境界線と溝４３２の中心における垂直線とによって視覚的に画定されている。水平領域４７１及び水平領域４７２は、トウエンド１８０の近くからヒールエンド１９０の近くにかけて、及び／又はトップレール１８２の近くからソール１９２の近くにかけて、溝４３２の水平断面形状の変化を画定することができる。溝の水平断面形状は、溝の特定の部分の長さ、深さ、幅、断面形状、及び／又は構成材料などの、溝の長さ４９３に沿った溝の任意の特性を指す。図１３〜図１７の実施例では、溝４２０は、溝４２０の長さ４９３を画定する、第１の垂直壁４５０と第２の垂直壁４５２とを含む。溝４２０の各々は、溝４２０の深さを画定する、底面４５４を有する。各溝の深さは、領域４７１と領域４７２とにおける溝４２０の断面形状にしたがって、第１の壁４５０から第２の壁４５２にかけて、変化することができる。各溝４２０は、また、溝４２０の垂直境界を画定する、第１の水平壁４５６と第２の水平壁４５８とを含む。第１の水平壁４５６と第２の水平壁４５８との間の距離は、溝４２０の幅４８０を画定する。幅４８０は、図３８〜図４５の実施例で示す通り、第１の垂直壁４５０から第２の垂直壁４５２にかけて、変化することができる。しかしながら、図１３〜図１７の実施例では、第１の水平壁４５６及び第２の水平壁４５８は、概して一定の幅４８０を画定するために、概ね平行である。
【０１２０】
図１５を参照すると、領域４７１における底面４５４は、線形形状を有し、下向きに傾斜している。溝４５０は、中心垂直軸ｙに対して対称である。したがって、領域４７２における底面４５４は、領域４７１における底面４５４と同様の線形形状を有し、同様に下向きに傾斜している。したがって、溝４２０の深さは、第１の壁４５２と第２の壁４５４とにおける深さ４８２から、溝４２０の中心における深さ４８４に、徐々に増加する。深さ４８４は、溝４２０の最も深い部分を表し、それは、溝４２０の中心にあり得る。
【０１２１】
図１５〜図１７を参照すると、溝４２０の一般的断面形状は、トップレール１８２からソール１９０にかけて、概ね同様なままであってよい。しかしながら、溝４２０の各々の領域４７１と領域４７２との長さ及び／又は深さを含む断面形状は、トップレール１８２からソール１９２にかけて、徐々に変化することができる。たとえば、溝４３８の領域４７１及び領域４７２は、溝３３２の領域４７１と領域４７２とよりも、それぞれ、長さが短い。同様に、溝４４４の領域４７１及び領域４７１は、溝４３８の領域４７１と領域４７２とよりも、それぞれ、長さが短い。別の実施例では、溝４３８の領域４７１及び領域４７２は、溝４３２の領域４７１と領域４７２とよりも、それぞれ、浅い深さを有することができる。同様に、溝４４４の領域４７１及び領域４７２は、溝４３８の領域４７１と領域４７２とよりも、それぞれ、浅い深さを有することができる。
【０１２２】
溝４２２〜溝４３２の領域４７１と領域４７２との長さ、深さ、及び／又は幅が、トップレール１８２からボール打面４１２の中心にかけて、徐々に増加すること、及び／又は溝４３２〜溝４４４の領域４７１と領域４７２との大きさが、ボール打面４１２の中心からソール１９２にかけて、徐々に減少することにより、（図１３に示す）中央ストライクゾーン４６０を形成する。領域４７１及び領域４７２は、ボール打面４１２の中心において最大の長さを有し、トップレール１８２とソール１９２とに向かって、長さを徐々に減少させることができる。領域４７１と領域４７２との長さは、ボール打面４１２上の溝４２０の位置により変化するが、各溝４２０の同様の領域の深さは、同様又は異なってよい。たとえば、溝４４４の最大の深さは、溝４３２の最大の深さと同様であってよい。代替的に、溝４２２〜溝４４４の深さは、ボール打面４１２上の溝４２０の位置に基づいて、変化することができる。さらに代替的に、溝４２２〜溝４４４の深さは、任意の方法で、トップレール１８２からソールにかけて、変化することができる。上記の実施例は、特定の数の水平領域を説明し得るが、本明細書で説明する装置、方法、及び製造品は、より多くの、又はより少ない領域を含むことができる。
【０１２３】
図１８に示した別の実施例では、ボール打面５１２は、（具体的には溝５２２〜溝５４４として示す）溝５２０を含む。ボール打面５１２は、パターフェース１１０の一体部分、又はパターフェース１１０に取り付けられる別の部品であってよい。したがって、ボール打面５１２を説明するときには、パター１００とパターヘッド１０２との部分は、上記で説明したものと同じ参照番号を用いて参照される。
【０１２４】
図１９は、溝５３２の概略図を示し、図２０は、図１８の切断線２０−２０から見た、溝５３２の水平断面を示している。溝５３２は、水平に広がった領域５７１と領域５７２とに分けられて示されており、それらは、図１８と図１９とにおいて、溝５３２の境界線と溝５３２の中心における垂直線とによって視覚的に画定されている。水平領域５７１及び水平領域５７２は、トウエンド１８０の近くからヒールエンド１９０の近くにかけて、及び／又はトップレール１８２の近くからソール１９２の近くにかけて、溝５３２の水平断面形状の変化を画定することができる。溝の水平断面形状は、溝の特定の部分の長さ、深さ、幅、断面形状、及び／又は構成材料などの、溝の長さ５９３に沿った溝の任意の特性を指す。図１８〜図２２の実施例では、溝５２０は、溝５２０の長さ５９３を画定する、第１の垂直壁５５０と第２の垂直壁５５２とを含む。溝５２０の各々は、溝５２０の深さを画定する、底面５５４を有する。各溝の深さは、領域５７１と領域５７２との溝５２０の断面形状にしたがって、第１の壁５５０から第２の壁５５２にかけて、変化することができる。各溝５２０は、また、溝５２０の垂直境界を画定する、第１の水平壁５５６と第２の水平壁５５８とを含む。第１の水平壁５５６と第２の水平壁５５８との間の距離は、溝５２０の幅５８０を画定する。幅５８０は、図３８〜図４５の実施例で示す通り、第１の垂直壁５５０から第２の垂直壁５５２にかけて、変化することができる。しかしながら、図１８〜図２２の実施例では、第１の水平壁５５６及び第２の水平壁５５８は、概して一定の幅５８０を画定するために、概ね平行である。
【０１２５】
図２０を参照すると、領域５７１における底面５５４は、線形形状を有し、下向きに傾斜している。領域５７２における底面５５４も、また、線形形状を有し、下向きに傾斜している。しかしながら、第２の壁５５２が第１の壁５５０よりも長いために、領域５７２における底面５５４は、領域５７１における底面５５４よりも小さな傾きを有する。したがって、本実施例の溝５５０は、垂直中心軸ｙに対して非対称である。したがって、溝２５０は、第１の壁５５０によって画定される第１の深さ５８２と、第２の壁５５２によって画定される第２の深さ５８４と、中心深さ５８６と、を有し、中心深さ５８６は、領域５７１と領域５７２との下向きに傾斜した底面５５４にそれぞれしたがって、深さ５８２と深さ５８４とから徐々に到達される。中心深さ５８６は、溝５２０の最も深い部分の深さであってよい。
【０１２６】
図２０〜図２２を参照すると、溝５２０の一般的断面形状は、トップレール１８２からソール１９０にかけて、概ね同様のままであり得る。しかしながら、溝５２０の各々の領域５７１と領域５７２との長さ、幅、及び／又は深さを含む断面形状は、トップレール１８２からソール１９２にかけて、徐々に変化することができる。図２１と図２２とでは、溝５３８と溝５４４との水平断面が、それぞれ、示されている。たとえば、溝５３８の領域５７１及び領域５７２は、溝５３２の領域５７１と領域５７２とよりも、それぞれ、長さが短い。同様に、溝５４４の領域５７１及び領域５７２は、溝５３８の領域５７１と領域５７２とよりも、それぞれ、長さが短い。別の実施例では、溝５３８の領域５７１及び領域５７２は、溝５３２の領域５７１と領域５７２とよりも、それぞれ、浅い深さを有することができる。同様に、溝５４４の領域５７１及び領域５７２は、溝５３８の領域５７１と領域５７２とよりも、それぞれ、浅い深さを有することができる。
【０１２７】
溝５２２〜溝５３２の領域５７１と領域５７２との長さ、深さ、及び／又は幅が、トップレール１８２からボール打面５１２の中心にかけて、徐々に増加すること、及び／又は溝５３２〜溝５４４の領域５７１と領域５７２との大きさが、ボール打面５１２の中心からソール１９２にかけて、徐々に減少することにより、（図１８に示す）中央ストライクゾーン５６０を形成する。領域５７１及び領域５７２は、ボール打面５１２の中心において最大の長さを有し、トップレール１８２とソール１９２とに向かって、長さを徐々に減少させることができる。領域５７１と領域５７２との長さは、ボール打面５１２上の溝５２０の位置によって変化するが、各溝５２０の同様の領域の深さは、同様又は異なってよい。たとえば、溝５４４の最大の深さは、溝５３２の最大の深さに同様であってよい。代替的に、溝５２２〜溝５４４の深さは、ボール打面５１２上の溝５２０の位置に基づいて、変化することができる。さらに代替的に、溝５２２〜溝５４４の深さは、任意の方法で、トップレール１８２からソールにかけて、変化することができる。上記の実施例は、特定の数の水平領域を説明し得るが、本明細書で説明する装置、方法、及び製造品は、より多くの、又はより少ない水平領域を含むことができる。
【０１２８】
上記で説明した溝２２０、溝３２０、溝４２０、及び溝５２０は、パター１００と共に使用するための溝の水平断面形状の４つの実施例を例示している。水平断面形状の他の実施例を、図２９〜図３７に示し、ここで、各溝は、長さ５９０、第１の深さ５９１、第２の深さ５９２、及び／又は第３の深さ５９３を有することができる。溝を、任意の数の水平領域によって画定することができ、その場合、任意の１つ又は複数の領域は、同様の特性又は異なる特性を有する。ｙ軸に対して対称又は非対称であり得る溝は、たとえば、線形又は非線形の形状の複雑な組み合わせを有する底面を有し、トウエンド１８０からヒールエンド１９０にかけて、同様又はさまざまな深さを画定することができる。そのような溝を、多数の水平領域を用いて説明することができ、その場合、各領域は、述べた複雑な形状のうちの１つ又は複数を画定する。したがって、上記で説明した、水平範囲の数、配置、大きさ、及び他の特性は、本開示による溝の断面形状をまったく限定しない。
【０１２９】
上記の実施例では、各対応するボール打面上の溝は、同様の形状を有する。しかしながら、ボール打面上の溝は、異なる形状を有することができる。たとえば、ボール打面は、溝２２０と溝３２０との組み合わせを含むことができる。別の実施例では、ボール打面は、溝４２０と溝５２０との組み合わせを含むことができる。したがって、溝の断面形状の任意の組み合わせをボール打面上で使用して、特定のボール打特性をパターに与えることができる。
【０１３０】
溝の水平断面形状は、トップレール１８２からボール打面の中心にかけて、徐々に、また比例的に、変化することができ、ボール打面の中心からソール１９２にかけて、徐々に変化することができる。述べた徐々の変化は、ボールストライクゾーンを画定することができ、ボールストライクゾーンは、ボール打面の中心において、トップレール１８２とソール１９２との近くよりも大きい。さらに、溝の水平断面形状の徐々の述べられた変化は、ボール打面の中心とボール打面の中心の周りにおいて、トップレール１８２とソール１９２との近くの溝よりも、より長く深い溝部分を有する溝を提供する。しかしながら、溝の上述の徐々の変化は、例示的であり、他の徐々の変化スキームを使用して、特定のボール打特性を、ボール打面のさまざまな部分に与えることができる。
【０１３１】
図２３を参照すると、別の実施例によるボール打面６１２は、溝６２０を有して示されている。図２４〜図２６は、図２３の切断線２４−２４から見た、溝６２０の垂直断面形状を示している。図２４では、溝６２０の垂直断面形状は、箱型、長方形、又は正方形である。図２５では、溝６２０の垂直断面形状は、Ｖ字型である。図２６では、溝６２０の垂直断面形状は、Ｕ字型である。図２４〜図２６の垂直断面溝形状は、本開示による任意の溝に適用可能である。たとえば、溝２２０の垂直断面形状は、図２４の溝６２０にしたがった長方形又は正方形であってよい。別の実施例では、溝６２０の垂直断面形状は、図２５の溝６２０にしたがったＶ字型であってよい。さらに、溝の垂直断面形状は、トウエンド１８０からヒールエンド１９０にかけて、変化することができる。たとえば、図４と図５とを参照すると、溝２２０は、正方形又は長方形の垂直断面形状を領域２７１と領域２７５とにおいて、Ｕ字型の垂直断面形状を領域２７１と領域２７４とにおいて、Ｖ字型の垂直断面形状を領域２７３において、有することができる。加えて、溝の垂直断面形状は、また、トップレール１８２からソール１９０にかけて、変化することができる。たとえば、トップレール１８２とソール１９２との近くの溝は、正方形の垂直断面形状を有することができ、一方で、クラブフェースの中心における溝は、Ｕ字型の垂直断面形状を有することができる。
【０１３２】
上記の実施例におけるパターのボール打面は、溝を、トップレール１８２からソール１９２にかけて有して示されている。しかしながら、ボール打面は、より多くの、又はより少ない溝を有することができ、又は溝のない部分を有することができる。たとえば、ボール打面は、いくつかの溝を、ボール打面の中心部分で有することができ、トップレール１８２又はソール１９２の近くの部分において、溝がなくてよい。
【０１３３】
溝は、ボール打面に渡って水平の伸びることに限定されない。ボール打面は、上記で説明した、深さの変化する垂直溝、又は可変の水平及び／又は垂直の断面形状を有する、垂直溝と水平溝との組み合わせ、を有することができる。溝の方向は、マトリックス状のボール打面をパター上に提供するようになっていてよい。
【０１３４】
図２７を参照すると、溝７２０を有するボール打面７１２を、３つの部分に、水平に分けることができ、それらは、トウ部分７８０、中心部分７８５、及びヒール部分７９０である。ボール打面７１２は、上記で説明した、ボール打面２１２とボール打面３１２とに同様であってよい。したがって、溝７２０は、上記で説明した溝２２０と溝３２０とにそれぞれ類似の、領域２７１〜領域２７５と領域３７１〜領域３７５とを有する。上記で説明した３つの部分は、ボール打面７１２を水平に分け、トップレール１８２からソール１９２にかけて、垂直に広がる。トウ部分７８０は、トウエンド１８０の近くであり、ヒール部分７９０は、ヒールエンド１９０の近くであり、中心部分７８５は、トウ部分７８０とヒール部分７９０との間である。さまざまな実施例によると、トウ部分７８０とヒール部分７９０とにおける溝７２０の深さは、中心部分７８５における溝７２０の深さよりも大きくなり得ない。一実施例では、トウエンド１８０の最も近く又はヒールエンド１９０の最も近くであり得る、溝７２０の最も浅い深さは、約０．００３インチであってよい。中心部分７８５又はその近くでは、溝７２０の深さは、上述した通り、約０．０１７インチの深さまで増加することができる。変化する深さは、少なくとも０．０２０インチであるが０．０２２インチ未満の深さを有する部分を含むことができる。変化する幅は、少なくとも０．０３５インチであるが０．０３７インチ未満の幅を有する部分を含むことができる。
【０１３５】
図２８を参照すると、ボール打面７１２を、３つの部分に垂直に分けることができ、それらは、トップレール部分７８２、中央部分７８６、及びソール部分７９２である。これらの部分は、ボール打面７１２を垂直に分け、トウエンド１８０からヒールエンド１９０にかけて、水平に広がる。トップレール部分７８２は、トップレール１８２の近くであり、ソール部分７９２は、ソール１９２の近くであり、中央部分７８６は、トップレール部分７８２とソール部分７９２との間である。溝７２０の最も深い部分の長さは、トップレール部分７８２から中央部分７８６にかけて、また、中央部分７８６からソール部分７９２にかけて、変化することができる。たとえば、上記で説明した実施例に関して、溝の最も深い部分の長さは、トップレール部分７８２とソール部分７９２との間の中央近くに位置する溝７２０を指すことができる。図２７と図２８とに示す通り、溝７１０の長さは、中央部分７８６において最大であり得、トップレール部分７８２に向かって、またソール部分７９２に向かって、徐々に減少することができる。
【０１３６】
図２９〜図３７は、本開示による、異なる溝水平断面形状の実施例を示している。上記の実施例では、溝２２０と溝３２０と溝４２０と溝５２０との幅は、長方形の形状を有して示されている。しかしながら、本開示による溝は、図３８〜図４５の実施例によって示す通り、異なる幅の形状を有することができる。したがって、本開示による溝は、任意の水平断面形状、垂直断面形状、幅形状、及び／又は深さ形状を有することができる。
【０１３７】
溝の長さ、深さ、幅、及び／又は断面形状の変化物を含む溝の断面形状は、ボールの速度、制御、及び／又は回転に影響を与えることができる。開示の変化する深さの溝は、パターフェースで打たれた後のボールの速度の一貫性を、プラスチックのパターフェース・インサートよりも約５０％、溝のないアルミニウムのパターフェース・インサートよりも約４０％、改善することができる。ボールを、本開示による溝を有するパターを用いて打つことは、（１）より遅いボール速度という結果になり得、それにより、ボールロールアウト距離の減少という結果になり得、（２）ヒール打ち及びトウ打ちが、中心打ちに比較して、ボール速度が減少するという結果になり得、また、より短いボールロールアウト距離という結果になり得、（３）比較的軽度及び重度の障害を持つプレーヤが、ボールを、パターフェース上の異なる位置で打つことを可能にする（より重度の障害を持つプレーヤは、ボール打面のより下の方で打つ傾向があり、一方で、より軽度の障害を持つプレーヤは、ボール打面のより上の方で打つ傾向がある。また、比較的重度の障害を持つプレーヤは、より広い範囲の打位置を有することができ、一方で、比較的軽度の障害を持つプレーヤは、より狭い範囲の打位置を有することができ、及び／又は（４）フェースの中心に溝を有するパターフェースは、中心打ちにおいて、ボール速度／ロールアウト距離が減少するという結果になり得、それにより、中心／ヒール／トウ打ちにおいて、より一貫したボール速度／ロールアウト距離という結果になり得る。
【０１３８】
図４６を参照すると、可変断面形状の溝を有するパターフェース８１０の別の実施例が、示されている。パターフェース８１０は、１４の溝を有して示されており、それらは、トウエンド１８０の近くの溝８２２〜溝８２８と、パターフェース８１０の中心における溝８３０〜溝８４０と、ヒールエンド１９０の近くの溝８４２〜溝８４８と、にグループ分けされている。本実施例では、より顕著な溝は、パターフェース８１０の中心に配置されており、あまり顕著でない溝は、中心の周辺にある。より顕著な溝は、あまり顕著でない溝に比較して、より大きな深さ及び／又は幅を有する溝を指すことができる。図４６に示す通り、溝８３２〜溝８３８は、パターフェース８１０の残りの溝よりも、より顕著であり得る。さらに、パターフェース８１０の部分は、溝がなくてよい。これらの部分は、参照番号８５０を用いて参照される。
【０１３９】
図４７を参照すると、可変断面形状の溝を有するパターフェース９１０の別の実施例が、示されている。パターフェース９１０は、１０の溝９２２〜溝９４０を有して示されている。各溝の長さは、トップレール１８２からソール１９０にかけて、徐々に増加する。溝９２２〜溝９４０の各々又は溝９２２〜溝９４０のグループは、異なる垂直断面形状を有することができる。たとえば、溝９２２〜溝９３０は、箱型垂直断面を有して示されており、一方で、溝９３２〜溝９４０は、Ｖ字型垂直断面を有して示されている。
【０１４０】
図４８を参照すると、別の実施形態による溝９２２の水平断面が示されている。溝９２２の底面９５４は、溝の縁９５０と縁９５２とから、溝９２２の最大の深さ９５１にかけて、徐々に減少して示されている。本開示による溝のうちの任意のものは、溝９２２と同じ水平断面形状を有することができる。本開示による溝のうちの任意のものは、同じ深さ９５１を有することができる。しかしながら、深さ９５１は、溝の長さが減少するにつれて、比例的に減少することができる。
【０１４１】
図４９に示す別の実施例では、ボール打面１０１２は、（具体的には溝１２２２〜溝１２５６として示す）溝１２２０を含むことができる。ボール打面１０１２は、パター１００と共に使用するためであってよい。したがって、パター１００とパターヘッド１０２との部分は、上記で提示したものと同じ参照番号を用いて参照される。溝は、本開示による断面形状と、長さと、幅と、を有することができる。
【０１４２】
図４９を参照すると、別の実施例による、溝１２２０を有するボール打面１０１２の側断面図が示されている。ボール打面１０１２を、溝１２２０に対して２つの部分に分けることができる。ボール打面１０１２は、トップレール部分１２８２とソール部分１２８６とを含むことができる。トップレール部分１２８２及びソール部分１２８６は、ボール打面１０１２を垂直に分け、トウエンド１８０からヒールエンド１９０にかけて、水平に広がることができる。トップレール部分１２８２は、中心線１２８４によって表されるボール打面１０１２の中心部分からトップレール１８２の近くにかけて、一般に伸び、溝１２２２を含むことができる。ソール部分１２８６は、ソール１９２の近くから中心部分１２８４にかけて、一般に伸び、溝１２２４を含むことができる。ソール部分１２８６の溝１２２４は、各溝１２２４に沿った１つ又は複数の場所において、トップレール部分１２８２の溝１２２２よりも大きな深さを有することができる。より浅い溝１２２２をトップレール部分１２８２において有することによって、パターによって打たれた後にゴルフボールが前方に転がる速度は、より一貫し、滑らかなボールのロールアウトを提供するように、増加することができる。代替的に、溝１２２０の深さは、中心部分１２８４から（図示しない）トップレール１８２にかけて、１つ又は複数の溝において段階的に、徐々に減少することができる。別の実施例では、溝のペアの深さは、中心部分１２８４から（図示しない）トップレール１８２にかけて、徐々に減少することができる。したがって、溝の深さがソール１９２からトップレール１８２にかけて減少することは、各溝、溝のペア、又は溝のさまざまなグループに対してであってよい。
【０１４３】
図５０を参照すると、ソール部分１２８６の溝１２２４は、各溝１２２４に沿った１つ又は複数の位置において、トップレール部分１２８２の溝１２２２よりも小さな深さを有することができる。代替的に、溝１２２０の深さは、中心部分１２８４及び／又はソール１９２から（図示しない）トップレール１８２にかけて、１つ又は複数の溝において段階的に、徐々に増加することができる。別の実施例では、溝のペアの深さは、中心部分１２８４及び／又はソール１９２から（図示しない）トップレール１８２にかけて、徐々に増加することができる。したがって、溝の深さが中心部分１２８４及び／又はソール１９２からトップレール１８２にかけて増加することは、各溝、溝のペア、又は溝のさまざまなグループに対してであってよい。
【０１４４】
図５１及び図５２は、本開示による他の実施例を示している。図５１を参照すると、パターヘッド１３００は、複数の水平溝１３２０と垂直溝１３２２とを有する、ボール打面１３１２を含む。溝１３２０と溝１３２２との各々は、可変断面形状、深さ形状、幅形状、長さ形状、及び／又は他の溝の特性などの、別の溝と比べて異なる構成を、トウエンド１３８０からヒールエンド１３９０の近くにかけて、及び／又はトップレール１３８２からソール１３９２にかけて、有することができる。たとえば、水平溝１３２０の深さは、トップレール１３８２からソール１３８６にかけて、１つ又は複数の溝において段階的に、増加することができる。本明細書で説明する装置、方法、及び製造品は、この点において限定されない。
【０１４５】
図５２を参照すると、パターヘッド１４００は、ボール打面１４１２を含み、ボール打面１４１２は、複数の第１の斜め溝１４２０と第２の斜め溝１４２２とを有する。第１の斜め溝１４２０は、互いに概ね平行であってよい。同様に、第２の斜め溝１４２２は、互いに概ね平行であってよい。第１の斜め溝１４２０及び第２の斜め溝１４２２は、図５２に示す通り、互いを横断していてよい。たとえば、第１の斜め溝１４２０は、第２の斜め溝１４２２と、３０°、４５°、６０°、又は９０°の角度で交差することができる。溝１４２０と溝１４２２との各々は、可変断面形状、深さ形状、幅形状、長さ形状、及び／又は他の溝の特性などの、別の溝と比べて異なる構成を、トウエンド１４８０からヒールエンド１４９０の近くにかけて、及び／又はトップレール１４８２からソール１４９２にかけて、有することができる。たとえば、第１の斜め溝１４２０の深さは、１つ又は複数の溝において段階的に、トップレール１４８２からソール１４８６にかけて、徐々に増加することができる。図６８及び図６９は、パターヘッド１４００の実施形態の変形例を示す。本明細書で説明する装置、方法、及び製造品は、この点において限定されない。
【０１４６】
図５４を参照すると、別の実施例によるボール打面２２１２が示されている。ボール打面２２１２を、３つの部分に垂直に分け、３つの部分によって画定することができ、それらは、トップレール部分２２８２、中央部分２２８６、及びソール部分２２９２である。トップレール部分２２８２、中央部分２２８６、及びソール部分２２９２は、ボール打面２２１２を垂直に分け、トウエンド１８０からヒールエンド１９０にかけて、を水平に広がる。トップレール部分２２８２は、トップレール１８２の近くであり、ソール部分２２９２は、ソール１９２の近くであり、中央部分２２８６は、トップレール部分２２８２とソール部分２２９２との間である。図５４では、ボール打面２２１２は、１２の溝２２２２〜溝２２４４を有することができ、それらを、集合的に溝２２２０と呼ぶことができる。たとえば、溝２２２２、溝２２２４、溝２２２６、及び溝２２２８は、トップレール部分２２８２内にあるとみなすことができ、溝２２３０、溝２２３２、溝２２３４、及び溝２２３６は、中央部分２２８６内にあるとみなすことができ、溝２２３８、溝２２４０、溝２２４２、及び溝２２４４は、ソール部分２２９２内にあるとみなすことができる。しかしながら、溝２２２０のうちの１つ又は複数は、３つの垂直に分けられた部分の２つの隣接部分内にある、つまり、溝２２２０の一部が隣接する部分に重なる、とみなすことができる。溝２２２０の長さは、中央部分２２８６において最大であってよく、トップレール部分２２８２に向かって、またソール部分２２９２に向かって、徐々に減少することができる。代替的に、溝２２２０の長さは、ボール打面２２１２の周囲形状にしたがって、変化することができる。トップレール部分２２８２、中央部分２２８６、及びソール部分２２９２は、例示的であり、ボール打面２２１２上の部分を画定することができ、そのような部分に配置され得る溝２２２０は、１つ又は複数の同様の構成又は特徴を有する。したがって、ボール打面２２１２を、１つ又は複数の溝の構成又は特徴に関連する、さまざまな垂直部分及び／又は水平部分によって、画定することができる。本明細書で説明する装置、方法、及び製造品は、この点において限定されない。
【０１４７】
図５５は、溝２２３４における、ボール打面２２１２の水平断面を示している。各溝２２２０は、底面２２５５を有する中心部分２２５４を含むことができ、底面２２５５は、溝２２２０の最大の深さ２２５７を画定することができる。中心部分２２５４は、長さ２２５９を有し、長さ２２５９は、ボール打面２２１２上の溝２２２０の位置によって、変化することができる。図５４の実施例では、中央部分２２８６の溝２２２０の中心部分２２５４は、概ね同じ長さを有する。本明細書で説明する装置、方法、及び製造品は、この点において限定されない。
【０１４８】
ボール打面２２１２の中心を、ｙ軸２２６１によって画定することができる。ｙ軸２２６１は、また、図５４と図５５とに示す通り、中心部分２２５４の中心軸を画定することができる。しかしながら、中心部分２２５４は、ｙ軸２２６１に対して、（図示しない）オフセットされてよい。図５５の実施例によると、溝２２３０と溝２２３２と溝２２３４と溝２２３６との底面２２５５の各々は、ｙ軸２２６１から、トウエンド１８０に向かって、またヒールエンド１９０に向かって、実質的に等しく伸びる。図５５に示す通り、ｙ軸２２６１と中心部分２２５４のトウエッジ部分２２６４との間の距離を、長さ２２６２と画定することができる。トウエッジ部分２２６４を、ｙ軸２２６１とトウエンド１９０との間の溝の部分として画定することができ、溝の深さは、深さ２２５７から増加し、溝の開口部又は最上部にかけて推移する。ｙ軸２２６１と中心部分２２５４のヒールエッジ部分２２６８との間の距離を、長さ２２６６と画定することができる。ヒールエッジ部分２２６８を、ｙ軸２２６１とヒールエンド１８０との間の溝の部分として画定することができ、溝の深さは、深さ２２５７から増加し、溝の開口部又は最上部にかけて推移する。図５４と図５５との実施例によると、長さ２２６２は、長さ２２６６と実質的に同じである。図５４に示すボール打面２２１２を有するパターは、まっすぐなパットストロークを有する個人にとって適切であり得る。
【０１４９】
図５６を参照すると、別の実施例によるボール打面３２１２が示されている。ボール打面３２１２を、３つの部分に垂直に分け、３つの部分によって画定することができ、それらは、トップレール部分３２８２、中央部分３２８６、及びソール部分３２９２である。トップレール部分３２８２、中央部分３２８６、及びソール部分３２９２は、ボール打面３２１２を垂直に分け、トウエンド１８０からヒールエンド１９０にかけて、水平に広がる。トップレール部分３２８２は、トップレール１８２の近くであり、ソール部分３２９２は、ソール１９２の近くであり、中央部分３２８６は、トップレール部分３２８２とソール部分３２９２との間である。図５６では、ボール打面３２１２は、１２の溝３２２２〜溝３２４４を有することができ、それらを、集合的に溝３２２０と呼ぶことができる。たとえば、溝３２２２、溝３２２４、溝３２２６、及び溝３２２８は、トップレール部分３２８２内にあるとみなすことができ、溝３２３０、溝３２３２、溝３２３４、及び溝３２３６は、中央部分３２８６内にあるとみなすことができ、溝３２３８、溝３２４０、溝３２４２、及び溝３２４４は、ソール部分３２９２内にあるとみなすことができる。しかしながら、溝３２２０のうちの１つ又は複数は、３つの垂直に分けられた部分のうちの２つの隣接する部分内にある、つまり、溝３２２０の一部が隣接する部分に重なる、とみなすことができる。溝３２２０の長さは、中央部分３２８６において最大であってよく、トップレール部分３２８２に向かって、またソール部分３２９２に向かって、徐々に減少することができる。代替的に、溝３２２０の長さは、ボール打面３２１２の周囲形状にしたがって、変化することができる。トップレール部分３２８２、中央部分３２８６、及びソール部分３２９２は、例示的であり、ボール打面３２１２上の部分を画定することができ、そのような部分内に配置され得る溝３２２０は、１つ又は複数の同様の構成又は特徴を有する。したがって、ボール打面３２１２を、１つ又は複数の溝の構成又は特徴に関連する、さまざまな垂直部分及び／又は水平部分によって画定することができる。本明細書で説明する装置、方法、及び製造品は、この点において限定されない。
【０１５０】
図５７は、溝３２３４における、ボール打面３２１２の水平断面を示している。各溝３２２０は、底面３２５５を有する中心部分３２５４を含むことができ、底面３２５５は、溝３２２０の最大の深さ３２５７を画定することができる。中心部分３２５４は、長さ３２５９を有し、長さ３２５９は、ボール打面３２１２上の溝３２２０の位置によって、変化することができる。図５６の実施例では、中央部分３２８６の溝３２２０の中心部分３２５４は、概ね同じ長さを有する。本明細書で説明する装置、方法、及び製造品は、この点において限定されない。
【０１５１】
ボール打面３２１２の中心を、ｙ軸３２６１によって画定することができる。ｙ軸３２６１は、また、図５６と図５７とに示す中心部分３２５４の中心軸を画定することができる。しかしながら、中心部分３２５４は、ｙ軸３２６１に対して、（図示しない）オフセットされてよい。図５７の実施例によると、溝３２３０と溝３２３２と溝３２３４と溝３２３６との底面３２５５との各々は、トウエンド１８０に向かってｙ軸３２６１から、図５４の溝２２３４の底面２２５５よりも長い長さで伸びる。図５７に示す通り、ｙ軸３２６１と中心部分３２５４のトウエッジ部分３２６４との間の距離を、長さ３２６２として画定することができる。トウエッジ部分３２６４を、ｙ軸３２６１とトウエンド１９０との間の溝の部分として画定することができ、溝の深さは、深さ３２５７から増加し、開口部又は溝の最上部まで推移する。ｙ軸３２６１と中心部分３２５４のヒールエッジ部分３２６８との間の距離を、長さ３２６６として画定することができる。ヒールエッジ部分３２６８を、ｙ軸３２６１とヒールエンド１８０との間の溝の部分として画定することができ、溝の深さは、深さ３２５７から増加し、開口部又は溝の最上部まで推移する。図５７の実施例によると、長さ３２６２は、図５５の長さ２２６６よりも長い。長さ３２６２は、また、長さ３２６６よりも長くてよい。代替的に、長さ３２６２は、長さ３２６６と実質的に同様であってよいが、図５５の長さ２２６６よりも長い。したがって、図５６のボール打面３２１２の溝３２２０の一部又は全部のうちの最も深い部分は、トウエンド１９０に向かって、図５４のボール打面２２１２の溝２２２０の最も深い部分よりも伸びる。図５６に示すボール打面３２１２を有するパターは、わずかに弧を描くパットストロークを有する個人にとって適切であり得る。
【０１５２】
図５８を参照すると、別の実施例によるボール打面４２１２が示されている。ボール打面４２１２を、３つの部分に垂直に分け、３つの部分によって画定することができ、それらは、トップレール部分４２８２、中央部分４２８６、及びソール部分４２９２である。トップレール部分４２８２、中央部分４２８６、及びソール部分４２９２は、ボール打面４２１２を垂直に分け、トウエンド１８０からヒールエンド１９０にかけて、水平に広がる。トップレール部分４２８２は、トップレール１８２の近くであり、ソール部分４２９２は、ソール１９２の近くであり、中央部分４２８６は、トップレール部分４２８２とソール部分４２９２との間である。図５８では、ボール打面４２１２は、１２の溝４２２２〜溝４２４４を有することができ、それらを、集合的に溝４２２０と呼ぶことができる。たとえば、溝４２２２、溝４２２４、溝４２２６、及び溝４２２８は、トップレール部分４２８２内にあるとみなすことができ、溝４２３０、溝４２３２、溝４２３４、及び溝４２３６は、中央部分４２８６内にあるとみなすことができ、溝４２３８、溝４２４０、溝４２４２、及び溝４２４４は、ソール部分４２９２内にあるとみなすことができる。しかしながら、溝４２２０のうちの１つ又は複数は、３つの垂直に分けられた部分の２つの隣接する部分内にある、つまり、溝４２２０の一部が隣接する部分に重なる、とみなすことができる。溝４２２０の長さは、中央部分４２８６において最大であってよく、トップレール部分４２８２に向かって、またソール部分４２９２に向かって、徐々に減少することができる。代替的に、溝４２２０の長さは、ボール打面４２１２の周囲形状にしたがって、変化することができる。トップレール部分４２８２、中央部分４２８６、及びソール部分４２９２は、例示的であり、ボール打面４２１２上の部分を画定することができ、そのような部分内に配置され得る溝４２２０は、１つ又は複数の同様の構成又は特徴を有する。したがって、ボール打面４２１２を、１つ又は複数の溝の構成又は特徴に関連する、さまざまな垂直部分及び／又は水平部分によって画定することができる。本明細書で説明する装置、方法、及び製造品は、この点において限定されない。
【０１５３】
図５９は、溝４２３２における、ボール打面４２１２の水平断面を示している。各溝４２２０は、底面４２５５を有する中心部分４２５４を含むことができ、底面４２５５は、溝４２２０の最大の深さ４２５７を画定することができる。中心部分４２５４は、長さ４２５９を有し、長さ４２５９は、ボール打面４２１２上の溝４２２０の位置によって、変化することができる。図５８の実施例では、中央部分４２８６の溝４２２０の中心部分４２５４は、概ね同じ長さを有する。本明細書で説明する装置、方法、及び製造品は、この点において限定されない。
【０１５４】
ボール打面４２１２の中心を、ｙ軸４２６１によって画定することができる。ｙ軸４２６１は、また、図５８と図５９とに示す中心部分４２５４の中心軸を画定することができる。しかしながら、中心部分４２５４は、ｙ軸４２６１に対して、（図示しない）オフセットされてよい。図５９の実施例によると、溝４２３０と溝４２３２と溝４２３４と溝４２３６との底面４２５５の各々は、トウエンド１８０に向かってｙ軸４２６１から、図５６の溝３２３４の底面３２５５よりも長い長さで伸びる。図５９に示す通り、ｙ軸４２６１と中心部分４２５４のトウエッジ部分４２６４との間の距離を、長さ４２６２として画定することができる。トウエッジ部分４２６４を、ｙ軸４２６１とトウエンド１９０との間の溝の部分として画定することができ、溝の深さは、深さ４２５７から増加し、溝の開口部にまで推移する。ｙ軸４２６１と中心部分４２５４のヒールエッジ部分４２６８との間の距離を、長さ４２６６と画定することができる。ヒールエッジ部分４２６８を、ｙ軸４２６１とヒールエンド１８０との間の溝の部分として画定することができ、溝の深さは、深さ４２５７から増加し、溝の開口部にまで推移する。図５９の実施例によると、長さ４２６２は、図５７の長さ３２６６よりも長く、したがって、図５５の長さ２２６６よりも長い。長さ４２６２は、長さ４２６６よりも長くてよい。代替的に、長さ４２６２は、長さ４２６６と実質的に同様であってよいが、図５７の長さ３２６６よりは長い。したがって、図５８のボール打面４２１２の溝４２２０の一部又は全部のうちの最も深い部分は、トウエンド１９０に向かって、図５６のボール打面３２１２の溝３２２０の最も深い部分よりも伸びる。図５８に示すボール打面４２１２を有するパターは、強い弧を描くパットストロークを有する個人にとって適切であり得る。
【０１５５】
図５４〜図５９の実施例によると、個人の能力を個人のパットストロークに基づいて最適化するように、パター上の溝を構成することができる。個人のパットストロークにおける弧の程度により、本明細書で説明する溝のうちの任意のものをパター上に提供して、溝の深さを一般に画定する溝の全部のうちのいくつかの部分が、パターの打面の中心部分からトウエンドにかけて、特定の長さで伸びて、パターを使用したときの個人の能力を最適化するようにする。したがって、溝の最も深い部分の長さを、個人のパットストロークにおける弧の程度に比例させることができる。たとえば、強く弧を描くパットストロークとわずかに弧を描くパットストロークとの間のパットストロークを有する個人に対して、溝の深さを一般に画定する溝の部分は、ｙ軸からトウエンド１９０に向かって、ボール打面３２１２の溝３２３０と溝３２３２と溝３２３４と溝３２３６とよりも長いが、ボール打面４２１２の溝４２３０と溝４２３２と溝４０３４と溝４０３６とよりも短く、伸びることができる。図５４〜図５９の実施例では、溝の深さを画定する打面の中央部分の溝の部分は、個人のパットストロークのタイプに基づいて異なる。しかしながら、トップレール部分とソール部分との溝を含む打面上の溝の全部を、個人のパットストロークのタイプに基づいた上記の実施例にしたがって、構成することができる。さらに、図５４〜図５９の実施例による溝は、任意の形状又は構成を有することができる。たとえば、図５４〜図５９の実施例によるボール打面は、図５〜図７、図１０〜図１２、図１５〜図１７及び／又は図３１〜図３５の溝の実施例による溝断面形状を有することができる。本明細書で説明する装置、方法、及び製造品は、この点において限定されない。
【０１５６】
図５４〜図５９の実施例によるゴルフクラブヘッド、ボール打面、及び／又は溝は、本明細書で説明する、方法のうちの任意のものによって、及び／又は材料のうちの任意のものを用いて、製造され得る。各溝は、約０．０３２インチ（０．０８１ｃｍ）の幅を有することができ、約０．００３インチ（０．００８ｃｍ）と約０．０１７インチ（０．０４３ｃｍ）との間の深さを有することができる。本明細書で詳細に説明する通り、ボール打面２２１２、ボール打面３２１２、又はボール打面４２１２の任意のものは、ゴルフクラブヘッド又はゴルフクラブヘッド内の対応する形状のくぼみへのインサートという形態であってよい。インサートは、基準面を画定し得るゴルフクラブヘッドのフェースの残りの部分と同一平面上にあってよい。したがって、ボール打面の溝は、ゴルフクラブヘッドの中にそれ、又は基準面の下である。代替的に、インサートの全部又は一部は、溝の全部又は一部が基準面の上に位置するように、基準面から突出することができる。パターなどの１つ又は複数のゴルフクラブで取り換え可能なボール打面を有することによって、ゴルフクラブヘッドのボール打面を、個人の能力を向上させるために、自身のパットスタイルに基づいて別のボール打面に交換することができる。たとえば、パットスタイルが特定の期間の間に変化した個人は、自身のパターのボール打面を、本開示による別のボール打面と交換し、パターが、個人の現在のパットスタイルにより良く合うようにすることができる。取り換え可能なボール打面を有する代わりに、図５４〜図５９の例示的溝を含む本明細書で説明する溝のうちの任意のものを、ゴルフクラブヘッド上に製造することができる。本明細書で説明する装置、方法、及び製造品は、この点において限定されない。
【０１５７】
図６０に示す別の実施例では、ボール打面５２１２は、（具体的には溝５２２２〜溝５２４４として示す）溝５２２０を含むことができる。ボール打面５２１２は、パターフェース１１０の一体部分、又はパターフェース１１０に取り付けられる別の部分であってよい。したがって、ボール打面５２１２を説明するときには、パター１００とパターヘッド１０２との部分を、上記で説明したものと同じ参照番号を用いて参照する。本明細書で説明する他の実施例と同様に、各溝５２２０の深さ、長さ、及び／又は幅は、パターヘッド１０２の、トウエンド１８０からヒールエンド１９０にかけて、及び／又はトップレール１８２からソール１９２にかけて、増加、減少、及び／又は変化することができる。本明細書で説明する装置、方法、及び製造品は、この点において限定されない。
【０１５８】
図６１は、溝５２３２の概略平面図を示しており、図６２は、以下で説明する溝５２２０の構成を例示するために、溝５２３２の水平断面を示している。溝５２２０の各々は、溝の垂直境界を画定する、第１の水平壁５２５６と第２の水平壁５２５８とを含む。各溝５２２０は、また、第１の端壁５２５０と第２の端壁５２５２とを含むことができる。溝５２２０の各々は、溝５２２０の深さ５２５５を画定する、底面５２５４を有する。各溝５２２０の深さ５２５５は、第１の壁５２５０から第２の壁５２５２にかけて、変化することができる。溝５２２０は、端壁を有しないことがあり、それは、各溝５２２０の深さが、底面５２５４がボール打面５２１２に触れるまで、徐々に減少し得るからである。溝に沿った任意の位置における第１の水平壁５２５６と第２の水平壁５２５８との間の距離は、その位置における溝５２２０の幅５２８０を画定する。第１の端壁５２５０と第２の端壁５２５２との間の距離は、溝５２２０の長さ５２９３を画定する。
【０１５９】
各溝５２２０の幅５２８０の変化に対する各溝５２２０の深さ５２５５の変化は、溝５２２０を製造するために使用される切削ツールに依存し得る。一実施例によると、溝の幅の変化は、溝の長さに沿った溝の深さの変化に類似であってよい。たとえば、溝の深さの１ミリの増加毎に、溝の幅も、また、１ミリずつ増加する。別の実施例によると、溝の深さは、溝の長さに沿った溝の幅の変化の倍数で変化し得る。たとえば、溝の深さが１ミリ増加する毎に、溝の幅は、０．５ミリずつ増加する。したがって、各溝の深さの変化は、各溝の長さに沿った各溝の幅の変化に線形に関連し得る。
【０１６０】
図６３は、材料に溝を切るための切削ブレード５３０１を有する、典型的な切削ビット５３００を示している。マシンは、切削ブレード５３０１が材料に穴を開けることができるように、切削ビット５３００を回転させ、マシンは、切削される材料を動かし、又は切削ビット５３００を動かして、溝を、移動の経路に沿って作る。切削ビット５３００は、角度５３０２を有し、角度５３０２は、図６４と図６５とに示す、切削ブレード５３０１によって切削される溝の角度５３０４を画定する。図６３の例示的な切削ビットは、約９０°の角度５３０２を有し、それは、図６５に示す溝を、約９０°の角度５３０４で切削することができる。図６４は、約６０°の溝角度５３０４を有する溝を示している。図６４の溝を切るための（図示しない）切削ビットは、約６０°の角度を有する切削ビットを有する。
【０１６１】
各溝の深さをｙ、各溝の幅をｘ、及び切削ブレードの角度をαで示すと、各溝の長さに沿った、各溝の深さと各溝の幅との関係を、以下によって表すことができる。
【数１】
2020529277.tif 000003
【０１６２】
溝の長さに沿った、各溝の深さに対する各溝の幅の変化を、以下によって表すことができる。
【数２】
2020529277.tif 000004
【０１６３】
方程式（２）によると、切削ブレード５３０１が約９０°の角度を有するとき、溝の幅は、溝の深さに対して、溝の長さに沿って、２倍で変化する。たとえば、溝の深さが１ミリ増加する毎に、溝の幅は、２ミリずつ増加する。切削ブレードが６０°の角度を有するとき、溝の幅は、溝の深さに対して、約１．１５倍で変化する。たとえば、溝の深さが１ミリ増加する毎に、溝の幅は、１．１５ミリずつ増加する。切削ブレードが３０°の角度を有するとき、溝の幅は、溝の深さに対して、約０．５４倍で変化する。たとえば、溝の深さが１ミリ増加する毎に、溝の幅は、約０．５４ミリずつ増加する。したがって、切削ツールを用いて各溝を切ることは、溝の長さに沿って互いに対して線形に変化する、幅と深さとを有する溝を提供する。
【０１６４】
方程式（２）によると、図６１に示す溝の幅形状は、図６２による溝の深さ形状に類似の形状であってよい。言い換えると、溝が、１つの端壁５２５０又は端壁５２５２から溝の中心部分にかけて深くなるにつれて、溝の幅も、また、溝の角度又は切削ツールの角度に関連する倍数で増加する。したがって、溝の幅は、溝の長さに沿った溝の深さの変化に対して、線形に変化し、溝の幅形状及び深さ形状は、同様であってよい。
【０１６５】
方程式（２）によると、溝の幅の変化に対する溝の深さの変化は、線形である。しかしながら、溝の幅の変化に対する溝の深さの変化は、一定又は非線形であってよい。溝を製造するための１つ又は複数の切削ツールを使用して、溝の深さが、溝の幅の変化に対して、非線形の関係にしたがって、変化するようにすることができる。たとえば、溝の幅の変化に対する溝の深さの変化を、以下の方程式によって画定することができる。
【数３】
2020529277.tif 000005
【０１６６】
方程式（３）によると、溝の幅は、溝の深さの平方根の２倍であり、以下の方程式によって表すことができる。
【数４】
2020529277.tif 000006
【０１６７】
したがって、溝の深さの変化と幅の変化との間の関係は、非線形であってよい。別の実施形態によると、溝の深さ及び／又は断面形状は、変化することができるが、溝の幅は、一定のままであってよい。たとえば、溝は、溝の深さが溝の一端から溝の他方の端にかけて変化する一方で、溝の幅が一定のままである、正方形の断面形状を有することができる。別の実施例によると、溝の幅は、溝の一端から溝の他方の端にかけて、一定のままであってよいが、溝の断面形状及び／又は深さは、溝の一端から溝の他方の端にかけて、変化することができる。別の実施形態によると、溝の深さは、溝の一端から溝の他方の端にかけて、一定のままであってよいが、溝の幅は、溝の一端から溝の他方の端にかけて、変化する及び／又は一定のままである。
【０１６８】
図６６と図６７とに示した別の実施例によると、溝５３２０の深さ５３５５は、溝の中心部分５３５６などの溝の部分に沿って、一定であってよい。したがって、溝の幅５３８０は、また、上記で詳細に説明した通り、溝５３５６の中心部分に沿って一定である。図６６と図６７との溝５３２０を製造するために、切削ツール５３００などの切削ツールは、溝の中心部分５３５６において一定の深さ５３５５で使用され、したがって、溝５３２０の中心部分５３５６において、一定の幅５３８０という結果になる。
【０１６９】
パターの重心近くでより深く、より広い溝を有する溝エリアは、より速い予測ボール速度を提供することができ、一方で、トー部分とヒール部分との近くのより浅く、より狭い溝エリアは、より遅い予測ボール速度を提供することができる。さらに、パターの中心部分におけるより大きな溝の幅及び深さは、ゴルフボールとの接点における質量を減らすことができ、それによって、各可能性のある接点における質点を同等とみなすことによって、ボール速度をパターフェース内で正規化し、中心からずれた当たり、トー、ヒール、ハイ、又はローでの当たりでも、ボール速度が、パターフェースの中心に当たった場合と一般に同じになるようにする。
【０１７０】
図６３の切削ツールは、例示的な切削ツールである。異なる形状を有する他の切削ツールを使用することができ、したがって、異なる形状の溝という結果になる。図６３の切削ツールは、Ｖ字型であり、これは、Ｖ字型溝という結果になる。しかしながら、（図示しない）Ｕ字型切削ツールは、Ｕ字型溝という結果になり得る。一実施形態によると、平坦な先又は先端を有する切削ツールを、底部が平坦な溝を製造するために使用することができる。たとえば、切削ツールは、とがった先の代わりに平坦な先を有するＶ字型切削ツールであってよい。したがって、平坦な底部を有するＶ字型溝を製造することができる。したがって、溝の底部は、実質的に、点（つまり、幅をほとんど有さない）から、溝の幅（つまり、長方形又は正方形の断面の溝形状）と同じ幅まで、であってよい。一実施例によると、溝の底部は、平坦であってよく、約０．００３インチ（０．００７６センチメートル）の幅を有することができる。平坦な底部を有する溝は、パット能力を向上させることができる。溝を、上記で説明した１つの切削ツール又は複数の切削ツールを使用することによって製造することができる。たとえば、複数の切削ツールを使用して１つの溝を製造し、溝の一端から溝の他方の端にかけて、異なる溝の断面形状及び／又は寸法を、提供することができる。
【０１７１】
図６８〜７１を参照すると、パターヘッド１８００は、複数の第１の湾曲溝１８２０及び第２の湾曲溝１８２２を有するボール打面１８１２を備えている。第１の溝１８２０の第１の湾曲方向１８１４は、第２の溝１８２２の第２の湾曲方向１８１６と概ね反対であってもよい。第１の溝１８２０の第１の湾曲方向１８１４及び第２の溝１８２２の第２の湾曲方向１８１６は、トウエンド１８８０からヒールエンド１８９０まで同じであってもよく（図７１に示される）、又は、第１の溝１８２０の第１の湾曲方向１８１４及び第２の溝１８２２の第２の湾曲方向１８１６は、トウエンド１８８０からヒールエンド１８９０まで変化してもよい（図７０に示される）。他の例では、第１の溝１８２０の第１の湾曲方向１８１４及び第２の溝１８２２の第２の湾曲方向１８１６は、ソール１８９２からトップレール１８８２まで同じであってもよく（図８４に示される、又は、第１の溝１８２０の第１の湾曲方向１８１４及び第２の溝１８２２の第２の湾曲方向１８１６は、ソール１８９２からトップレール１８８２まで変化してもよい。第１の湾曲溝１８２０は、１つ以上の第２の湾曲溝１８２２に沿った任意の点又は複数の点で第２の湾曲溝１８２２と交差してもよい。溝１８２０，１８２２のそれぞれは、可変断面プロファイル、深さプロファイル、幅プロファイル、長さプロファイル、及び／又は、上述のパターヘッドの溝（例えば、１３００及び１４００）と同様な、トウエンド１８８０からヒールエンド付近まで及び／又はトップレール１８８２からソール１８９２までの他の溝特性など、別の溝と比較して異なる構成を有してもよい。例えば、第１の湾曲溝１８２０の深さは、１つ以上の溝毎にトップレール１８８２からソール１８９２まで次第に増加してもよい。本明細書に記載の装置、方法及び製品は、この点に関して限定されない。
【０１７２】
図７２〜７５は、本発明の別の実施形態によるボール打面１５００を有するパター１００の別の例を示す。新しい実施形態を説明する場合、パター１００のいくつかの部分は、上記と同じ参照番号で参照される。ボール打面１５００は、複数のランド１５１５及び複数の楕円形溝１５２０を画定するパターン１５１０を含む。ランド１５１５及び楕円形溝１５２０は、最も内側のランド１５１６又は最も内側の楕円形溝１５２１の幾何学的中心１５１１で始まる。ランド１５１５と楕円形溝１５２０は、幾何学的中心１５１１から外向きに交互に続いている。幾何学的中心１５１１は、トウエンド１８０、トップレール１８２、ヒールエンド１９０及びソール１９２に対して位置合わせされるボール打面１５００に対して位置決めされる。幾何学的中心１５１１は、パターヘッド１０２の実際の幾何学的中心であっても、そうでなくてもよい。
【０１７３】
図７２に示すように、ボール打面１５００は、複数のランド１５１５及び複数の楕円形溝１５２０を画定するパターン１５１０を含む。図に示すように、ボール打面１５００は、７つのランド１５１５と７つの楕円形溝１５２０を含む。しかしながら、他の実施形態では、ボール打面１５００は、図示された７つのランド１５１５よりも多い又は少ないランド１５１５を含むことができ、図示された７つの楕円形溝１５２０より多い又は少ない楕円形溝１５２０を含むことができる。例えば、ボール打面１５００は、１個の楕円形溝、１個のランド１５１５、２個の楕円形溝、２個のランド１５１５、３個の楕円形溝、３個のランド１５１５、４個の楕円形溝、４個のランド１５１５、５個の楕円形溝、５個のランド１５１５、６個の楕円形溝、６個のランド１５１５、７個の楕円形溝、７個のランド１５１５、８個の楕円形溝、８個のランド１５１５、９個の楕円形溝、９個のランド１５１５、１０個の楕円形溝、１０個のランド１５１５、１１個の楕円形溝、１１個のランド１５１５、１２個の楕円形溝、１２個のランド１５１５、又は、それ以上を含むことができる。
【０１７４】
図７２に示すように、パターン１５１０は、長軸１５６０と短軸１５６４を規定する。長軸１５６０は、楕円形溝１５２０が最も大きい直径で測定される場所であり、一方、短軸１５６４は、楕円形溝１５２０が最も小さい直径で測定される場所である。長軸は、幾何学的中心１５１１を通り、トウエンド１８０からヒールエンド１９０まで伸びている。短軸１５６４は、幾何学的中心１５１１を通り、トップレール１８２からソール１９２まで伸びている。他の実施形態では、長軸１５６０は、幾何学的中心１５１１を通り、トップレール１８２およびソール１９２に沿って伸びてもよく、一方、短軸１５６２は、幾何学的中心１５１１を通り、トウエンド１８０を通ってヒールエンド１９０まで伸びてもよい。
【０１７５】
図７３〜７５に示されるように、楕円形溝１５２０のそれぞれは、ボール打面１５００の表面に対する楕円形溝１５２０の深さを画定する底面１５５４を有する。楕円形溝１５２０の深さは、０．００１インチから０．０２０インチ（例えば、０．００２、０．００４、０．００６、０．００８、０．０１０、０．０１２、０．０１４、０．０１６、０．０１８又は０．０２０）の範囲であり得る。楕円形溝１５２０の深さは、ボール打面１５００の全体にわたって変化する。楕円形溝１５２０の深さは、楕円形溝１５２０がトップレール１８２から幾何学中心１５１１に移動するにつれて次第に増加し、楕円形溝が幾何学中心１５１１からソール１９２に移動するにつれて次第に減少する。同様に、楕円形溝１５２０の深さは、楕円形溝１５２０がトウエンド１８０から幾何学中心１５１１に移動するにつれて次第に増加し、楕円形溝１５２０が幾何学中心１５１１からヒールエンド１９０に移動するにつれて次第に減少する。幾何学的中心１５１１の楕円形溝は最大の深さを有し、トウエンド１８０、ヒールエンド１９０、トップレール１８２及びソール１９２の近くの楕円形溝は最も浅い深さを有する。楕円形溝１５２０は、ボール打面１５００上の垂直軸ｙに垂直な水平軸ｘに関して対称であってもよい。楕円形溝１５２０の深さは、トップレール１８２とソール１９２で類似していてもよい。同様に、楕円形溝１５２０の深さは、トウエンド１８０とヒールエンド１９０で類似していてもよい。
【０１７６】
一実施形態では、楕円形溝１５２０の深さは、個々の楕円形溝１５２０ごとに均一な深さを有してもよいが、１つの楕円形溝１５２０から次に外側の楕円形溝１５２０まで変化してもよい。他の実施形態では、楕円形溝１５２０の深さは、個々の楕円形の溝１５２０内で変化してもよい。溝がトウエンド１８０及びヒールエンド１９０に向かって移動するにつれて、１つの楕円形溝１５２０内において深さが徐々に減少してもよい。長軸１５６０がトップレール１８２とソール１９２に沿って伸び、短軸がトウエンド１８０とヒールエンド１９０に沿って伸びる例では、クラウンとフェースとソール１９２の境界において、深さがトップレール１８２に向かって徐々に減少してもよい。溝が幾何学的中心１５１１から遠ざかるにつれて、次に最も外側の楕円形溝１５２０は、同じ変化する深さパターンに従うが、全体的に浅くなってもよい。図７４及び図７５に示されるように、楕円形溝１５２１，１５２２は、最も深い深さを有する楕円形溝１５２１及び最も浅い深さを有する楕円形溝１５２７を有する楕円形溝１５２６，１５２７よりも大きく変化する深さを有し得る。
【０１７７】
楕円形溝１５２０のそれぞれは、内側境界線１５３０と外側境界線１５４０を有する。内側境界線１５３０は、楕円形溝１５２０の幾何学的中心１５１１に最も近い境界線である。外側境界線１５４０は、楕円形溝１５２０の幾何学的中心１５１１から最も遠い境界線である。楕円形の溝１５２０の内側境界線１５３０から外側境界線１５４０までは、幅１５８０を画定する。楕円形溝１５２０の幅１５８０は、約０．００１インチから約０．０３５インチ（例えば、０．００１、０．００５、０．０１０、０．０１５．０．０２０、０．０２５、０．０３０、又は、０．０３５）の間の範囲であり得る。幅１５８０は、楕円形溝１５２０内で一定であってもよい。幅１５８０はまた、楕円形溝１５２０内で変化してもよい。さらに、幅１５８０は、ボール打面１５００上の全ての楕円形溝１５２０で一定に保つことができる。幅は、ボール打面１５００上の楕円形溝１５２０毎に変化してもよい。一実施形態では、幅１５８０は、最も内側の楕円形溝１５２０から最も外側の楕円形溝１５２０まで増加してもよい。例えば、楕円形溝１は０．０１５インチの幅を有してもよく、楕円形溝７は０．０３５インチの幅を有してもよい。別の実施形態では、幅１５８０は、最も内側の楕円形溝１５２０から最も外側の楕円形溝１５２０まで減少してもよい。他の実施形態は、各楕円形溝１５２０内、及び、楕円形溝１５２０毎において、一定幅および可変幅の両方の任意の組み合わせを含むことができる。
【０１７８】
隣り合う楕円形溝１５２０の内側境界線１５３０に対する1つの楕円形溝の外側境界線１５４０は、ランド１５１５を画定する。ランド１５１５は、ボール打面１５００上の各楕円形溝１５２０の間の部分であり、厚さを規定する。図７２に示すように、幾何学的中心１５１１は、ランド１５１５に形成される。幾何学的中心１５１１のランドは中実の円筒形であり、幾何学的中心１５１１からさらに移動すると、各ランド１５１５がより大きな内径および外径を有する円筒形である。
【０１７９】
一実施形態では、ランド１５１５のそれぞれの厚さは、パターン１５１０の全体で一定であってもよい。別の実施形態では、ランド１５１５のそれぞれの厚さは、パターン１５１０の全体にわたって変化してもよい。さらに、ランド１５１５の厚さは、各楕円形溝１５２０間で一定であってもよいし、各楕円形溝１５２０間で変化してもよい。ランド１５１５のそれぞれの厚さは、約０．００１インチから約０．０５０インチの範囲であり得る。一例では、ランド１５１５は、幾何学的中心１５１１から最も外側の楕円形溝１５２７に移動するに毎に増加してもよい。別の例では、ランド１５１５は、幾何学的中心１５１１から最も外側の楕円形溝１５２７に移動する毎に減少してもよい。増加分は、０．００１、０．００５、０．０１０、０．０１５．０．０２０、０．０２５、０．０３０、又は、０．０３５インチである。他の実施形態は、各楕円形溝１５２０の間、及び、楕円形溝１５２０から隣り合う楕円形溝１５２０までの一定のランド面積と変動するランド面積の両方の任意の組み合わせを含むことができる。
【０１８０】
上述したように、図２４〜２６は、図７２の切断線３０-３０から見た楕円形溝１５２０の幾何学的断面形状を示す。図２４では、楕円形溝１５２０の幾何学的断面形状が、箱形、長方形又は正方形である。図２５では、楕円形溝１５２０の幾何学的断面形状が、Ｖ字形である。図２６では、楕円形溝１５２０の幾何学的断面形状が、Ｕ字形である。幾何学的断面形状は、楕円形溝１５２０内で一定のままであってもよい。幾何学的断面形状はまた、楕円形溝１５２０内で変化してもよい。例えば、楕円形溝１５２０は、時計回りに移動するトップレール１８２からソール１９２までの正方形の幾何学的断面形状、及び、時計回りに移動するソール１９２からトップレール１８２までのＵ字形の幾何学的断面形状を有してもよい。さらに、楕円形溝１５２０の幾何学的断面形状は、楕円形溝１５２０ごとに変化してもよい。例えば、１つの楕円形溝１５２０がＵ形状の幾何学的断面形状を有してもよく、次の楕円形溝１５２０がＶ字形の幾何学的断面形状を有してもよい。他の実施形態は、各楕円形溝１５２０内および楕円形溝１５２０ごとの３つの幾何学的断面形状の任意の組み合わせを含むことができる。
【０１８１】
楕円形溝１５２０によって作成される変化する深さパターンは、ボールに伝達される運動エネルギーに減衰効果をもたらす。深さが大きいほど、より多くの運動エネルギーが吸収される。対して、深さが小さいほど、運動エネルギーの吸収が少なくなる。楕円形溝１５２０の深さは幾何学的中心１５１１の近くで最大であることから、幾何学的中心１５１１の近くは減衰が最大の場所である。楕円形溝１５２０が幾何学的中心１５１１から離れて深さが浅くなると、減衰が減少する。楕円形溝１５２０におけるこの変化する深さパターンは、ボール打面１５００に亘って一貫したボール速度を可能にする。例えば、ボール打面１５００がトウエンド１８０、幾何学的中心１５１１及びヒールエンド１９０でボールを打ったときに、ボールは同様の速度となる。
【０１８２】
図７６〜８０は、本発明の他の実施形態であるボール打表面１６２０を備えたパター１００の別の例を示している。新しい実施形態を説明する場合、パター１００のいくつかの部分は、上記と同じ参照番号で参照される。ボール打表面１６１２は、底面１６１６から延びる複数の突出部１６４０を含む。底面１６１６は、図７８−８０に示されるように、輪郭付けられている。底面１６１６は、ボール打撃面１６１２の中央範囲１６１８にくぼみ又は凹部を含む。図７７に示すように、中央範囲１６１８は卵形であってもよい。他の実施形態では、中央範囲１６１８は、円、卵形又は他の適切な形状として画定されてもよい。
【０１８３】
突出部１６４０は円錐台形であり、高さおよび幅が可変である。突出部１６４０はさらに、基部１６２０及び上面１６２４を含む。基部１６２０は底面１６１６に接続され、上面１６２４はボール打面１６１２の平坦面を形成する。突出部１６４０は、ボール打面１６１２の幾何学的中心１６１１から外側に広がっている。幾何学的中心１６１１は、トウエンド１８０、トップレール１８２、ヒールエンド１９０及びソール１９２と位置合わせされるボール打面１６１２に対して位置決めされる。幾何学的中心１６１１は、パターヘッド１０２の実際の幾何学的中心であっても、そうでなくてもよい。
【０１８４】
図７６に示されるように、ボール打面１６１２は、ｘ軸１６２８及びｙ軸１６３２を規定する。ｘ軸１６２８は、幾何学的中心１６１１を通り、トウエンド１８０からヒールエンド１９０まで伸びている。ｙ軸１６３２は、幾何学的中心１６１１を通り、トップレール１８２を通ってソール１９２まで伸びている。突出部１６４０の特性は、ｘ軸１６２８、ｙ軸１６３２、又はｘ軸１６２８とｙ軸１６３２の両方に関して鏡映されてもよい。
【０１８５】
図７９、８０に示されるように、突出部１６４０は、高さ及び幅が変化する。幾何学的中心において、突出部１６４０は、幾何学的中心１６１１からさらに離れた突出部よりも高い高さを有する。言い換えれば、突出部１６４０の高さは、幾何学的中心からトウエンド１８０、トップレール１８２、ヒールエンド１９０及びソール１９２に向かって外側に移動するときに徐々に変化する。
【０１８６】
突出部１６４０の高さ１６４４は、底面から上面１６２４までで測定される。各突出部１６４０の高さ１６４４は、底面１６１６に依存する。底面１６１６の輪郭が変化するにつれて、突出部１６４０の高さ１６４４も変化し得る。例えば、底面１６１６のくぼみ又は凹部では、突出部の高さ１６４４が最大である。多くの実施形態では、高さ１６４４は幾何学的中心１６１１で最大であり、突出部１６４０が幾何学的中心１６１１から離れるにつれて減少する。トウエンド１８０での突出部１６４０の高さ１６４４は、ヒールエンド１９０での突出部の高さ１６４４と同一又は類似であってもよい。トップレール１８２での突出部の高さ１６４４は、ソール１９２での突出部の高さ１６４４と同一又は類似であってもよい。トウエンド１８０、ヒールエンド１９０、トップレール１８２及びソール１９２における突出部の高さ１６４４は、同一又は類似であってもよい。さらに、突出部１６４０の高さ１６４４は、約０．００１インチから０．０２０インチ（例えば、０．００２、０．００４、０．００６、０．００８、０．０１０、０．０１２、０．０１４、０．０１６、０．０１８又は０．０２０インチ）の範囲であり得る。
【０１８７】
加えて、突出部１６４０は、幾何学的中心において隣接する突出部間により大きいギャップ又は距離１６３６を有する。幾何学的中心１６１１からさらに離れると、隣接する突出部１６４０間の距離１６３６は徐々に小さくなる。また、言い換えれば、突出部間の距離は、トウエンド１８０、トップレール１８２、ヒールエンド１９０及びソール１９２に向かって幾何学的中心から外側に移動すると徐々に変化する。距離１６３６は、突出部１６４０の各上面１６２４間の空間として示されている。突出部１６４０間の距離１６３６は、基部１６２０が上面１６２４に向かって先細りになる円錐台形の表面によって作り出される。突出部１６４０のテーパーが大きくなるほど、隣接する突出部１６４０間の距離１６３６が大きくなる。同様に、突出部１６４０のテーパーが少ないほど、隣接する突出部１６４０間の距離が小さくなる。
【０１８８】
図７９および８０に示されるように、各突出部１６４０は、突出部の円錐台形状のために、その高さに沿って変化する直径１６４８を含む。各突出部の基部１６２０における直径１６４８が最大であり、上面１６２４に向かって小さくなる。各突出部１６４０の直径は、各突出部の高さ１６４４と相関している。高さ１６４４が大きいほど、突出部１６４０のテーパーが大きくなり、上面１６２４における直径１６４８が小さくなる。多くの実施形態では、上面１６２４の直径１６４８は、幾何学的中心１６１１で最小である。突出部１６４０が幾何学的中心１６１１からさらに離れるにつれて、上面１６２４の直径１６４８は徐々に大きくなり得る。トウエンド１８０における突出部１６４０の上面１６２４の直径１６４８は、ヒールエンド１９０における突出部１６４０の上面１６２４の直径１６４８と同一又は類似であってもよい。トップレール１８２における突出部１６４０の上面１６２４の直径１６４８は、ソール１９２における突出部１６４０の上面１６２４の直径１６４８と同一又は類似であってもよい。トウエンド１８０、ヒールエンド１９０、トップレール１８２及びソール１９２における突出部の上面１６２４の直径１６４８は、同一又は類似であってもよい。上面１６２４の直径１６４８は、約０．００１インチから０．０３５インチ（例えば、０．００５、０．０１０、０．０１５、０．０２０、０．０２５、０．０３０又は０．０３５インチ）の範囲であり得る。
【０１８９】
他の構造では、突出部１６４０は、代替の形状および断面１６５２を備えてもよい。断面１６５２は、任意の適切な形状（例えば、円形、三角形、五角形、六角形など）のものであり得る。
【０１９０】
突起１６４０の上面１６２４の距離１６３６、高さ１６４４及び直径１６４８は、ゴルフボールに伝達される運動エネルギーに減衰効果をもたらす。距離１６３６が大きく、高さ１６４４が大きいほど、より多くの運動エネルギーが吸収される。同様に、距離１６３６が小さく、高さ１６４４が小さいほど、吸収される運動エネルギーは少なくなる。あるいは、直径が大きいほど、運動エネルギーの吸収が少なくなる。直径が小さいほど、より多くの運動エネルギーが吸収される。幾何学的中心１６１１の近くで距離１６３６及び高さ１６４４が最大であり、直径１６４８が最小であるため、幾何学的中心１６１１の近くは減衰が最大の場所である。幾何学的中心１６１１からより遠くに移動して距離１６３６及び高さ１６４４が減少し、直径が増加すると、減衰が減少する。突出部１６４０の変化する特性は、ボール打表面１６１２に亘って一貫したボール速度を可能にする。例えば、ボール打表面１６１２がトウエンド１８０、幾何学的中心１６１１及びヒールエンド１９０でボールを打ったときに、ボールは同様の速度となる。
フェース・インサート
【０１９１】
多くの実施形態では、パターゴルフクラブヘッドはフェース・インサートを備えることができる。様々なフェース・インサートの実施形態は、上述のような溝を有することができる（すなわち、変化する幅、変化する深さ、又は、変化する幅及び深さ）。以下の実施形態を説明するとき、パター１００のいくつかの部分は、上記と同じ参照番号で参照される。パターゴルフクラブヘッドは、フロントエンド１９６、フロントエンド１９６の反対側のリアエンド１９４、トウエンド１８０、トウエンド１８０の反対側のヒールエンド１９０、トップレール１８２、トップレール１８２の反対側のソール１９２、及び、フロントエンド１９６とソール１９２の間に位置する前縁を含む。パターゴルフクラブヘッドの外表面は、凹部を形成することができる。より具体的には、いくつかの実施形態では、パタータイプのゴルフクラブヘッドのトップ壁、トウ壁、トウ壁の反対側のヒール壁、及び、後壁は、凹部を形成することができる。いくつかの実施形態では、パターゴルフクラブヘッドのトップ壁、トウ壁、トウ壁の反対側のヒール壁、後壁、及び、トップ壁の反対側のボトム壁は、凹部を形成することができる。パターゴルフクラブヘッドのフロントエンド１９６は、ゴルフボールを打つように構成され得る。パターゴルフクラブヘッドの凹部は、フロントエンド１９６の後方にリアエンド１９４に向かって延びることができる。
【０１９２】
パターゴルフクラブヘッドの凹部は、フロントエンド１９６からリアエンド１９４までの垂直距離として測定される深さを含む。多くの実施形態では、凹部の深さは０．１５０から０．２５０インチの範囲であり得る。いくつかの実施形態では、凹部の深さは、０．１５０から０．２００インチ、０．１５０から０．２２０インチ、０．１５０から０．２４０インチ、０．１６０から０．２００インチ、０．１６０から０．２２０インチ、０．１６０から０．２４０インチ、０．１６０から０．２５０インチ、０．１７０から０．２００インチ、０．１７０から０．２２０インチ、０．１７０から０．２４０インチ、０．１７０から０．２５０インチ、０．１８０から０．２００インチ、０．１８０から０．２２０インチ、０．１８０から０．２４０インチ、又は、０．１８０から０．２５０インチの範囲であり得る。例えば、凹部の深さは、０．１５０、０．１６０、０．１７０、０．１８０、０．１９０、０．２００、０．２１０、０．２２０、０．２３０、０．２４０、０．２５０インチとすることができる。
【０１９３】
他の実施形態では、凹部の深さは、０．２０から０．８０インチの範囲であり得る。いくつかの実施形態では、凹部の深さは、０．２０から０．５０インチ、０．３０から０．６０インチ、０．４０から０．７０、又は、０．５０から０．８０インチの範囲であり得る。いくつかの実施形態では、凹部の深さは、０．２０から０．４０インチ、０．３０から０．５０、０．４０から０．６０インチ、０．５０から０．７０インチ、又は、０．６０から０．８０インチの範囲であり得る。例えば、凹部の深さは、０．２０、０．２５、０．３０、０．３５、０．４０、０．４５、０．５０、０．５５、０．６０、０．６５、０．７０、０．７５、又は、０．８０インチとすることができる。
【０１９４】
パターゴルフクラブヘッドの凹部は、フェース・インサートを受け入れるように構成され得る。多くの実施形態では、フェース・インサートは、パターゴルフクラブヘッドの凹部と相補的な形状であってもよい。他の実施形態では、フェース・インサートは、パターゴルフクラブヘッドの凹部と相補的な形状でなくてもよい。凹部がフェース・インサートを受け入れると、フェース・インサートが凹部の後壁に当接する。多くの実施形態において、フェース・インサートは、テープ、非常に強い接着テープ、接着剤、エポキシ、又は、任意のタイプの接着剤化合物などの接着剤によって凹部に接合することができる。他の実施形態では、フェース・インサートは、留め具又はピン（図示せず）によって凹部に結合することができる。他の実施形態では、フェース・インサートは、圧入又は摩擦嵌めによって凹部に結合することができる。いくつかの実施形態では、フェース・インサートは、アンダーカット又は複数のフック構造などの機械的インタロック構造で凹部に結合することができる。
【０１９５】
フェース・インサートは、パターゴルフクラブヘッドのフロントエンド１９６、ソール１９２、ヒールエンド１９０、トウエンド１８０、トップレール１８２、又は、これらの任意の組み合わせの一部を形成することができる。多くの実施形態では、フェース・インサートは、パターゴルフクラブヘッドのフロントエンド１９６及びソール１９２の一部を形成する。他の実施形態では、フェース・インサートは、フロントエンド１９の一部のみを形成する。他の実施形態では、フェース・インサートは、パターゴルフクラブヘッドのフロントエンド１９６、ソール１９２及びトップレール１８２の一部を形成する。
【０１９６】
多くの実施形態では、フェース・インサートは、凹部の深さに対応する厚さを含む。凹部の深さと同様に、フェース・インサートの厚さは、パターゴルフクラブヘッドのフロントエンド１９６からリアエンド１９４までの垂直距離として測定される。多くの実施形態では、フェース・インサートの厚さは、０．１５０から０．２５０インチの範囲であり得る。いくつかの実施形態では、フェース・インサートの厚さは、０．１５０から０．２００インチ、０．１５０から０．２２０インチ、０．１５０から０．２４０インチ、０．１６０から０．２００インチ、０．１６０から０．２２０インチ、０．１６０から０．２４０インチ、０．１６０から０．２５０インチ、０．１７０から０．２００インチ、０．１７０から０．２２０インチ、０．１７０から０．２４０インチ、０．１７０から０．２５０インチ、０．１８０から０．２００インチ、０．１８０から０．２２０インチ、０．１８０から０．２４０インチ、又は、０．１８０から０．２５０インチの範囲であり得る。例えば、フェース・インサートの厚さは、０．１５０、０．１６０、０．１７０、０．１８０、０．１９０、０．２００、０．２１０、０．２２０、０．２３０、０．２４０、０．２５０インチとすることができる。
【０１９７】
他の実施形態では、フェース・インサートの厚さは、０．２０から０．８０インチの範囲であり得る。いくつかの実施形態では、フェース・インサートの厚さは、０．２０から０．５０インチ、０．３０から０．６０インチ、０．４０から０．７０、又は、０．５０から０．８０インチの範囲であり得る。いくつかの実施形態では、フェース・インサートの厚さは、０．２０から０．４０インチ、０．３０から０．５０、０．４０から０．６０インチ、０．５０から０．７０インチ、又は、０．６０から０．８０インチの範囲であり得る。例えば、フェース・インサートの厚さは、０．２０、０．２５、０．３０、０．３５、０．４０、０．４５、０．５０、０．５５、０．６０、０．６５、０．７０、０．７５、又は、０．８０インチとすることができる。多くの実施形態では、凹部の深さは、フェース・インサートの厚さと同じにすることができる。いくつかの実施形態では、凹部の深さは、フェース・インサートの厚さと異なっていてもよい。いくつかの実施形態では、凹部の深さは、フェース・インサートの厚さより大きくすることができ、逆もまた同様である。いくつかの実施形態では、凹部の深さは、フェース・インサートの厚さより小さくすることができ、逆も同様である。
【０１９８】
多くの実施形態では、フェース・インサートは、パターゴルフクラブヘッドのフロントエンド１９６及び／又はソールの一部を形成することができる。多くの実施形態では、フェース・インサートは、フロントエンド１９６の７０％以上を形成することができる。 いくつかの実施形態では、フェース・インサートは、フロントエンド１９６の少なくとも７０％、７５％、８０％、８５％、９０％、９５％、又は、１００％を形成することができる。いくつかの実施形態では、フェース・インサートは、フロントエンド１９６の７５％、８０％、８５％、９０％、９１％、９２％、９３％、９４％、９５％、９６％、９７％、９８％、９９％又は１００％以上を形成することができる。多くの実施形態では、フェース・インサートは、パターゴルフクラブヘッドのソールの少なくとも１０％を形成することができる。いくつかの実施形態では、フェース・インサートは、パターゴルフクラブヘッドのソールの少なくとも１２％、１４％、１６％、１８％、２０％、２２％、２４％、２５％、２６％、２８％、３０％、３５％、４０％、４５％、５０％、５５％、６０％、６５％、７０％、７５％又は８０％を形成することができる。いくつかの実施形態では、フェース・インサートは、パターゴルフクラブヘッドのソールの１０％、１５％、２０％、２５％、３０％、３５％、４０％、４５％、５０％、５５％、６０％、６５％、７０％、７５％又は８０％以上を形成することができる。
【０１９９】
多くの実施形態では、フェース・インサートは、ポリマータイプの材料を含むことができる。ポリマータイプの材料は、ポリエチレン、ポリプロピレン、ポリテトラフルオロエチレン、ポリイソブチレン、ポリ塩化ビニル、又は、他のポリマータイプの材料を含むことができる。多くの実施形態では、フェース・インサートは、ＰＥＢＡＸを含むことができる。より具体的には、ＰＥＢＡＸは、ポリエーテルブロックアミドであり、柔軟性のあるポリエーテルと硬質ポリアミドで作られた熱可塑性エラストマーである。硬質ポリアミドはナイロンを含むことができる。ＰＥＢＡＸは、異なるショアＤ硬度値、ポリエーテルの割合及び／又はポリアミドの割合に対応するさまざまな化合物を含むことができる。多くの実施形態では、ＰＥＢＡＸは、ＰＥＢＡＸ４０３３（フランス、パリのアルケマ）又はＰＥＢＡＸ６３３３（フランス、パリのアルケマ）を含むことができる。ＰＥＢＡＸ４０３３（フランス、パリのアルケマ）は、５３重量％のテラメチレンオキシドとナイロン１２を備えている。ＰＥＢＡＸ ６３３３（フランス、パリのアルケマ）は、ナイロン１１を備えている。
【０２００】
ＰＥＢＡＸは、体積においてある割合のポリエーテルを含むことができる。いくつかの実施形態では、ＰＥＢＡＸは、体積で０％から１０％、１０％から２０％、１５％から３０％、２０％から３０％、３０％から４０％、３０％から５０％、３０％から６０％、４０％から５０％、４０％から６０％、５０％から６０％、又は、６０％から７０％のポリエーテルを含むことができる。例えば、ＰＥＢＡＸは、体積で０％、５％、１０％、１５％、２０％、２５％、３０％、３５％、４０％、４５％、５０％、５５％、６０％、６５％、又は、７０％のポリエーテルを含むことができる。いくつかの実施形態では、ＰＥＢＡＸは、体積で０％から１０％、１０％から２０％、１５％から３０％、２０％から３０％、３０％から４０％、３０％から５０％、４０％から５０％、４０％から６０％、５０％から６０％、又は、６０％から７０％のポリアミドを含むことができる。例えば、ＰＥＢＡＸは、体積で０％、５％、１０％、１５％、２０％、２５％、３０％、３５％、４０％、４５％、５０％、５５％、６０％、６５％、又は、７０％のポリアミドを含むことができる。ポリエーテルの割合が増加すると、ＰＥＢＡＸの硬度が低下する。ポリアミドの割合が増加すると、ＰＥＢＡＸの硬度が増加する。例えば、ＰＥＢＡＸ ４０３３（フランス、パリのアルケマ）は、体積で４０％から６０％のポリエーテルと体積で１５％から３０％のポリアミドを含むことができる。ＰＥＢＡＸ６３３３（フランス、パリのアルケマ）は、体積で１５％から３０％のポリエーテルと体積で４０％から６０％のポリアミドを含むことができる。
【０２０１】
多くの実施形態では、ＰＥＢＡＸはショアＤ２５からショアＤ７５までの範囲の硬度を含むことができる。いつかの実施形態では、ＰＥＢＡＸの硬度は、ショアＤ２５からショアＤ３５、ショアＤ３５からショアＤ４５、ショアＤ３６からショアＤ４４、ショアＤ３８からショアＤ４２、ショアＤ４５からショアＤ５５、ショアＤ５５からショアＤ６５、ショアＤ５からショアＤ６４、ショアＤ６０からショアＤ６５、又は、ショアＤ６５からショアＤ７５の範囲であり得る。例えば、ＰＥＢＡＸの硬度は、ショアＤ２５、３０、３５、４０、４５、５０、５５、６０、６５又は７０であり得る。
【０２０２】
多くの実施形態では、ＰＥＢＡＸ４０３３（フランス、パリのアルケマ）は、ＰＥＢＡＸ６３３３（フランス、パリのアルケマ）よりも低い硬度を含むことができる。多くの実施形態では、ＰＥＢＡＸ４０３３（フランス、パリのアルケマ）は、ショアＤ３５からショアＤ５５の範囲の硬度を含むことができる。いくつかの実施形態では、ＰＥＢＡＸ４０３３（フランス、パリのアルケマ）は、ショアＤ３８からショアＤ４２、又は、ショアＤ３９からショアＤ４１の範囲の硬度を含むことができる。例えば、ＰＥＢＡＸ４０３３（フランス、パリのアルケマ）は、４０のショアＤの硬度を含むことができる。多くの実施形態では、ＰＥＢＡＸ６３３３（フランス、パリのアルケマ）は、ショアＤ５０からショアＤ７５の範囲の硬度を含むことができる。いくつかの実施形態では、ＰＥＢＡＸ ６３３３（フランス、パリのアルケマ）は、ショアＤ５５からショアＤ７０、又は、ショアＤ６０からショアＤ６５の範囲の硬度を含むことができる。例えば、ＰＥＢＡＸ６３３３（フランス、パリのアルケマ）は、６３のショアＤの硬度を含むことができる。
【０２０３】
いくつかの実施形態では、フェース・インサートは、スチール、スチール合金、タングステン、タングステン合金、アルミニウム、アルミニウム合金、チタン、チタン合金、バナジウム、バナジウム合金、クロム、クロム合金、コバルト、コバルト合金、ニッケル、ニッケル合金、その他の金属、その他の金属合金、複合ポリマー材料、又は、それらの組み合わせなどの材料を含むことができる。
【０２０４】
フェース・インサートは、さまざまなプロセスで形成することができる。さまざまな成形プロセスには、射出成形、キャスティング、ブロー成形、圧縮成形、共成形、レーザー成形、フィルムインサート成形、ガスアシスト成形、回転成形、熱成形、レーザー切断、３−Ｄ印刷、鍛造、スタンピング、電鋳、機械加工、成形、又は、それらの任意の組み合わせを含む。さらに、フェース・インサートは、上記の厚さ及び成形プロセスの任意の組み合わせを有することができる。
単一部品のフェース・インサート
【０２０５】
いくつかの実施形態では、フェース・インサートは、単一部品システムを含むことができる。これらの実施形態では、フェース・インサートは、ボール打面プレート、又は、任意の他の単一部品を含むことができる。単一部品システムを含むフェース・インサートは、上記の溝を含むことができる。
【０２０６】
図８５〜８８は、パター１７００の別の実施形態を示している。パター１７００は、パターヘッド１７０２を備えている。したがって、パターヘッド１７０２を説明するとき、パターヘッド１０２の部分は、上記と同じ参照番号で参照することができる。パターヘッド１７０２は、パターフェース１７１０を備え、パターフェース１７１０は、凹部１７１２を備えている。他の例では、パターヘッドはさらに、トップレール１８２又はソール１９２に配置されたスロット（図示せず）を含むことができ、スロットは凹部１７１２内に一体的に延びている。
【０２０７】
図８６に示されるように、凹部１７１２は、平坦面１７１６と周囲１７１８とを含む。いくつかの例では、凹部１７１２の平坦面１７１６は、穴１７２２を含むことができる。穴１７２２は直径を含み、ねじ切りをさらに備えることができる。他の例では、凹部１７１２の周囲１７１８はリップ（図示せず）を備えることができ、リップは周囲１７１８全体に沿って延びることができる。さらに他の例では、リップは周囲１７１８の一部に沿って延びることができる。例えば、リップは、トップレール１８２及びソール１９２に沿って延びることができる。さらに、凹部１７１２は、フェース・インサート１７２６を受け入れることができる。
【０２０８】
図８７Ａ，８７Ｂに示されるように、フェース・インサート１７２６は、ボール打表面１７２８と、ボール打表面１７２８の反対側の背面１７３０とを含む。図８５に示すように、ボール打表面１７２８は、トウエンド１８０近傍のトウ部分１７７０、ヒールエンド１９０近傍のヒール部分１７７４、及び、トウ部分１７７０とヒール部分１７７４の間に位置する中心部分１７７２の３つの部分に水平方向に分けられる。図８７Ａに示されるように、ボール打表面プレートはさらに、トップレール１８２近傍のトップレール部分１７７６、ソール１９２近傍のソール部分１７８０、及び、トップレール部分１７７６とソール部分１７８０との間に位置する中央部分である３つの部分に垂直方向に分けられる。フェース・インサート１７２６のボール打表面１７２８は溝を含むことができる。溝は、パター１００の溝の例と同様の特徴を含むことができる。より具体的には、溝は、すべてのボール打面／ボール打表面１１２、２１２、３１２、４１２、５１２、６１２、７１２、１０１２、１４１２、１５００、１６１２、１８１２、２２１２、３２１２、４２１２及び５２１２の溝に類似していてもよい。溝は深さを備え、溝の深さは、トウ部分１７７０からヒール部分１７７４に向かって、及び、トップレール部分１７７６からソール部分１７８０に向かって変化する。溝の深さは、トウ部分１７７０及びヒール部分１７７４から中心部分１７７２に向かって増加する。同様に、溝１７２０の深さは、トップレール部分１７７６及びソール部分１７８０から中央部分１７７８に向かって増加する。溝１７２０の最も深い部分は、溝１７２０の中心部分１７７２及び中央部分１７７８にある。例示的な実施形態における溝１７２０の変化する深さは、ボール打表面１７２８に亘ってより標準化された打撃を許容することによって寛容性を増加する。
【０２０９】
フェース・インサート１７２６の背面１７３０は、円筒状突出部１７３２を含むことができる。円筒状突出部１７３２は、凹部１７１２の穴１７２２の直径に等しい直径を含む。さらに、円筒状突出部１７３２は、穴１７２２と相補的である。フェース・インサート１７２６が凹部１７１２に結合されると、円筒状突出部１７３２は、穴１７２２と同心に整列することができる。さらに、フェース・インサート１７２６は、凹部１７１２と相補的であり、フェース・インサート１７２６のボール打表面１７２８は、凹部１７１２内に結合されたときにパターフェース１７１０と同一平面にある。
【０２１０】
フェース・インサート１７２６はさらに、幅１７３４及び長さ１７３６をさらに含む。図８７Ａでは、フェース・インサート１７２６の幅１７３４は、フェース・インサート１７２６の第１の側面１７３７からフェース・インサート１７２６の第２の側面１７３８までで測定された距離である。フェース・インサート１７２６の幅１７３４は、１．６５インチから２．１０インチの範囲であり得る。例えば、フェース・インサート１７２６の幅１７３４は、１．６８インチ、１．７２インチ、１．７６インチ、１．８０インチ、１．８４インチ、１．８８インチ、１．９２インチ、１．９６インチ、又は２．００インチとすることができる。一例では、フェース・インサート１７２６の幅１７３４は１．６８インチとすることができ、これはほぼボールの直径である。フェース・インサート１７２６が１．６８インチの幅１７３４を含む例では、幅はボールを整列させる視覚的補助として機能することができる。
【０２１１】
図８７Ｂに示されるように、フェース・インサート１７２６の長さ１７３６は、フェース・インサート１７２６のトップエンド１７４０からフェース・インサート１７２６のボトムエンド１７４２までで測定された距離である。図８５に示されるように、フェース・インサート１７２６の長さ１７３６は、ソール１９２からパターヘッド１７０２のトップレール１８２までの完全な距離に及ぶことができ、トップエンド１７４０はトップレール１８２の一部を形成することができ、ボトムエンド１７４２はソール１９２の一部を形成することができる。いくつかの例では、フェース・インサート１７２６の長さ１７３６は、トップレール１８２からソール１９２近傍までに及ぶことができ、図８８に見られるように、トップエンド１７４０はトップレール１８２の一部を形成することができる。他の例では、フェース・インサート１７２６の長さ１７３６は、ソール１９２からレール１８２近傍まで及ぶことができ、ボトムエンド１７４２はソール１９２の一部を形成することができる。フェース・インサート１７２６の長さ１７３６は、パターフェース１７１０又はボール打表面１７２８の周囲１７４４の代わりに、インパクトのときにボールがフェース・インサート１７２６に一貫して衝突することを可能にする。インパクトのときのフェース・インサート1726に一貫して当たるボールは、一貫した感触を可能にする。
【０２１２】
他の例では、フェース・インサート１７２６はさらに、エッジ・インデントを含むことができる。エッジ・インデントは、ボール打表面１７２８の全周囲１７４４に沿って延びることができる。他の例では、エッジ・インデントは、ボール打表面１７２８の周囲１７４４の一部に沿って延びることができる。例えば、エッジ・インデントは、第１の側面１７３７および第２の側面１７３８に沿って延びることができる。別の例では、エッジ・インデントは、第１の側面１７３７、ボトムエンド１７４２及び第２の側面１７３８に沿って延びることができる。さらに、エッジ・インデントは、凹部１７１２のリップを補完するものである。
【０２１３】
一例では、フェース・インサート１７２６は、エポキシ、接着剤、テープ、又は他の固定化合物などの接着剤によってパターフェース１７１０の凹部１７１２に結合することができる。フェース・インサート１７２６はさらに、穴１７２２内に配置された円筒状突出部１７３２の圧縮嵌めにより凹部１７１２に結合することができる。
【０２１４】
別の例では、フェース・インサート１７２６をスロットに挿入することにより、フェース・インサート１７２６を凹部１７１２に結合することができる。次に、シート（図示せず）をスロットに挿入し、フェース・インサート１７２６と凹部１７１２の間に配置することができ、ソール１９２２／トップレール１８２は凹部１７１２内に配置されたフェース・インサート１７２６とシートと同一面になる。シートは、フェース・インサート１７２６のエッジ・インデントを凹部１７１２のリップに対して圧縮し、フェース・インサート１７２６を凹部１７１２内に固定する。シートは、凹部１７１２内に結合されたときにシートの露出面上に配置された湾曲開口（図示せず）を含むことができる。湾曲した開口は、スロットからシートを取り外すための抜き取りツールを受け入れることができる。シートを取り外すことにより、フェース・インサート１７２６を凹部１７１２内で緩めることができ、その後、取り外して異なる材料のフェース・インサート１７２６と交換することができる。異なる材料のフェース・インサート１７２６は、衝撃時の異なる感触と音を可能にする。
【０２１５】
フェース・インサートは、スチール、タングステン、アルミニウム、チタン、複合材、その他の金属、金属合金、ポリマー、又は、その他の材料で形成されていてもよい。シートはまた、スチール、タングステン、アルミニウム、チタン、複合材料、他の金属、金属合金、ポリマー、又は、他の材料で形成されていてもよい。さらに、シートは減衰材料であってもよい。さらになお、シートは、いくつかの例ではフェース・インサートと同じ材料であってもよく、又は、他の例では別の材料で形成されていてもよい。
【０２１６】
別の実施形態では、図８９，９０に示されるように、パターゴルフクラブヘッド６０００は、フロントエンド１９６、リアエンド１９４、トウエンド１８４、ヒールエンド１９０、トップレール１８２、ソール１９２及び前縁６０１５を備えている。パターゴルフクラブヘッド６０００の外表面は、凹部６０２２を形成する。より具体的には、パターゴルフクラブヘッド６０００のトップ壁６０２３、トウ壁６０２４、トウ壁６０２４の反対側のヒール壁６０２５、及び、後壁６０２６のすべては、凹部６０２２を形成する。パターゴルフクラブヘッド６０００の凹部６０２２は、フロントエンド１９６からリアエンド１９４に向かって後方に延びることができる。
【０２１７】
パターゴルフクラブヘッド６０００は、フェース・インサート６０１０を備えることができる。この実施形態では、パターゴルフクラブヘッド６０００のフェース・インサート６０１０は、ボール打面プレート６０１２を含むことができる。ボール打面プレート６０１２は、フロント打表面６０１１と、フロント打表面６０１１の反対側のリア表面６０１３とを含むことができる。ボール打面プレート６０１２のフロント打表面６０１１は、上述の溝と同様の溝６０２０を含むことができる。ボール打面プレート６０１２のリア表面６０１３は、凹部６０２２の後壁６０２６に隣接し、当接する。多くの実施形態では、フェース・インサート６０１０は、接着剤６０１６によって凹部６０２２に結合することができる。接着剤６０１６は、フェース・インサート６０１０と凹部６０２２の間にあり得る。接着剤６０１６は、上述の接着剤と同様であり得る。多くの実施形態では、フェース・インサート６０１０は、フロントエンド１９６及びソール１９２の一部を形成することができる。
【０２１８】
多くの実施形態において、フェース・インサート６０１０は、フェース・インサートのないパターフェースよりもゴルフボールインパクトのときにより柔らかく独特な音／感触という利点を提供することができる。ゴルフボールインパクトのときのより柔らかく独特の音／感触は、フェース・インサート６０１０の硬度及び材料に対応する。フェース・インサート６０１０の材料及び硬度は、上記の材料及び硬度と同様であり得る。柔らかな感触と音は、プレーヤにとって心地よく、他のゴルフクラブのヘッドが大きな衝撃音で引き起こす気を散らすものを防ぐことができる。ゴルフボールインパクトのときのこの柔らかく独特な音／感触は、プレーヤの精神的な集中を助け、プレーヤのスコアを向上させることができる。
多部品フェース・インサート
【０２１９】
いくつかの実施形態では、フェース・インサートは二部品システムを備えることができる。これらの実施形態では、フェース・インサートの二部品システムは、ボール打面プレートとフェース・インサート・ベース、ポリマー材料とフレーム、又は、複数の開口部を含むことができる。二部品システムを含むフェース・インサートは、上述の溝を含むことができる。
ボール打面プレートとフェース・インサート・ベース
【０２２０】
一実施形態では、フェース・インサートは二部品システムを備えることができる。二部品システムは、ボール打面プレートとフェース・インサート・ベースを備えることができる。フェース・インサートのボール打面プレートは、第一の材料を含むことができる。フェース・インサートのフェース・インサート・ベースは、第２の材料を含むことができる。多くの実施形態では、ボール打面プレートの第１の材料とフェース・インサート・ベースの第２の材料は異なっていてもよい。いくつかの実施形態では、ボール打面プレートの第１の材料とフェース・インサート・ベースの第２の材料は同一でもよい。多くの実施形態では、ボール打面プレートの第１の材料は、ポリマータイプの材料を含むことができる。いくつかの実施形態では、ボール打面プレートの第１の材料は、金属材料を含むことができる。多くの実施形態では、フェース・インサート・ベースの第２の材料は、ポリマータイプの材料を含むことができる。
【０２２１】
第１の材料又は第２の材料は、ポリマータイプの材料を含むことができる。ポリマータイプの材料は、ポリエチレン、ポリプロピレン、ポリテトラフルオロエチレン、ポリイソブチレン、ポリ塩化ビニル、又は、他のポリマータイプの材料を含むことができる。多くの実施形態では、フェース・インサートは、ＰＥＢＡＸを含むことができる。より具体的には、ＰＥＢＡＸは、ポリエーテルブロックアミドであり、柔軟性のあるポリエーテルと硬質ポリアミドで作られた熱可塑性エラストマーである。硬質ポリアミドはナイロンを含むことができる。ＰＥＢＡＸは、異なるショアＤ硬度値、ポリエーテルの割合及び／又はポリアミドの割合に対応するさまざまな化合物を含むことができる。多くの実施形態では、ＰＥＢＡＸは、ＰＥＢＡＸ４０３３（フランス、パリのアルケマ）又はＰＥＢＡＸ６３３３（フランス、パリのアルケマ）を含むことができる。ＰＥＢＡＸ４０３３（フランス、パリのアルケマ）は、５３重量％のテラメチレンオキシドとナイロン１２を備えている。ＰＥＢＡＸ６３３３（フランス、パリのアルケマ）は、ナイロン１１を備えている。第１の材料及び第２の材料は、上記と同様のポリエーテル割合、ポリアミド割合、又は、ショアＤ硬度値を含むことができる。
【０２２２】
第１の材料は、スチール、スチール合金、タングステン、タングステン合金、アルミニウム、アルミニウム合金、チタン、チタン合金、バナジウム、バナジウム合金、クロム、クロム合金、コバルト、コバルト合金、ニッケル、ニッケル合金、その他の金属合金、複合ポリマー材料、又は、それらの任意の組み合わせなどの金属を含むことができる。
【０２２３】
いくつかの実施形態では、ボール打面プレートの第１の材料は半透明材料を含むことができ、フェース・インサート・ベースの第２の材料は金属材料を含むことができる。これらの実施形態では、第２の材料は、デザイン（例えば、印刷、エッチング、スタンプ、押し出しなど）をさらに含むことができる。第２の材料は、半透明の第１の材料を通して見えるデザインを含むことができる。多くの実施形態では、第１の材料の半透明材料は、無色又は青色であり得る。他の実施形態では、第１の材料の半透明材料は、任意の半透明色を含むことができる。
【０２２４】
フェース・インサートのボール打面プレートは、厚さを含むことができる。多くの実施形態では、ボール打面プレートの厚さは、０．０１５から０．１１５インチの範囲であり得る。いくつかの実施形態では、ボール打面プレートの厚さは、０．０１５から０．０４５インチ、０．０２０から０．０５０インチ、０．０２５から０．０５５インチ、０．０５０から０．１００インチ、０．０５５から０．１０５インチ、０．０６０から０．１１０、又は、０．０６５から０．１１５インチの範囲であり得る。いくつかの実施形態では、ボール打面プレートの厚さは、少なくとも０．０１５、０．０２０、０．０２５、０．０３０、０．０３５、０．０４０、０．０４５、０．０５０、０．０５５、０．０６０、０．０６５、０．０７０、０．０７５、０．０８０、０．０８５、０．０９０、０．０９５、０．１０、０．１０５、０．１１０、又は０．１１５インチであり得る。いくつかの実施形態では、ボール打面プレートの厚さは、０．０１５、０．０２０、０．０２５、０．０３０、０．０３５、０．０４０、０．０４５、０．０５０、０．０５５、０．０６０、０．０６５、０．０７０、０．０７５、０．０８０、０．０８５、０．０９０、０．０９５、０．１０、０．１０５、０．１１０、又は、０．１１５インチ以上であり得る。いくつかの実施形態では、ボール打面プレートの厚さは、０．０１５、０．０２０、０．０２５、０．０３０、０．０３５、０．０４０、０．０４５、０．０５０、０．０５５、０．０６０、０．０６５、０．０７０、０．０７５、０．０８０、０．０８５、０．０９０、０．０９５、０．１０、０．１０５、０．１１０、又は、０．１１５インチであり得る。
【０２２５】
他の実施形態では、ボール打面プレートの厚さは、０．１１５から０．４０インチの範囲であり得る。いくつかの実施形態では、ボール打面プレートの厚さは、０．１１５から０．２０インチ、０．１５から０．３０インチ、０．２０から０．３０インチ、０．２５から０．３５インチ、又は０．３０から０．４０インチの範囲であり得る。いくつかの実施形態では、ボール打面プレートの厚さは、少なくとも０．１５、０．２０、０．２５、０．３０、０．３５、又は、０．４０インチであり得る。いくつかの実施形態では、ボール打面プレートの厚さは、０．１５、０．２０、０．２５、０．３０、０．３５、又は、０．４０以上であり得る。いくつかの実施形態では、ボール打面プレートの厚さは、０．１５、０．２０、０．２５、０．３０、０．３５、又は、０．４０インチ以下であり得る。例えば、ボール打面プレートの厚さは、０．１５、０．２０、０．２５、０．３０、０．３５、又は、０．４０インチであり得る。
【０２２６】
フェース・インサートのフェース・インサート・ベースは、厚さを含むことができる。多くの実施形態では、フェース・インサート・ベースの厚さは、０．０５から０．２０インチの範囲であり得る。いくつかの実施形態では、フェース・インサート・ベースの厚さは、０．０５から０．１０インチ、又は、０．１０から０．２０インチの範囲であり得る。いくつかの実施形態では、フェース・インサート・ベースの厚さは、少なくとも０．０５、０．１０、０．１５、又は、０．２０インチであり得る。いくつかの実施形態では、フェース・インサート・ベースの厚さは、０．０５、０．１０、０．１５、又は、０．２０インチ以上とすることができる。いくつかの実施形態では、フェース・インサート・ベースの厚さは、０．０５、０．１０、０．１５、又は、０．２０インチ以下であり得る。例えば、フェース・インサート・ベースの厚さは、０．０５、０．１０、０．１５、又は、０．２０インチであり得る。
【０２２７】
他の実施形態では、フェース・インサート・ベースの厚さは、０．２０から０．８０インチの範囲であり得る。いくつかの実施形態では、フェース・インサート・ベースの厚さは、０．２０から０．５０インチ、０．３０から０．６０インチ、０．４０から０．７０インチ、又は、０．５０から０．８０インチの範囲であり得る。いくつかの実施形態では、フェース・インサート・ベースの厚さは、０．２０から０．４０インチ、０．３０から０．５０インチ、０．４０から０．６０インチ、０．５０から０．７０インチ、又は、０．６０から０．８０インチの範囲であり得る。いくつかの実施形態では、フェース・インサートのフェース・インサート・ベースは、少なくとも０．２０、０．２５、０．３０、０．３５、０．４０、０．４５、０．５０、０．５５、０．６０、０．６５、０．７０、０．７５、又は、０．８０インチであり得る。いくつかの実施形態では、フェース・インサートのフェース・インサート・ベースは、０．２０、０．２５、０．３０、０．３５、０．４０、０．４５、０．５０、０．５５、０．６０、０．６５、０．７０、０．７５、又は、０．８０インチ以上であり得る。いくつかの実施形態では、フェース・インサートのフェース・インサート・ベースは、０．２０、０．２５、０．３０、０．３５、０．４０、０．４５、０．５０、０．５５、０．６０、０．６５、０．７０、０．７５、又は、０．８０インチ以下であり得る。例えば、フェース・インサートのフェース・インサート・ベースは、０．２０、０．２５、０．３０、０．３５、０．４０、０．４５、０．５０、０．５５、０．６０、０．６５、０．７０、０．７５、又は、０．８０インチであり得る。
Ｉ．金属ボール打面プレートとポリマー・フェース・インサート・ベース
【０２２８】
図８１〜８４は、フェース・インサート１９１０を含むパターヘッドの別の実施形態を示す。パターヘッドは、パターヘッドのフロント表面に配置された凹部（図示せず）をさらに含む。フェース・インサート１９１０は、凹部内に配置される。フェース・インサート１９１０は、ボールとの衝突時に独特の感触と音を作り出すことができる。金属フェース・インサートだけでは、硬い音と感触を作る。本明細書に記載の金属及び／又は非金属材料の組成物を含むため、フェース・インサート１９１０は、金属フェース・インサートよりも柔らかい音及び感触を作り出す。
【０２２９】
フェース・インサート１９１０は、ボール打面プレート１９１２とフェース・インサート・ベース１９１４を含む。ボール打面プレート１９１２は、フロント打表面１９１１と、フロント打表面１９１１の反対側のリア表面１９１３とを含む。フェース・インサート・ベース１９１４はフロント表面１９１８を含む。ボール打面プレート１９１２のリア表面１９１３は、フェース・インサート・ベース１９１４のフロント表面１９１８の一部と整列する。それにより、フェース・インサート・ベース１９１４のフロント表面１９１８は、ボール打面プレート１９１２のリア表面１９１３に隣接している。ボール打面プレート１９１２のリア表面１９１３がフェース・インサート・ベース１９１４のフロント表面１９１８上に配置されると、ボール打面プレート１９１２は、フェース・インサート・ベース１９１４のフロント表面１９１８の９１％超、９２％超、９３％超、９４％超、９５％超、９６％超、９７％超、９８％超、９９％超、又は、１００％を被覆する。
【０２３０】
図８１に示されるように、ボール打面プレート１９１２は、トウエンド１８０近傍のトウ部分１９７０、ヒールエンド１９０近傍のヒール部分１９７４、及び、トウ部分１９７０とヒール部分１９７０との間に位置する中心部分１９７２の３つの部分に水平方向に分けられる。図８４に示されるように、ボール打面プレートはさらに、トップレール１８２近傍のトップレール部分１９７６、ソール１９２近傍のソール部分１９８０、及び、トップレール部分１９７６とソール部分１９８０との間に位置する中央部分１９７８の３つの部分に垂直方向に分けられる。 
【０２３１】
ボール打面プレート１９１２はさらに、フロント打表面１９１１に配置された溝１９２０を含み、溝１９２０はボール打面／ボール打表面の溝の実施形態と同様である：１１２、２１２、３１２、４１２、５１２、６１２、７１２、１０１２、１３１２、１４１２、１５００、１６１２、１８１２、２２１２、２３１２、４２１２及び５２１２。溝１９２０は深さを備え、溝１９２０の深さは、ヒールエンド１９０とトウエンド１８０との間を伸びる方向で、トップレール１８２とソール１９２との間を伸びる方向で変化する。より具体的には、溝１９２０は、トウ部分１９７０からヒール部分に向かって、トップレール部分１９７６からソース部分１９８０に向かって変化する。溝１９２０の深さは、トウ部分１９７０及びヒール部分１９７４から中心部分１９７２に向かって増加する。同様に、溝１９２０の深さは、トップレール部分１９７６及びソール部分１９８０から中央部分１９７８に向かって増加する。少なくとも１つの溝１９２０の最も深い部分は、溝１９２０の概ね平坦表面部分によって画定される。概ね平坦表面部分は、溝１９２０の中心部分１９７２と中央部分１９７８が重なったところに位置する。例示的な実施形態における溝１９２０の変化する深さは、ボール打面プレート１９１２に亘って標準化された打撃を許容することによって寛容性を増加する。
【０２３２】
いくつかの例では、フェース・インサート１６１０のボール打面プレート１９１２とフェース・インサート・ベース１９１４は同じ材料で形成することができる。材料は、スチール、タングステン、アルミニウム、チタン、複合材料、その他の金属、金属合金、ポリマー、複合ポリマー、又は、任意の他の材料であり得る。図８１に示されるように、フェース・インサート１９１０の打面プレート１９１２及びフェース・インサート・ベース１９１４の両方は、ポリアミドおよびポリエーテルのブロックなどのポリマー又は複合ポリマーで形成されている。他の例では、フェース・インサート１９１０のボール打面プレート１９１２は、フェース・インサート・ベース１９１４とは異なる材料を含むことができる。図８２に示すように、ボール打面プレート１９１２は金属材料で作られ、フェース・インサート・ベース１９１４は非金属材料で作られている。ボール打面プレート１９１２の金属材料は、スチール、タングステン、アルミニウム、ニッケル、チタン、合金、複合材料、又は、他の金属であり得る。フェース・インサート・ベース１９１４は、ポリマー、高比重フィラー又はフレークを有するポリマー、複合ポリマー、複合材料又は任意の種類のポリマーなどの非金属材料であり得る。複合ポリマー又はポリマーは、ポリアミドとポリエーテルのブロック共重合体であり得る。ポリマーは、ポリウレタン又はイソシアネートを含むポリマーではない。ボール打面プレート１９１２は、ボール打面プレート１９１２のリア表面１９１３がフェース・インサート・ベース１９１４のフロント表面１９１８に隣接するように、フェース・インサート・ベース１９１４上に配置されてもよい。
【０２３３】
ボール打面プレート１９１２とフェース・インサート・ベース１９１４が同じ材料を含む例では、フェース・インサート１９１０全体の厚さは０．１００インチから０．２００インチ、０．１００インチから０．１２５インチ、０．１２５インチから０．１５０インチ、０．１５０インチから０．１７５インチ、０．１７５インチから０．２００インチ、０．１００インチから０．１５０インチ、又は、０．１５０インチから０．２００インチであり得る。例えば、フェース・インサート１９１０は、厚さが０．１００インチ、０．１２０インチ、０．１３０インチ、０．１４０インチ、０．１５０インチ、０．１６０インチ、０．１７０インチ、０．１８０インチ、０．１９０インチ又は０．２００インチであり得る。ボール打面プレート１９１２とフェース・インサート・ベース１９１４が異なる材料を含む例では、ボール打面プレート１９１２は厚さを含み、フェース・インサート・ベース１９１４は厚さを含む。ボール打面の厚さは、０．００５インチから０．０３５インチ、０．００５インチから０．０１０インチ、０．０１０インチから０．０１５インチ、０．０１５インチから０．０２０インチ、０．０２０インチから０．０２５インチ、０．０２５インチから０．０３０インチ、０．０３０インチから０．０３５インチ、又は、０．０１３インチから０．０２５インチの範囲であり得る。例えば、ボール打面プレート１９１２の厚さは、０．００５インチ、０．０１０インチ、０．０１５インチ、０．０２０インチ、０．０２５インチ、０．０３０インチ又は０．０３５インチであり得る。フェース・インサート・ベース１９１４の厚さは、０．０９５インチから０．２００インチ、０．０９５インチから０．１１５インチ、０．１１５インチから０．１３５インチ、０．１３５インチから０．１５５インチ、０．１５５インチから０．１７５インチ、０．１７５インチから０．２００インチ、又は、０．１３５インチから０．２００インチの範囲であり得る。例えば、フェース・インサート・ベース１９１４の厚さは、０．０９５インチ、０．１０５インチ、０．１１５インチ、０．１２５インチ、０．１３５インチ、０．１４５インチ、０．１５５インチ、０．１６５インチ、０．１７５インチ、０．１８５インチ、０．１９５インチ又は２００インチであり得る。
【０２３４】
フェース・インサート１６１０は、多くの異なるプロセスにより形成され得る。異なる成形プロセスには、射出成形、キャスティング、ブロー成形、圧縮成形、レーザー成形、フィルムインサート成形、ガスアシスト成形、回転成形、熱成形、レーザー切断、３Ｄ印刷、又は、それらの任意の組み合わせが含まれる。さらに、フェース・インサートは、上記の厚さ及び成形プロセスの任意の組み合わせを有することができる。ボール打面プレート１９１２は、鍛造、フォーミング、スタンピング、電鋳、キャスティング、成形、機械加工又はそれらの組み合わせなど、多くの異なるプロセスによって製造することができる。同様に、フェース・インサート・ベース１９１４は、射出成形、キャスティング、ブロー成形、圧縮成形、フィルムインサート成形、ガスアシスト成形、回転成形、熱成形、レーザー切断、３Ｄ印刷、又は、任意のそれらの組み合わせなど、さまざまなプロセスで製造することができる。さらに、ボール打面プレート１９１２及びフェース・インサート・ベース１９１４は、上記の厚さ及び成形プロセスの任意の組み合わせを有することができる。
【０２３５】
フェース・インサート１９１０は、テープ、接着剤、エポキシ又は任意の種類の接着剤などの接着剤１９２２により、パターヘッドのフロント表面の凹部内に配置することができる。フェース・インサート１９１０はさらに、留め具又はピン（図示せず）によってパターヘッドのフロント表面に配置することができる。ボール打面プレート１９１２がフェース・インサート・ベース１９１４とは異なる材料を含む例では、ボール打面プレート１９１２は、ボール打面プレート１９１２のリア表面１９１３とフェース・インサート・ベース１９１４のフロント表面１９１８との間に配置された、エポキシ、接着剤、テープ、又は、任意の他の固定化合物などの接着剤１９１６によってフェース・インサート・ベース１９１４のフロント表面１９１８に固定することができる。例えば、ボール打面プレート１９１２は、厚さ０．０１０〜０．０１５インチの非常に高い接着（ＶＨＢ）テープ、厚さ０．００３インチのスプレー接着剤、又は、ブラシ仕上げ接着剤により、フェース・インサート・ベース１９１４に接着することができる。
【０２３６】
フェース・インサート１９１０は、コーティングをさらに含むことができる。例えば、フェース・インサート１９１０は物理蒸着（ＰＶＤ）又はタイプＩＩ陽極酸化処理を含むことができ、それらはフェース・インサート１９１０の摩耗性能を向上させることができる。ＰＶＤコーティングとタイプＩＩ陽極酸化処理は、ニッケル、クロム、マグネシウム、亜鉛、ジルコニウム、ハフニウム、タンタル、チタン又はその他の金属もしくは材料など、任意の材料であり得る。
Ａ．ＶＨＢテープで結合された金属ボール打面プレートとポリマー・フェース・インサート・ベース
【０２３７】
図８２に示すように、ボール打面プレート１９１２は、アルミニウムシートから鍛造された金属材料で作られ、０．０３０インチの厚さを有する。ボール打面プレート１９１２はさらに、トウ部分１９７０及びヒール部分１９７４から中心部分１９７２に向かって増加し、トップレール部分１９７６及びソール部分１９８０から中央部分１９７８に向かって増加する、変化する溝１９２０を含む。溝１９２０の概ね平坦な底面部分は、溝１９２０の深さが最大の場所である。概ね平坦な底面部分は、中央部分１９７８と中心部分１９７２が重なったところにある。フェース・インサート・ベース１９１４は、ポリアミドとポリエーテルのブロック共重合体で形成されており、厚さは０．１０５インチである。ボール打面プレート１９１２は、ＶＨＢテープによってフェース・インサート・ベース１９１４に接着され、フェース・インサート・ベース１９１４のフロント表面１９１８の９６％以上を被覆するが、フェース・インサート・ベース１９１４のフロント表面１９１８の９１％、９２％、９３％、９４％、９５％、９７％、９８％、９９％以上、又は１００％を被覆することができる。フェース・インサート１９１０はＰＶＤでコーティングされている。ボール打面プレート１９１２の金属材料とポリアミドとポリエーテルのブロック共重合体の組み合わせにより、インパクトのときのより柔らかい音と感触が可能になる。さらに、溝１９２０の深さが中央部分１９７８及び中心部分１８７２で最も深くなる、溝１９２０の深さの変化は、より寛容な打撃を可能にする。
Ｂ．エポキシで結合された金属ボール打面プレートとポリマー・フェース・インサート・ベース
【０２３８】
他の例では、ボール打面プレート１９１２は、アルミニウムシートから形成又は打ち抜きされた金属材料で作られ、０．０３０インチの厚さを有することができる。ボール打面プレート１９１２はさらに、トウ部分１９７０及びヒール部分１９７４から中心部分１９７２に向かって増加し、トップレール部分１９７６及びソール部分１９８０から中央部分１９７８に向かって増加する、変化する溝１９２０を含む。溝１９２０の概ね平坦な底面部分は、溝１９２０の深さが最大の場所である。概ね平坦な底面部分は、中央部分１９７８と中心部分１９７２が重なったところにある。フェース・インサート・ベース１９１４は、ポリアミドとポリエーテルのブロック共重合体で形成されており、厚さは０．１１３インチである。ボール打面プレート１９１２は、ボール打面プレート１９１２のリア表面１９１３とフェース・インサート・ベース１９１４のフロント表面１９１８との間に位置するエポキシによってフェース・インサート・ベース１９１４に接着される。ボール打面プレート１９１２は、フェース・インサート・ベース１９１４のフロント表面１９１８の９２％以上を被覆するが、フェース・インサート・ベース１９１４のフロント表面１９１８の９１％、９３％、９４％、９５％、９６％、９７％、９８％、９９％以上、又は１００％を被覆することができる。フェース・インサート１９１０はタイプＩＩ陽極酸化処理でコーティングされている。フェース・インサート１９１０はＰＶＤでコーティングされている。ボール打面プレート１９１２の金属材料とポリアミドとポリエーテルのブロック共重合体の組み合わせにより、インパクトのときのより柔らかい音と感触が可能になる。さらに、溝１９２０の深さが中央部分１９７８及び中心部分１８７２で最も深くなる、溝１９２０の深さの変化は、より寛容な打撃を可能にする。
Ｃ．接着剤で結合された金属ボール打面プレートとポリマー・フェース・インサート・ベース
【０２３９】
他の例では、ボール打面プレート１９１２は、ニッケルシートから電鋳された金属材料で作られ、０．０３０インチの厚さを有することができる。ボール打面プレート１９１２はさらに、トウ部分１９７０及びヒール部分１９７４から中心部分１９７２に向かって増加し、トップレール部分１９７６及びソール部分１９８０から中央部分１９７８に向かって増加する、変化する溝１９２０を含む。溝１９２０の概ね平坦な底面部分は、溝１９２０の深さが最大の場所である。概ね平坦な底面部分は、中央部分１９７８と中心部分１９７２が重なったところにある。フェース・インサート・ベース１９１４は、ポリアミドとポリエーテルのブロック共重合体で形成されており、厚さは０．１４０インチである。ボール打面プレート１９１２は、ボール打面プレート１９１２のリア表面１９１３とフェース・インサート・ベース１９１４のフロント表面１９１８との間に位置するエポキシによってフェース・インサート・ベース１９１４に接着される。ボール打面プレート１９１２は、フェース・インサート・ベース１９１４のフロント表面１９１８の１００％を被覆するが、フェース・インサート・ベース１９１４のフロント表面１９１８の９１％、９２％、９３％、９４％、９５％、９６％、９７％、９８％、９９％以上を被覆することができる。フェース・インサート１９１０はタイプＩＩ陽極酸化処理でコーティングされている。フェース・インサート１９１０はＰＶＤでコーティングされている。ボール打面プレート１９１２の金属材料とポリアミドとポリエーテルのブロック共重合体の組み合わせにより、インパクトのときのより柔らかい音と感触が可能になる。さらに、溝１９２０の深さが中央部分１９７８及び中心部分１８７２で最も深くなる、溝１９２０の深さの変化は、より寛容な打撃を可能にする。
ＩＩ．ポリマー・ボール打面プレートとポリマー・フェース・インサート・ベース
【０２４０】
他の実施形態では、図９１，９２に示されるように、パターゴルフクラブヘッド６１００は、フロントエンド１９６、リアエンド１９４、トウエンド１８０、ヒールエンド１９０、トップレール１８２、ソール１９２、及び、前縁６１１５を含む。パターゴルフクラブヘッド６１００の外表面は、凹部６１２２を形成することができる。より具体的には、いくつかの実施形態では、パタータイプのゴルフクラブヘッドのトップ壁６１２３、トウ壁６１２４、トウ壁６１２４の反対側のヒール壁６１２５、及び、後壁６１２６の全ては、凹部６１２２を形成することができる。パターゴルフクラブヘッ６１００の凹部６１２２は、フロントエンド１９６からリアエンド１９４に向かって後方に延びることができる。
【０２４１】
パターゴルフクラブヘッド６１００は、フェース・インサート６１１０を含むことができる。フェース・インサート６１１０は、フロントエンド１９６の一部を形成する。この実施形態では、パターゴルフクラブヘッド６１００のフェース・インサート６１１０は、ボール打面プレート６１１２及びフェース・インサート・ベース６１１４を含むことができる。ボール打面プレート６１１２は、フロント打表面６１１１と、フロント打表面６１１１の反対側のリア表面６１１３とを含むことができる。ボール打面プレート６１１２のフロント打表面６１１は、上述の溝と同様の溝６１２０を含むことができる。ボール打面プレート６１１２のリア表面６１１３は、図８３に示すボール打面プレート１９１２のリア表面１９１３と同様であり得る。フェース・インサート・ベース６１１４は、フロント表面６１１８を含むことができる。フェース・インサート・ベース６１１４のフロント表面６１１８は、図８３に示すフェース・インサート・ベース１９１４のフロント表面１９１８と同様であり得る。ボール打面プレート６１１２のリア表面６１１３は、フェース・インサート・ベース６１１４のフロント表面６１１８の一部に隣接している。
【０２４２】
ボール打面プレート６１１２のリア表面６１１３がフェース・インサート・ベース６１１４のフロント表面６１１８上に配置されると、ボール打面プレート６１１２は、フェース・インサート・ベース６１１４のフロント表面６１１８の７０％超、７５％超、８０％超、８５％超、９０％超、９１％超、９２％超、９３％超、９４％超、９５％超、９６％超、９７％超、９８％超、９９％超、又は、１００％を被覆する。ボール打面プレート６１１２のフロント打表面６１１１は、上述の溝と同様の溝６１２０を含むことができる。
【０２４３】
いくつかの実施形態では、ボール打面プレート６１１２及びフェース・インサート・ベース６１１４は同じ大きさと形を有することができ、ボール打面プレート６１１２及びフェース・インサート・ベース６１１４の全ての縁部が互いに面一である同じ大きさ及び形状を有することができる。いくつかの実施形態では、フェース・インサート・ベース６１１４は、ボール打面プレート６１１２の周りに連続的な境界又は周囲を形成することができる。いくつかの実施形態では、フェース・インサート・ベース６１１４は、ボール打面プレート６１１２の周りを包むことができる。他の実施形態では、フェース・インサート・ベース６１１４は、ソール１９２、トウエンド１８０、トップレール１８２、ヒールエンド１９０、又は、それらの任意の組み合わせでボール打面プレート６１１２の周りを包むことができる。いくつかの実施形態では、フェース・インサート・ベース６１１４は、前縁６１１５を形成することができる。他の実施形態では、フェース・インサート・ベース６１１４及びボール打面プレート６１１２は、前縁６１１５を形成することができる。他の実施形態では、フェース・インサート・ベース６１１４は、ボール打面プレート６１１２の周りに部分的な境界又は周囲を形成することができる。これらの実施形態では、フェース・インサート・ベース６１１４は、トウエンド１８０、トップレール１８２、ヒールエンド１９０、ソール１９２、前縁６１１５、又は、それらの任意の組み合わせでボール打面プレート６１１２の周りに部分的な境界を形成することができる。一実施形態では、フェース・インサート・ベース６１１４は、前縁６１１５でボール打面プレート６１１２に接することができる。
【０２４４】
パターゴルフクラブヘッド６１００の凹部６１１２がフェース・インサート６１１０を受け入れると、ボール打面プレート６１１２のリア表面６１１３はフェース・インサート・ベース６１１４のフロント表面６１１８に当接し、フェース・インサート・ベース６１１４は凹部６１２２の後壁６１２６に当接する。多くの実施形態において、ボール打面プレート６１１２及びフェース・インサート・ベース６１１４は、図８３に示されるボール打面プレート１９１２、フェース・インサート・ベース１９１４及び接着剤１９１６と同様の接着剤によって互いに結合され得る。多くの実施形態において、フェース・インサート・ベース６１１４は、図８３に示されるフェース・インサート・ベース１９１４及び接着剤６１２２と同様に、接着剤によって凹部に結合され得る。ボール打面プレート６１１２及びフェース・インサート・ベース６１１４をパターゴルフクラブヘッド６０００に結合するために使用される接着剤の種類は、上記の接着剤と同様であり得る。
ＩＩＩ．ポリマー・ボール打面プレート及び凹部を含むポリマー・フェース・インサート・ベース
【０２４５】
他の実施形態では、図９３，９４に示されるように、パターゴルフクラブヘッド６２００は、フロントエンド１９６、リアエンド１９４、トウエンド１８０、ヒールエンド１９０、トップレール１８２、ソール１９２、及び、前縁６２１５を含む。パターゴルフクラブヘッド６２００の外表面は、凹部６２２２を形成することができる。より具体的には、パタータイプのゴルフクラブヘッドのトップ壁６２２３、トウ壁６２２４、ヒール壁６１２５、及び、後壁６１２６の全ては、凹部６２２２を形成することができる。パターゴルフクラブヘッ６２００ドの凹部６２２２は、フロントエンド１９６からリアエンド１９４に向かって後方に延びることができる。
【０２４６】
パターゴルフクラブヘッド６２００は、フェース・インサート６２１０を含むことができる。フェース・インサート６２１０は、フロントエンド１９６の一部を形成する。この実施形態では、パターゴルフクラブヘッド６２００のフェース・インサート６２１０は、ボール打面プレート６２１２及びフェース・インサート・ベース６１１４を含むことができる。ボール打面プレート６３１２は、フロント打表面６２１１と、フロント打表面６２１１の反対側のリア表面６２１３とを含むことができる。
【０２４７】
フェース・インサート・ベース６２１４の外表面は、フェース・インサート・ベース凹部６２３０を形成する。より具体的には、フェース・インサート・ベース６２１４のフェース・インサート・ベース・トップ壁６２３３、フェース・インサート・ベース・トウ壁６２３４、フェース・インサート・ベース・ヒール壁６２３５、フェース・インサート・ベース後壁６２３６、及び、フェース・インサート・ベース底壁６２３７の全ては、フェース・インサート・ベース凹部６２３０を形成する。
【０２４８】
フェース・インサート・ベース凹部６２３０は、ボール打面プレート６２１２を受け入れるように構成することができる。ボール打面プレート６３１２のリア表面６２１３は、フェース・インサート・ベース凹部６２３０に隣接している。具体的には、フェース・インサート・ベース６２１４のフェース・インサート・ベース・トップ壁６２３３、フェース・インサート・ベース・トウ壁６２３４、フェース・インサート・ベース・ヒール壁６２３５、フェース・インサート・ベース後壁６２３６、及び、フェース・インサート・ベース底壁６２３７の全ては、ボール打面プレート６２１２を受け入れるように構成されている。この実施形態では、フェース・インサート・ベース６２１４は、ボール打面プレート６３１２の周りに境界又は周囲を形成することができる。さらに、ボール打面プレート６３１２は、フェース・インサート・ベース６２１４の凹部６２２０と相補的な形状とすることができ、それにより、フェース・インサート・ベース６２１４と同一平面のフロント打表面を有する。ボール打面プレート６２１２のフロント打表面６２１１は、上述の溝と同様の溝６２２０を含むことができる。
【０２４９】
凹部６２２２がフェース・インサート６２１０を受け入れると、ボール打面プレート６２１２のリア表面６２１３がフェース・インサート・ベース凹部６２３０内に収容され、フェース・インサート・ベース６２１４が凹部６２２２の後壁６２２６に当接する。多くの実施形態では、ボール打面プレート６２１２及びフェース・インサート・ベース６２１４は、上述の接着剤と同様の接着剤、又は、圧入によって結合することができる。多くの実施形態では、フェース・インサート・ベース６２１４は、上述の接着剤によって凹部に結合することができる。いくつかの実施形態では、フェース・インサート・ベース凹部６２３０は、ボール打面プレート６２１２を挟持力又は圧入で固定することができる。より具体的には、フェース・インサート・ベース６２１４のフェース・インサート・ベース・トップ壁６２３３、フェース・インサート・ベース・トウ壁６２３４、フェース・インサート・ベース・ヒール壁６２３５、フェース・インサート・ベース後壁６２３６、及び、フェース・インサート底壁６２３７は、ボール打面プレート６２１２を挟持力又は圧入で固定することができる。
ＩＶ．ボール打面プレートとフェース・インサート・ベースの結合構造
【０２５０】
別の実施形態では、図９５，９６に示されるように、パターゴルフクラブヘッドはフェース・インサート６３１０を含むことができる。この実施形態では、パターゴルフクラブヘッド６３００（図示せず）のフェース・インサート６３１０は、ボール打面プレート６３１２とフェース・インサート・ベース６３１４を含むことができる。ボール打面プレート６３１２は、フロント打表面６３１２と、フロント打表面６３１２の反対側のリア表面６３１３とを含むことができる。フェース・インサート・ベース６３１４は、フロント表面（図示せず）を含むことができる。フェース・インサート６３１０はさらに、ボール打面プレート６３１２とフェース・インサート・ベース６３１４を接着剤、テープ又は他の非機械的インタロック結合を必要とせずに結合するように構成された結合構造６３９０を含むことができる。結合構造６３９０は、アンダーカット、複数のフック、複数のタブ、複数のスロット、複数のタブ及びスロット、又は、他の適切な機械的インタロック構造を含むことができる。例示的な実施形態では、フェース・インサート６３１０の結合構造６３９０は、アンダーカットを含むことができる。多くの実施形態では、ボール打面プレート６３１２はアンダーカットを含むことができ、ボール打面プレート６３１２はフェース・インサート・ベース６３１４の相補的な形状を受け入れる。いくつかの実施形態では、フェース・インサート・ベース６３１４はアンダーカット（図示せず）を含むことができ、フェース・インサート・ベース６３１４はボール打面プレート６３１２の相補的な形状を受け入れる。ボール打面プレート６３１２のフロント打表面６３１１は、上述の溝と同様の溝６３２０を含むことができる。
【０２５１】
さらに、別の実施形態では、図９７に示すように、結合構造６３９０は、複数のフックを含むことができる。多くの実施形態では、結合構造６３９０の複数のフックは、ボール打面プレート６３１２のリア表面６３１３上に配置することができ、フェース・インサート・ベース６３１０はボール打面プレート６３１２の複数のフックを受け入れるように構成された相補的なスロット又は凹部を含むことができる。いくつかの実施形態では、結合構造６３９０の複数のフックをフェース・インサート・ベース６３１４のフロント表面上に配置することができ、ボール打面プレート６３１２はフェース・インサート・ベース６３１４の複数のフックを受け入れるように構成された相補的なスロット又は凹部を含むことができる。
【０２５２】
フェース・インサート１９１０、６１００、６２００、６３００は、ゴルフボールインパクトのときのより柔らかく独特な音／感触という利点を提供することができる。ゴルフボールインパクトのときの柔らかく独特な音／感触は、フェース・インサートの硬度に対応する。多くの実施形態において、上述したように、ボール打面プレートはより低い硬度を有するＰＥＢＡＸ４０３３（フランス、パリのアルケマ）を含むことができ、フェース・インサート・ベースはより高い硬度を有するＰＥＢＡＸ６３３３（フランス、パリのアルケマ）を含むことができる。硬度が低いボール打面プレートと高度が高いフェース・インサート・ベースの組み合わせにより、ゴルフボールインパクトのときのより柔らかい音／感触が得られる。柔らかな感触と音は、プレーヤにとって心地よく、金属製のフェース・インサートが大きな衝撃音で引き起こす気を散らすものを防ぐことができるので、この柔らかい感触は、金属製のフェース・インサートよりも有利である。ゴルフボールインパクトのときのこの柔らかくて独特な音／感触は、プレーヤの精神的な集中を助け、プレーヤのスコアを向上させることができる。
ポリマー材料とフレーム
【０２５３】
二成分システムを含むフェース・インサートの別の実施形態では、パターゴルフクラブヘッドは、ポリマー材料とフレームを含むフェース・インサートを備えることができる。ポリマー材料及びフレームを有するフェース・インサートを含むパターゴルフクラブヘッドは、フロントエンド１９６、リアエンド１９４、トウエンド１８４、ヒールエンド１９０、トップレール１８２、ソール１９２、及び、前縁を含む。パターゴルフクラブヘッドの外表面は、凹部（図示せず）を形成する。より具体的には、パターゴルフクラブヘッドのトップ壁（図示せず）、トウ壁（図示せず）、トウ壁の反対側のヒール壁（図示せず）、及び、後壁（図示せず）の全ては、凹部を形成する。パターゴルフクラブヘッドの凹部は、フロントエンド１９６からリアエンド１９４に向かって後方に延びることができる。
【０２５４】
フェース・インサートのポリマー材料は、フロントエンド１９６、トウエンド１８０、トップレール１８２、ヒールエンド１９０、ソール１９２、前縁、又は、それらの任意の組み合わせの一部を形成することができる。フェース・インサートのフレームは、パターゴルフクラブヘッドのフロントエンド１９６、トウエンド１８０、トップレール１８２、ヒールエンド１９０、ソール１９２、前縁、又は、それらの任意の組み合わせの一部を形成することができる。パターゴルフクラブヘッドのフロントエンド１９６は、フロント打表面を備え、フロント打表面は、上述の溝と同様の溝を備える。
【０２５５】
多くの実施形態では、フレームは、ポリマー材料よりも小さなフェース・インサートの部分を形成することができる。いくつかの実施形態において、フレームは、ポリマー材料よりも大きなフェース・インサートの部分を形成することができる。いくつかの実施形態では、フレームは、フェース・インサートのポリマー材料よりもフロントエンド１９６の大部分を形成することができる。いくつかの実施形態では、フレームは、フェース・インサートのポリマー材料よりも前縁の大部分を形成することができる。いくつかの実施形態では、フレームは、ポリマー材料よりもソール１９２の大部分を形成することができる。いくつかの実施形態では、ポリマー材料は、フェース・インサートのフレームよりもフロントエンド１９６の大部分を形成することができる。いくつかの実施形態では、ポリマー材料は、フェース・インサートのフレームよりも前縁の大部分を形成することができる。いくつかの実施形態では、ポリマー材料は、フェース・インサートのフレームよりもソール１９２の大部分を形成することができる。
【０２５６】
多くの実施形態において、フェース・インサートのフレームは、ポリマー材料の周りに連続的な境界又は周囲を形成する。いくつかの実施形態では、フェース・インサートのフレームは、ポリマー材料の周りに部分的な境界又は周囲を形成する。これらの実施形態では、フェース・インサートのフレームは、トウエンド１８０、トップレール１８２、ヒールエンド１９０、ソール１９２、前縁、又は、それらの任意の組み合わせで部分的な境界又は周囲を形成することができる。フェース・インサートのポリマー材料は、ＰＥＢＡＸ、ポリエチレン、ポリプロピレン、ポリテトラフルオロエチレン、ポリイソブチレン、ポリ塩化ビニル、又は、上記の他のポリマータイプ材料などを含むことができる。いくつかの実施形態では、フェース・インサートのフレームは、スチール、アルミニウム、チタン、又は、上記の他の金属などの金属を含むことができる。いくつかの実施形態では、フェース・インサートのフレームは、ＰＥＢＡＸ、ポリエチレン、ポリプロピレン、ポリテトラフルオロエチレン、ポリイソブチレン、ポリ塩化ビニル、又は、上記の他のポリマータイプ材料などのポリマータイプ材料を含むことができる。
【０２５７】
多くの実施形態では、ポリマー材料及びフレームを含むフェース・インサートは、台形形状を含むことができる。いくつかの実施形態では、ポリマー材料及びフレームを含むフェース・インサートは、長方形、三角形、五角形、多角形、又は、任意の他の適切な形状を含むことができる。多くの実施形態では、フェース・インサートのポリマー材料は、台形、長方形、三角形、五角形、多角形、又は、他の適切な形状など、フェース・インサートと同様の形状を含むことができる。さらに、多くの実施形態では、フェース・インサートのフレームは、台形、長方形、三角形、五角形、多角形、又は、他の適切な形状など、フェース・インサートと同様の形状を含むことができる。フェース・インサートのフレームおよび／又はポリマー材料の形状は、パターゴルフクラブヘッドのフロントエンド１９６、トウエンド１８０、トップレール１８２、ヒールエンド１９０、又は、ソール１９２に配置することができる。
【０２５８】
一実施形態では、図９８に示されるように、パターゴルフクラブヘッドは、フェース・インサート６４１０を含むことができる。パターゴルフクラブヘッド６４００のフェース・インサート６４１０は、ポリマー材料６４１２及びフレーム６４１４を含むことができる。パターゴルフクラブヘッド６４００は、フロントエンド１９６とソール１９２との間に前縁６４１５を含むことができる。パターゴルフクラブヘッド６４００のフロントエンド１９６は、フロント打表面６４１１を含むことができる。フロントエンド１９６のフロント打表面６４１１は、上述の溝と同様の溝６４２０を含むことができる。この実施形態では、フレーム６４１４は、ポリマー材料６４１２の周りに境界又は周囲を形成することができる。この実施形態では、フレーム６４１４は台形形状を形成することができ、フレーム６４１４はパターゴルフクラブヘッド６４００の輪郭に従う。より具体的には、フレーム６４１４は、トウエンド１８０においてソール１９２からトップレール１８２までフロントエンド１９６を垂直に延び、トウエンド１８０からヒールエンド１９０までトップレール１８２と平行に延び、ヒールエンド１９０においてトップレール１８２からソール１９２まである角度で延び、及び、ソール１９２上でリアエンド１９４に向かって距離を延ばす。フレーム６４１４は、フロントエンド１９６からリアエンド１９４に向かって後方に延びることができる。多くの実施形態では、フレーム６４１４及びポリマー材料６４１２は、パターゴルフクラブヘッド６４００のフロントエンド１９６からソール１９２まで前縁６４１５の周りを包むことができる。さらに、フェース・インサート６４１０のポリマー材料６４１２及びフレーム６４１４は、フロント打表面６４１１、前縁６４１５、及び、ソール１９２の一部を形成することができる。この実施形態では、ポリマー材料６４１２は、フレーム６４１４よりもフェース・インサート６４１０の大部分を形成することができる。
【０２５９】
別の実施形態では、図９９に示されるように、パターゴルフクラブヘッドは、フェース・インサート６５１０を含むことができる。パターゴルフクラブヘッド６５００のフェース・インサート６５１０は、ポリマー材料６５１２とフレーム６５１４を含むことができる。パターゴルフクラブヘッド６５００は、フロントエンド１９６とソール１９２との間に前縁６５１５を含むことができる。パターゴルフクラブヘッド６５００のフロントエンド１９６は、フロント打表面６５１１を含むことができる。フロントエンド１９６のフロント打表面６５１１は、上述の溝と同様の溝６５２０を含むことができる。この実施形態では、フレーム６５１４は、ポリマー材料６５１２を、トウエンド１８０近傍のトウ部分とヒールエンド１９０近傍のヒール部分とに分離することができる。この実施形態では、フレーム６５１４は、フロントエンド１９６に台形形状を含み、ソール１９２に長方形形状を含むことができる。この実施形態では、ポリマー材料６５１２のトウエンド部分及びヒールエンド部分は、フロントエンド１９６に三角形の形状を含み、ソール１９２に三角形の形状を含むことができる。多くの実施形態では、フレーム６５１４及びポリマー材料６５１２は、パターゴルフクラブヘッド６５００のフロントエンド１９６からソール１９２まで前縁６６１５の周りを包むことができる。この実施形態では、フレーム６５１４は、フロント打表面６５１１、前縁６５１５、及び、ソール１９２の一部を形成することができる。この実施形態では、フレーム６５１４は、ポリマー材料６５１２よりもフェース・インサート６５１０及び／又はフロント打表面６５１１の大部分を形成することができる。
【０２６０】
別の実施形態では、図１００に示されるように、パターゴルフクラブヘッドはフェース・インサート６６１０を含むことができる。パターゴルフクラブヘッド６６００のフェース・インサート６６１０は、ポリマー材料６６１２とフレーム６６１４を含むことができる。パターゴルフクラブヘッド６６００は、フロントエンド１９６とソール１９２との間に前縁６６１５を含むことができる。パターゴルフクラブヘッド６５００のフロントエンド１９６は、フロント打表面６６１１を含むことができる。フロントエンド１９６のフロント打表面６６１１は、上述の溝と同様の溝６６２０を含むことができる。この実施形態では、フレーム６６１４は、ポリマー材料６６１２の周りに境界又は周囲を形成することができる。この実施形態では、フレーム６６１４は、ポリマー材料６６１２を、トウエンド１８０近傍のトウエンド部分と、ヒールエンド１９０近傍のヒールエンド部分と、フロント打表面６６１１の中心近傍の中心部分とに分離することができる。フレーム６６１４は、フロント打表面６６１１の周囲に延びることができる。さらに、フレーム６６１４の一部は、フロント打表面６６１１の周囲からフロント打表面６６１１の中心に向かって内向きに延びることができる。内側に延びるフレーム６６１４の一部は、ポリマー材料６６１２を、トウエンド部分と、ヒールエンド部分と、中心部分とに分離することができる。ポリマー材料６６１２のトウエンド部分、ヒールエンド部分及び中心部分は、台形形状を備えることができる。この実施形態では、フレーム６６１４は、フロント打表面６６１１、前縁６６１５及びソール１９２の一部を形成することができる。この実施形態では、ポリマー材料６６１２は、フレーム６６１４よりもフェース・インサート６６１０及び／又はフロント打表面６６１１の大部分を形成することができる。
【０２６１】
別の実施形態では、図１０１に示されるように、パターゴルフクラブヘッドはフェース・インサート６７１０を含むことができる。パターゴルフクラブヘッド６７００のフェース・インサート６７１０は、ポリマー材料６７１２とフレーム６７１４を含むことができる。パターゴルフクラブヘッド６７００は、フロントエンド１９６とソール１９２との間に前縁６７１５を含むことができる。パターゴルフクラブヘッド６７００のフロントエンド１９６は、フロント打表面６７１１を含むことができる。フロントエンド１９６のフロント打表面６７１１は、上述の溝と同様の溝６７２０を含むことができる。この実施形態では、フレーム６７１４は、ポリマー材料６７１２を、トウエンド１８０近傍のトウエンド部分、ヒールエンド１９０近傍のヒールエンド部分、及び、フロント打表面６７１１の中心近傍の中心部分とに分離することができる。さらに、フレーム６７１４の一部は、フロント打表面６７１１の周囲からフロント打表面６７１１の中心に向かって内向きに延びることができる。内側に延びるフレーム６７１４の一部は、ポリマー材料６７１２を、トウエンド部分、ヒールエンド部分、及び中心部分とに分離することができる。ポリマー材料６７１２のトウエンド部分、ヒールエンド部分、及び、中心部分は、フロント打表面６７１１上に台形形状を備えることができる。ポリマー材料６７１２のトウエンド部分及びヒール部分は、ソール１９２上に三角形の形状を含むことができ、ポリマー材料６７１２の中心部分は、ソール１９２上に長方形の形状を含むことができる。
【０２６２】
さらに、フレーム６７１４は、フロント打表面６７１１及びソール１９２上のポリマー材料６７１２の中心部分の周りに境界又は周囲を形成する。フレーム６７１４は、ソール１９２上のポリマー材料６７１２のトウエンド部分及びヒールエンド部分の周りに部分的な境界又は周囲を形成する。この実施形態では、ポリマー材料６７１２及びフレーム６７１４は、フロント打表面６７１１、前縁６７１５、及び、ソール１９２の一部を形成することができる。この実施形態では、ポリマー材料６７１２は、フェース・インサート６７１０、フロント打表面６７１１及び／又はソール１９２の大部分を形成することができる。
【０２６３】
別の実施形態では、図１０２に示されるように、パターゴルフクラブヘッドはフェース・インサート６８１０を含むことができる。パターゴルフクラブヘッド６８００のフェース・インサート６８１０は、ポリマー材料６８１２とフレーム６８１４を含むことができる。パターゴルフクラブヘッド６８００は、フロントエンド１９６とソール１９２との間に前縁６８１５を含むことができる。パターゴルフクラブヘッド６８００のフロントエンド１９６は、フロント打表面６８１１を含むことができる。フロントエンド１９６のフロント打表面６８１１は、上述の溝と同様の溝６８２０を含むことができる。この実施形態では、フレーム６８１４は、ポリマー材料６８１２を、フロント打表面６８１１及びソール１９２に沿って長方形と三角形とに分離することができる。この実施形態では、フレーム６８１４は、フロント打表面６８１１上のポリマー材料６８１２の周りに境界又は周囲を形成することができる。フレーム６８１４は、トウエンド１８０及びヒールエンド１９０においてソール１９２上のポリマー材料６８１２の周りに部分的な境界又は周囲を形成することができる。
【０２６４】
さらに、フレーム６８１４は、フロント打表面６８１１の周囲の輪郭に従うことができる。フレーム６８１４はさらに、トップレール１８２からソール１９２に向かって延びる２つの垂直部分を有することができる。フレーム６８１４の２つの垂直部分は、ポリマー材料６８１２を、トウエンド１８０近傍のトウエンド部分、ヒールエンド１９０近傍のヒールエンド部分、及び、フロント打表面６７１１の中心近傍の中心部分とに分離することができる。ポリマー材料６８１２のトウエンド部分、ヒール部分、及び、中心部分は、フロント打表面６８１１で長方形の形状を有することができる。ポリマー材料６８１２のトウエンド部分及びヒールエンド部分は、ソール１９２で三角形の形状を有することができ、ポリマー材料６８１２の中心部分は、ソール１９２で長方形の形状を有することができる。多くの実施形態において、フレーム６８１４及びポリマー材料６８１２は、フロントエンド１９６からソール１９２まで前縁６８１５の周りを包むことができる。この実施形態では、ポリマー材料６８１２及びフレーム６８１４は、フロント打表面６８１１、前縁６８１５、及び、ソール１９２の一部を形成することができる。この実施形態では、ポリマー材料６８１２は、フェース・インサート６８１０、フロント打表面６８１１及び／又はソール１９２の大部分を形成することができる。
【０２６５】
別の実施形態では、図１０３に示されるように、パターゴルフクラブヘッドはフェース・インサート６９１０を含むことができる。パターゴルフクラブヘッド６９００のフェース・インサート６９１０は、ポリマー材料６９１２とフレーム６９１４を含むことができる。パターゴルフクラブヘッド６９００は、フロントエンド１９６とソール１９２との間に前縁６９１５を含むことができる。パターゴルフクラブヘッド６９００のフロントエンド１９６は、フロント打表面６９１１を含むことができる。フロントエンド１９６のフロント打表面６９１１は、上述の溝と同様の溝６９２０を含むことができる。この実施形態では、フレーム６９１４は、フロント打表面６９１１上のポリマー材料６９１２の周りに境界又は周囲を形成することができる。この実施形態では、フレーム６９１４は、ソール１９２上のポリマー材料６９１２の周りに部分的な境界又は周囲を形成することができる。より具体的には、フレーム６９１４は、ソール１９２のトウエンド１８０及びヒールエンド１９０において、ポリマー材料６９１２の周りに部分的な境界又は周囲を形成する。
【０２６６】
さらに、ポリマー材料６９１２は、フロント打表面６９１１上の台形形状、ソール１９２のトウエンド１８０及びヒールエンド１９０における三角形形状、及び、前縁６９１５近くのソール１９２の中心における長方形形状を含むことができる。多くの実施形態では、フレーム６９１４及びポリマー材料６９１２は、フロントエンド１９６からソール１９２まで前縁の周りを包むことができる。この実施形態では、ポリマー材料６９１２及びフレーム６９１４は、フロント打表面６９１１及びソール１９２の一部を形成することができる。この実施形態では、ポリマー材料は、フェース・インサート６９１０、フロント打表面６９１１、前縁６９１５及び／又はソール１９２の大部分を形成する。
【０２６７】
パターゴルフクラブヘッド６４００、６５００、６６００、６７００、６８００、６９００の凹部は、フェース・インサート６４１０、６５１０、６６１０、６７１０、６８１０、６９１０をそれぞれ受け入れるように構成されている。多くの実施形態では、ポリマー材料とフェース・インサートのフレームを凹部に一緒に結合することができる。いくつかの実施形態では、フェース・インサートのポリマー材料及びフレームは、凹部に別々に結合することができる。多くの実施形態では、ポリマー材料及びフレームを含むフェース・インサートは、上記の接着剤で凹部に結合することができる。いくつかの実施形態では、フェース・インサートのフレームは、挟持力又は圧入によりポリマー材料を固定することができる。
【０２６８】
フェース・インサート６４１０、６５１０、６６１０、６７１０、６８１０、６９１０は、ゴルフボールのインパクトのときの音、感触及び視覚の改善という利点を提供する。ポリマー材料及びフェース・インサートのフレームは、ゴルフボールのインパクトのときにより柔らかい音／感触という利点を提供することができる。柔らかい音／感触は、フェース・インサートの硬度に対応する。多くの実施形態では、ポリマー材料はＰＥＢＡＸを含むことができ、フレームは上記の金属を含むことができる。いくつかの実施形態では、ポリマー材料はＰＥＢＡＸを含むことができ、フレームは上述のＰＥＢＡＸを含むことができる。ＰＥＢＡＸと金属の組み合わせ、又は、ポリマー材料とフレームのＰＥＢＡＸとＰＥＢＡＸの組み合わせにより、ゴルフボールのインパクトのときのより柔らかい感触／音が得られる。柔らかな感触と音は、プレーヤにとって心地よく、金属製のフェース・インサートが大きな衝撃音で引き起こす気を散らすものを防ぐことができるので、この柔らかい感触は、金属製のフェース・インサートよりも有利である。さらに、フェイス・インサートのフレームは、プレーヤの視覚補助として機能する。フェース・インサートのフレームは、プレーヤがゴルフボールをフロンド打表面の中心に配置してショットの軌道を最適化するのに役立つことができる。他のシナリオでは、フェース・インサートのフレームは、プレーヤがゴルフボールをフロント打表面のトウエンド又はヒールエンドに配置してショットの軌道を最適化するのに役立つことができる。
複数の開口部
【０２６９】
別の実施形態では、パターゴルフクラブヘッドは、複数の開口部を含むフェース・インサートを備えることができる。フェース・インサートの複数の開口部は、開口、割れ目、溝、スロット、又は、ギャップを含むことができる。フェース・インサートの複数の開口部は、フロントエンド１９６、前縁、リアエンド１９４、トウエンド１８０、トップレール１８２、ヒールエンド１９０、ソール１９２、又は、それらの任意の組み合わせに配置することができる。
【０２７０】
フェース・インサートの複数の開口部は、パターゴルフクラブヘッドのヒールエンド１９０からトウエンド１８０、及び／又は、ソール１９２からトップレール１８２まで、直線的、非直線的又はランダムに配置することができる。さらに、複数の開口部は、ヒールエンド１９０とトウエンド１８０、及び／又は、ソール１９２とトップレール１８２との間において、同じ、漸進的に増加、漸進的に減少、変動、又は、それらの任意の組み合わせのサイズを含むことができる。
【０２７１】
さらに、複数の開口部は、開口部内のいくつかに充填物を含むことができる。開口部内のいくつかの充填物は、パターゴルフクラブヘッドの所望の端部に向かって、増加、減少、変化、又は、それらの任意の組み合わせである。いくつかの実施形態では、開口部内のいくつかの充填物は、ヒールエンド１９０、トウエンド１８０、ソール１９２、及び／又は、トップレール１８２に向かって増加、減少、変化、又は、それらの任意の組み合わせが可能である。
【０２７２】
多くの実施形態では、フェース・インサートの複数の開口部は、円形、三角形、長方形、正方形、五角形、多角形、又は、他の適切な形状を含むことができる。多くの実施形態では、複数の開口部は単一の形状を含むことができる。いくつかの実施形態では、複数の開口部は、１つ以上、２つ以上、又は、３つ以上の形状を含むことができる。いくつかの実施形態では、複数の開口部は複数の形状を含むことができる。
【０２７３】
一実施形態では、図１０４に示されるように、パターゴルフクラブヘッド７０００は、フロントエンド１９６、リアエンド１９４、トウエンド１８４、ヒールエンド１９０、トップレール１８２、及び、ソール１９２を含む。パターゴルフクラブヘッド７０００の外表面は、凹部７０２２を形成する。より具体的には、パターゴルフクラブヘッド７０００のトップ壁７０２３、トウ壁７０２４、トウ壁７０２４の反対側のヒール壁７０２５、後壁７０２６、及び、ボトム壁７０２７の全ては、凹部７０２２を形成する。パターゴルフクラブヘッド７０００の凹部７０２２は、フロントエンド１９６からリアエンド１９４に向かって後方に延びることができる。
【０２７４】
パターゴルフクラブヘッドは、フェース・インサート７０１０を含むことができる。この実施形態では、パターゴルフクラブヘッド７０００のフェース・インサート７０１０は、ボール打面プレート７０１２を含むことができる。ボール打面プレート７０１２は、フロント打表面７０１１と、フロント打表面７０１１の反対側のリア表面７０１３とを含むことができる。フロント打表面７０１１は、複数の開口部７０９２をさらに備えることができる。この実施形態では、複数の開口部７０９２は、トウエンド１８０とヒールエンド１９０の間、及び、ソール１９２とトップレール１８２の間において、列状に直線的に配置することができる。ボール打面プレート７０１２のリア表面７０１３は、パターゴルフクラブヘッド７０００の凹部７０２２の後壁７０２６に隣接し、当接する。多くの実施形態では、フェース・インサート７０１０は、上述の接着剤によって凹部７０２２に結合される。フロント打表面７０１１に配置された複数の開口部７０９２は、上述の溝と同様の溝として機能することができる。
【０２７５】
別の実施形態では、図１０５に示されるように、パターゴルフクラブヘッドはフェース・インサート７１１０を含むことができる。この実施形態では、パターゴルフクラブヘッド７１００のフェース・インサート７１１０は、複数の開口部７１９２を備えることができる。この実施形態では、複数の開口部７１９２は、フロント打表面７１１１、ヒールエンド１９０、及び、トップレール１８２に配置することができる。複数の開口部７１９２は、フロント打表面７１１１及びトップレール１８２の全長にわたって、トウエンド１８０からヒールエンド１９０まで延びることができる。さらに、複数の開口部７１９２は、トップレール１８２からソール１９２まで、ヒールエンド１９０及び／又はトウエンド１８０の周りを包むことができる。この実施形態では、フロント打表面７１１１に配置された複数の開口部７１９２は、上述の溝と同様の溝として機能することができる。
【０２７６】
別の実施形態では、図１０６に示されるように、パターゴルフクラブヘッドはフェース・インサート７２１０を含むことができる。この実施形態では、パターゴルフクラブヘッド７２００のフェース・インサート７２１０は、複数の開口部７２９２を含むことができる。この実施形態では、複数の開口部７２９２は、フロント打表面７２１１及びソール１９２に配置することができる。複数の開口部７２９２は、フロント打表面７２１１及びソール１９２の全長にわたって、トウエンド１８０からヒール端部１９０まで延びることができる。この実施形態では、フロント打表面面７２１１に配置された複数の開口部７２９２は、上述の溝と同様の溝として機能することができる。いくつかの実施形態では、複数の開口部７２９２は、パターゴルフクラブヘッド７２００のソール１９２及び／又はフロント打表面７２１１に特定のデザインを表示することができる。
【０２７７】
別の実施形態では、図１０７に示されるように、パターゴルフクラブヘッドはフェース・インサート７３１０を含むことができる。この実施形態では、パターゴルフクラブヘッド７３００のフェース・インサート７３１０は、リアエンド１９４に配置された開口部７３９２を含むことができる。いくつかの実施形態では、パターゴルフクラブヘッド７３００は、上述のパターゴルフクラブヘッド７０００、７１００又は７２００と同様の位置に複数の開口部７３９２を含むことができる。多くの実施形態では、開口部７３９２は、パターゴルフクラブヘッド７３１０のリアエンド７３２５に特定のデザインを表示することができる。
【０２７８】
図５３を参照すると、一実施例によるゴルフクラブヘッドを製造するプロセス２０００が示されている。プロセス２０００は、トウエンドとヒールエンドとトップレールとソールとによって画定されるゴルフクラブフェースを形成すること（ブロック２００２）を含む。ゴルフクラブフェースを、ゴルフクラブヘッド及びゴルフクラブフェースが１つの連続する部分であるように、ゴルフクラブヘッドと共に形成することができる。代替的に、ゴルフクラブヘッドとゴルフクラブフェースとを、別々に形成することができる。ゴルフクラブフェースを、その後、ゴルフクラブフェースに、接着剤、テープ、溶接、はんだ付け、締め具、及び／又は他の適切な方法とデバイスとを使用することによって、取り付けることができる。ゴルフクラブヘッド及び／又はゴルフクラブフェースは、任意の材料から製造され得る。たとえば、ゴルフクラブヘッド及び／又はゴルフクラブフェースは、チタニウム、チタニウム合金、他のチタニウムベースの材料、スチール、アルミニウム、アルミニウム合金、他の金属、金属合金、プラスチック、木、複合材料、又は他の適切な種類の材料から作られ得る。ゴルフクラブヘッド及び／又はゴルフクラブフェースは、スタンピング（つまり、機械プレス又はスタンピングプレスを使用した押し抜き、ブランキング、型押し、曲げ加工、フランジ成形、又は印圧加工、鋳造）、射出成型、鍛造、機械加工、又はそれらの組み合わせ、金属、プラスチック、及び／又は複合部品を製造するための使用される他のプロセス、及び／又は他の適切なプロセスなどのさまざまなプロセスを使用して、形成され得る。一実施例では、パターヘッドを製造するとき、パターフェース及び／又はボール打面の材料は、特定のボール打特性とローリング特性とをパターフェースに与えるように、決定され得る。別の実施例では、ボール打面１１２、２１２、３１２、４１２、５１２、６１２、７１２、１０１２、１３１２、１４１２、１８１２、１５００、２２１２、３２１２、４２１２、５２１２がパターフェース１１０、８１０、９１０とは別であり、パターフェース１１０、８１０、９１０上の対応する形状のくぼみの中に挿入され、取り付けられるときには、打面１１２、２１２、３１２、４１２、５１２、６１２、７１２、１０１２、１３１２、１４１２、１８１２、１５００、２２１２、３２１２、４２１２、５２１２を、パターフェース１１０、８１０、９１０よりも軽い材料から作成して、パターの合計重量を一般に減少させることができる。
【０２７９】
プロセス２０００によると、溝は、トップレールとソールとの間のクラブフェース及び／又はクラブヘッド上に形成され、各溝が、トウエンドとヒールエンドとの間に伸び、溝の深さが、トップレールとソールとの間に伸びる方向と、ヒールエンドとトウエンドとの間に伸びる方向と、において変化するようにする（ブロック２００４）。溝を、鋳造、鍛造、機械加工、回転フライス加工、及び／又は他の適切なプロセスなどのさまざまなプロセスを使用して、形成することができる。溝の垂直断面形状は、溝を製造する方法に依存することができる。たとえば、溝を機械加工するときの切削ビットの種類は、溝の垂直断面形状を決定することができる。溝の垂直断面形状は、上記で説明した実施例など、対照であってよく、又は（図示しない）非対称であってよい。一実施例では、溝の幅は、０．０３２インチであってよく、それは、切削ビットの幅であり得る。したがって、溝を機械加工するとき、切削ビットの形状及び寸法は、溝の形状と寸法とを決定することができる。
【０２８０】
溝は、ボール打面を回転フライス加工することによって、又は溝をボール打面にスタンピング又は鍛造することによって、製造され得る。溝を、また、上記で説明したボール打面をパターヘッド上に直接作るように、パターヘッド上に直接製造することができる。溝は、溝をパターヘッド上にプレス成型することによって製造され得る。たとえば、プレスは、パターヘッド上の材料を変形及び／又は動かして、溝を作ることができる。溝を、フライス加工プロセスによって製造することができ、その場合、フライス加工ツールの回転軸は、パターフェースに対して垂直である。フライス加工ツールの回転軸を、パターフェースに対して垂直とは別の角度に向けることができる。溝は、スルー溝を形成するようにきれいにカットした１つの材料を、ベース材料又は固体材料上に重ねることによって、製造され得る。溝は、パターフェース材料を、レーザー及び／又は熱でエッチング又は浸食することによって、製造され得る。溝は、感光性マスクを使用して、パターフェース材料を化学的に侵食することによって、製造され得る。溝は、ワックス又は石油化学物質などの化学マスクを使用して、パターフェース材料を電子／化学浸食することによって、製造され得る。溝は、砂などの摩耗材料の搬送媒体として空気又は水を使用して、フェース材料を摩耗させることによって、製造され得る。上記で説明した方法のうちの任意の１つ又は組み合わせを使用して、溝のうちの１つ又は複数をパターヘッド上に製造することができる。さらに、くぼみを任意の材料に作成するために使用される他の方法を使用して、溝を製造することができる。
実施例１
【０２８１】
ＰＥＢＡＸ材料を含むフェース・インサート６１１０を有する例示的なパターゴルフクラブヘッド６１００は、ボール打面プレートにＰＥＢＡＸ材料がない、同様のコントロールパターゴルフクラブヘッドと比較された。例示的なパターゴルフクラブヘッドのフェース・インサート６０１０は、ボール打面プレート６１１２とフェース・インサート・ベース６１１４を含む。フェース・インサート６１１０のボール打面プレート６１１２及びフェース・インサート・ベース６１１４はＰＥＢＡＸ材料を含み、ここで、ボール打面プレート６１１２はＰＥＢＡＸ４０３３（フランス、パリのアルケマ）を含み、フェース・インサート・ベース６１１４はＰＥＢＡＸ６３３３（フランス、パリのアルケマ）を含む。ＰＥＢＡＸ４０３３（フランス、パリのアルケマ）は、ＰＥＢＡＸ６３３３（フランス、パリのアルケマ）よりも硬度が低い。コントロールパターゴルフクラブヘッドのフェース・インサートは、ボール打面プレートとアルミニウムスクリーンを備えている。コントロールパターゴルフクラブヘッドのアルミニウムスクリーンはアルミニウム材料を含み、コントロールパターゴルフクラブヘッドのボール打面プレートはＰＥＢＡＸ材料を含む。
【０２８２】
例示的なパターゴルフクラブヘッド６１００とコントロールパターゴルフクラブヘッドとの間の音、感触、及び、全体的な満足度を測定するために、プレーヤーテストが実施された。その結果によると、多くのプレーヤーは、コントロールパターゴルフクラブヘッドに対するパターゴルフクラブヘッド６１００のインパクト感触、インパクト音、インパクトフィードバック、ボールスピード、及び、ストローク全体に満足した。インサートのあるパターとインサートのないパターでプレイする８１人のプレーヤーのテストによると、３７人のプレーヤーはコントロールパターゴルフクラブヘッドに満足し、４４人のプレーヤーは例示的なパターゴルフクラブヘッド６１００に満足しました。その後、テストデータをフィルター処理して、インサートのあるパターでのみプレイするプレーヤーを含めた。４３人のプレーヤーを含むフィルタ処理されたデータは、プレーヤーの８４％が例示的なパターゴルフクラブヘッド６１００を好み、プレーヤーの１６％がコントロールパターゴルフクラブヘッドを好むことを示した。  このデータは、プレーヤーが、アルミニウム材料とＰＥＢＡＸ材料（即ち、ボール打面プレートとアルミニウムスクリーン）を含むフェース・インサートよりも全ての構成部品（即ち、ボール打面プレートとフェース・インサート・ベース）にＰＥＢＡＸ材料を含むフェース・インサートをより好むことを示す。
【０２８３】
ゴルフのルールが時々で変わり得る（たとえば、ゴルフ標準化組織又は運営組織によって、新しい規則が採用され得、又は古いルールが廃止又は変更され得る）ために、本明細書で説明する方法、装置、及び／又は製造品に関連するゴルフ用品は、任意の特定の時期におけるゴルフのルールに適合又は非適合であってよい。したがって、本明細書で説明する方法、装置、及び／又は製造品に関連するゴルフ用品は、適合又は非適合ゴルフ用品として、宣伝され、売り出され、及び／又は販売され得る。本明細書で説明する方法、装置、及び／又は製造品は、この点において限定されない。
【０２８４】
特定の動作の順序を上記で説明したが、これらの動作を、他の時系列で実行することができる。たとえば、上記で説明した２つ以上の動作を、連続して、一斉に、又は同時に、実行することができる。代替的に、２つ以上の動作を、反対の順序で実行することができる。さらに、上記で説明した１つ又は複数の動作を、まったく実行しなくてもよい。本明細書で説明する装置、方法、及び製造品は、この点において限定されない。
【０２８５】
本発明をさまざまな態様に関連して説明したが、本発明はさらに変更され得るということが理解される。本出願は、一般に、本発明の原理に従う、本発明の任意の変化物、用途、又は適合を含むように意図されており、本発明に関連する当技術分野内で知られ、慣習となっている行為に含まれるような本開示からの逸脱物を、含む。
【図１】
2020529277.tif 000007
【図２】
2020529277.tif 000008
【図３】
2020529277.tif 000009
【図４−５】
2020529277.tif 000010
【図６】
2020529277.tif 000011
【図７】
2020529277.tif 000012
【図８】
2020529277.tif 000013
【図９−１０】
2020529277.tif 000014
【図１１】
2020529277.tif 000015
【図１２】
2020529277.tif 000016
【図１３】
2020529277.tif 000017
【図１４−１５】
2020529277.tif 000018
【図１６】
2020529277.tif 000019
【図１７】
2020529277.tif 000020
【図１８】
2020529277.tif 000021
【図１９−２０】
2020529277.tif 000022
【図２１】
2020529277.tif 000023
【図２２】
2020529277.tif 000024
【図２３】
2020529277.tif 000025
【図２４】
2020529277.tif 000026
【図２５】
2020529277.tif 000027
【図２６】
2020529277.tif 000028
【図２７】
2020529277.tif 000029
【図２８】
2020529277.tif 000030
【図２９】
2020529277.tif 000031
【図３０】
2020529277.tif 000032
【図３１】
2020529277.tif 000033
【図３２】
2020529277.tif 000034
【図３３】
2020529277.tif 000035
【図３４】
2020529277.tif 000036
【図３５】
2020529277.tif 000037
【図３６】
2020529277.tif 000038
【図３７】
2020529277.tif 000039
【図３８】
2020529277.tif 000040
【図３９】
2020529277.tif 000041
【図４０】
2020529277.tif 000042
【図４１】
2020529277.tif 000043
【図４２】
2020529277.tif 000044
【図４３】
2020529277.tif 000045
【図４４】
2020529277.tif 000046
【図４５】
2020529277.tif 000047
【図４６】
2020529277.tif 000048
【図４７】
2020529277.tif 000049
【図４８】
2020529277.tif 000050
【図４９】
2020529277.tif 000051
【図５０】
2020529277.tif 000052
【図５１】
2020529277.tif 000053
【図５２】
2020529277.tif 000054
【図５３】
2020529277.tif 000055
【図５４】
2020529277.tif 000056
【図５５】
2020529277.tif 000057
【図５６】
2020529277.tif 000058
【図５７】
2020529277.tif 000059
【図５８】
2020529277.tif 000060
【図５９】
2020529277.tif 000061
【図６０】
2020529277.tif 000062
【図６１】
2020529277.tif 000063
【図６２】
2020529277.tif 000064
【図６３】
2020529277.tif 000065
【図６４】
2020529277.tif 000066
【図６５】
2020529277.tif 000067
【図６６】
2020529277.tif 000068
【図６７】
2020529277.tif 000069
【図６８】
2020529277.tif 000070
【図６９】
2020529277.tif 000071
【図７０】
2020529277.tif 000072
【図７１】
2020529277.tif 000073
【図７２】
2020529277.tif 000074
【図７３】
2020529277.tif 000075
【図７４】
2020529277.tif 000076
【図７５】
2020529277.tif 000077
【図７６】
2020529277.tif 000078
【図７７】
2020529277.tif 000079
【図７８】
2020529277.tif 000080
【図７９】
2020529277.tif 000081
【図８０】
2020529277.tif 000082
【図８１】
2020529277.tif 000083
【図８２】
2020529277.tif 000084
【図８３】
2020529277.tif 000085
【図８４】
2020529277.tif 000086
【図８５】
2020529277.tif 000087
【図８６】
2020529277.tif 000088
【図８７Ａ】
2020529277.tif 000089
【図８７Ｂ】
2020529277.tif 000090
【図８８】
2020529277.tif 000091
【図８９】
2020529277.tif 000092
【図９０】
2020529277.tif 000093
【図９１】
2020529277.tif 000094
【図９２】
2020529277.tif 000095
【図９３】
2020529277.tif 000096
【図９４】
2020529277.tif 000097
【図９５】
2020529277.tif 000098
【図９６】
2020529277.tif 000099
【図９７】
2020529277.tif 000100
【図９８】
2020529277.tif 000101
【図９９】
2020529277.tif 000102
【図１００】
2020529277.tif 000103
【図１０１】
2020529277.tif 000104
【図１０２】
2020529277.tif 000105
【図１０３】
2020529277.tif 000106
【図１０４】
2020529277.tif 000107
【図１０５】
2020529277.tif 000108
【図１０６】
2020529277.tif 000109
【図１０７】
2020529277.tif 000110
【国際調査報告】
2020529277.tif 000111